(57)【要約】【課題】チャネル状態情報（ＣＳＩ）を送受信するための方法を提案する。【解決手段】本発明の一様相は、無線通信システムにおいて端末のチャネル状態情報を報告する方法であって、基地局から複数のパネルを介して送信されたＣＳＩ-ＲＳを測定するステップと、ＣＳＩ-ＲＳ測定に基づいて生成したＣＳＩを基地局に報告するステップとを含むものの、端末が複数のパネルに対するＷＢパネル補償子及びＳＢパネル補償子をＣＳＩとして報告する場合、ＷＢパネル補償子及びＳＢパネル補償子は、互いに異なるビット幅で報告されることができる。【選択図】図２３
2019526973.tif 000002
【特許請求の範囲】
【請求項１】
無線通信システムにおいて端末のチャネル状態情報（ＣＳＩ）を報告する方法であって、
基地局から複数のパネルを介して送信されたチャネル状態情報-参照信号（ＣＳＩ-ＲＳ）を測定するステップと、
前記ＣＳＩ-ＲＳ測定に基づいて生成したＣＳＩを前記基地局に報告するステップと、を含むものの、
前記端末が前記複数のパネルに対する広帯域（ＷＢ）パネル補償子及びサブバンド（ＳＢ）パネル補償子を前記ＣＳＩとして報告する場合、
前記ＷＢパネル補償子及び前記ＳＢパネル補償子は、互いに異なるビット幅で報告される、ＣＳＩ報告方法。
【請求項２】
前記ＷＢパネル補償子及び前記ＳＢパネル補償子は、前記複数のパネルの間の位相補正に使用される、請求項１に記載のＣＳＩ報告方法。
【請求項３】
前記ＳＢパネル補償子のビット幅は、前記ＷＢパネル補償子のビット幅より小さい、請求項２に記載のＣＳＩ報告方法。
【請求項４】
前記ＳＢパネル補償子のビット幅は、１-ビット、前記ＷＢパネル補償子のビット幅は、２-ビットである、請求項３に記載のＣＳＩ報告方法。
【請求項５】
前記ＷＢパネル補償子は、ＱＰＳＫに基づいて報告され、前記ＳＢパネル補償子は、ＢＰＳＫに基づいて報告される、請求項４に記載のＣＳＩ報告方法。
【請求項６】
前記ＣＳＩとして前記ＷＢパネル補償子のみを報告する場合、前記ＷＢパネル補償子は、２-ビットのビット幅で報告される、請求項４に記載のＣＳＩ報告方法。
【請求項７】
前記複数のパネルの個数は、上位階層シグナリングにより設定される、請求項２に記載のＣＳＩ報告方法。
【請求項８】
前記ＷＢパネル補償子及び／または前記ＳＢパネル補償子の報告は、前記上位階層シグナリングにより設定される、請求項７に記載のＣＳＩ報告方法。
【請求項９】
前記ＷＢパネル補償子及び前記ＳＢパネル補償子は、前記ＣＳＩないしＰＭＩに含まれて報告される、請求項７に記載のＣＳＩ報告方法。
【請求項１０】
前記ＷＢパネル補償子及び前記ＳＢパネル補償子は、前記複数のパネル各々に対して独立的に報告される、請求項７に記載のＣＳＩ報告方法。
【請求項１１】
無線通信システムにおいてチャネル状態情報-参照信号（ＣＳＩ-ＲＳ）を受信する端末であって、
無線信号を送受信するためのＲＦユニットと、
前記ＲＦユニットを制御するプロセッサと、を含み、
前記プロセッサは、
基地局から複数のパネルを介して送信されたＣＳＩ-ＲＳを測定し、
前記ＣＳＩ-ＲＳ測定に基づいて生成したＣＳＩを前記基地局に報告するものの、
前記端末が前記複数のパネルに対する広帯域（ＷＢ）パネル補償子及びサブバンド（ＳＢ）パネル補償子を前記ＣＳＩとして報告する場合、
前記ＷＢパネル補償子及び前記ＳＢパネル補償子は、互いに異なるビット幅で報告する、端末。
【請求項１２】
前記ＷＢパネル補償子及び前記ＳＢパネル補償子は、前記複数のパネルの間の位相補正に使用される、請求項１１に記載の端末。
【請求項１３】
前記ＳＢパネル補償子のビット幅は、前記ＷＢパネル補償子のビット幅より小さい、請求項１２に記載の端末。
【請求項１４】
前記ＳＢパネル補償子のビット幅は、１-ビット、前記ＷＢパネル補償子のビット幅は、２-ビットである、請求項１３に記載の端末。
【請求項１５】
前記ＷＢパネル補償子は、ＱＰＳＫに基づいて報告され、前記ＳＢパネル補償子は、ＢＰＳＫに基づいて報告される、請求項１４に記載の端末。
【発明の詳細な説明】
【技術分野】
【０００１】
本発明は、無線通信システムに関し、さらに詳細には、チャネル状態情報（Ｃｈａｎｎｅｌ  Ｓａｔｅ  Ｉｎｆｏｒｍａｔｉｏｎ）を報告するための方法及びこれを遂行／支援する装置に関する。
【背景技術】
【０００２】
移動通信システムは、ユーザの活動性を保障しながら音声サービスを提供するために開発された。しかしながら、移動通信システムは、音声だけでなくデータサービスまで領域を拡張し、現在では、爆発的なトラフィックの増加によって資源の不足現象が引き起こされ、ユーザがより高速のサービスを要求するので、より発展した移動通信システムが要求されている。
【０００３】
次世代移動通信システムの要求条件は、大きく爆発的なデータトラフィックの収容、ユーザ当たりの送信率の画期的な増加、大幅増加した接続デバイス数の収容、非常に低いエンドツーエンド遅延（End-to-End Latency）、高エネルギー効率をサポートできなければならない。このために、多重続性（Dual Connectivity）、大規模多重入出力（Ｍａｓｓｉｖｅ  ＭＩＭＯ：Massive Multiple Input Multiple Output）、全二重（In-band Full Duplex）、非直交多重接続（ＮＯＭＡ：Non-Orthogonal Multiple Access）、超広帯域（Super wideband）サポート、端末ネットワーキング（Device Networking）等、多様な技術が研究されている。 
【発明の概要】
【発明が解決しようとする課題】
【０００４】
本発明の目的は、チャネル状態情報（ＣＳＩ：Ｃｈａｎｎｅｌ  Ｓｔａｔｅ  Ｉｎｆｏｒｍａｔｉｏｎ）を送受信するための方法を提案する。
【０００５】
また、本発明の目的は、端末のチャネル状態情報送受信を支援するために送信される制御設定情報を送受信するための方法を提案する。
【０００６】
また、本発明の目的は、ＣＳＩ報告／フィードバックのための多様なコードブックを提案するのに目的がある。特に、本発明の目的は、ＮＲで新しく導入された複数パネルを介したビームフォーミングを支援するための新しいコードブックを提案するのに目的がある。
【０００７】
本発明で達成しようとする技術的課題は以上で言及した技術的課題に制限されず、言及しない更に他の技術的課題は以下の記載から本発明が属する技術分野で通常の知識を有する者に明確に理解できるはずである。
【課題を解決するための手段】
【０００８】
本発明の一様相は、無線通信システムにおいて端末のチャネル状態情報（Ｃｈａｎｎｅｌ  Ｓｔａｔｅ  Ｉｎｆｏｒｍａｔｉｏｎ；ＣＳＩ）を報告する方法であって、基地局から複数（Ｍｕｌｔｉ）のパネルを介して送信されたＣＳＩ-ＲＳ（ｒｅｆｅｒｅｎｃｅ  ｓｉｇｎａｌ）を測定するステップと、前記ＣＳＩ-ＲＳ測定に基づいて生成したＣＳＩを前記基地局に報告するステップとを含むものの、前記端末が前記複数のパネルに対するＷＢ（Ｗｉｄｅｂａｎｄ）パネル補償子（ｃｏｒｒｅｃｔｏｒ）及びＳＢ（Ｓｕｂｂａｎｄ）パネル補償子を前記ＣＳＩとして報告する場合、前記ＷＢパネル補償子及び前記ＳＢパネル補償子は、互いに異なるビット幅（ｗｉｄｔｈ）で報告されることができる。
【０００９】
また、前記ＷＢパネル補償子及び前記ＳＢパネル補償子は、前記複数のパネルの間の位相補正に使用されることができる。
【００１０】
また、前記ＳＢパネル補償子のビット幅は、前記ＷＢパネル補償子のビット幅より小さくありうる。
【００１１】
また、前記ＳＢパネル補償子のビット幅は、１-ビット、前記ＷＢパネル補償子のビット幅は、２-ビットでありうる。
【００１２】
また、前記ＷＢパネル補償子は、ＱＰＳＫ（ｑｕａｄｒａｔｕｒｅ  ｐｈａｓｅ-ｓｈｉｆｔ  ｋｅｙｉｎｇ）に基づいて報告され、前記ＳＢパネル補償子は、ＢＰＳＫ（ｂｉｎａｒｙ  ｐｈａｓｅ-ｓｈｉｆｔ  ｋｅｙｉｎｇ）に基づいて報告されることができる。
【００１３】
また、前記ＣＳＩとして前記ＷＢパネル補償子のみを報告する場合、前記ＷＢパネル補償子は、２-ビットのビット幅で報告されることができる。
【００１４】
また、前記複数のパネルの個数は、上位階層シグナリングにより設定されることができる。
【００１５】
また、前記ＷＢパネル補償子及び／または前記ＳＢパネル補償子の報告は、前記上位階層シグナリングにより設定されることができる。
【００１６】
また、前記ＷＢパネル補償子及び前記ＳＢパネル補償子は、前記ＣＳＩないしＰＭＩ（Ｐｒｅｃｏｄｉｎｇ  Ｍａｔｒｉｘ  Ｉｎｄｅｘ）に含まれて報告されることができる。
【００１７】
また、前記ＷＢパネル補償子及び前記ＳＢパネル補償子は、前記複数のパネル各々に対して独立的に報告されることができる。
【００１８】
また、本発明の他の様相は、無線通信システムにおいてチャネル状態情報-参照信号（ＣＳＩ-ＲＳ（Ｒｅｆｅｒｅｎｃｅ  ｓｉｇｎａｌ））を受信する端末であって、無線信号を送受信するためのＲＦ（Ｒａｄｉｏ  Ｆｒｅｑｕｅｎｃｙ）ユニットと、前記ＲＦユニットを制御するプロセッサとを含み、前記プロセッサは、基地局から複数（Ｍｕｌｔｉ）のパネルを介して送信されたＣＳＩ-ＲＳ（ｒｅｆｅｒｅｎｃｅ  ｓｉｇｎａｌ）を測定し、前記ＣＳＩ-ＲＳ測定に基づいて生成したＣＳＩを前記基地局に報告するものの、前記端末が前記複数のパネルに対するＷＢ（Ｗｉｄｅｂａｎｄ）パネル補償子（ｃｏｒｒｅｃｔｏｒ）及びＳＢ（Ｓｕｂｂａｎｄ）パネル補償子を前記ＣＳＩとして報告する場合、前記ＷＢパネル補償子及び前記ＳＢパネル補償子は、互いに異なるビット幅（ｗｉｄｔｈ）で報告することができる。
【００１９】
また、前記ＷＢパネル補償子及び前記ＳＢパネル補償子は、前記複数のパネルの間の位相補正に使用されることができる。
【００２０】
また、前記ＳＢパネル補償子のビット幅は、前記ＷＢパネル補償子のビット幅より小さくありうる。
【００２１】
また、前記ＳＢパネル補償子のビット幅は、１-ビット、前記ＷＢパネル補償子のビット幅は、２-ビットでありうる。
【００２２】
また、前記ＷＢパネル補償子は、ＱＰＳＫ（ｑｕａｄｒａｔｕｒｅ  ｐｈａｓｅ-ｓｈｉｆｔ  ｋｅｙｉｎｇ）に基づいて報告され、前記ＳＢパネル補償子は、ＢＰＳＫ（ｂｉｎａｒｙ  ｐｈａｓｅ-ｓｈｉｆｔ  ｋｅｙｉｎｇ）に基づいて報告されることができる。
【発明の効果】
【００２３】
本発明の実施の形態によれば、端末が円滑にＣＳＩを導き出し、これを基地局にフィードバックできる。
【００２４】
また、本発明の実施の形態によれば、マルチパネルアレイが新しく導入されたＮＲのためのコードブックが定義されて、ＮＲにどんなコードブックを適用するのかに対する曖昧性が解決されるという効果がある。
【００２５】
また、本発明の実施の形態によれば、ＳＢ特性を考慮して、ＷＢパネル補償子とＳＢパネル補償子とのビット幅を異なるように定義するので、シグナリングオーバヘッドが大きく増加させないながら、正確なＣＳＩを基地局に報告できるという長所を有する。
【００２６】
本発明で得ることができる効果は、以上で言及した効果に制限されず、言及しない更に他の効果は以下の記載から本発明が属する技術分野で通常の知識を有する者に明確に理解できるはずである。
【図面の簡単な説明】
【００２７】
本発明に関する理解を助けるために詳細な説明の一部に含まれる添付図面は本発明に対する実施形態を提供し、詳細な説明と共に本発明の技術的特徴を説明する。
【００２８】
【図１】本発明が適用されることができる無線通信システムにおいて無線フレームの構造を示す。
【図２】本発明が適用されることができる無線通信システムにおいて一つのダウンリンクスロットに対する資源グリッド（ｒｅｓｏｕｒｃｅ  ｇｒｉｄ）を例示した図である。
【図３】本発明が適用されることができる無線通信システムにおいてダウンリンクサブフレームの構造を示す。
【図４】本発明が適用されることができる無線通信システムにおいてアップリンクサブフレームの構造を示す。
【図５】一般的な多重入出力アンテナ（ＭＩＭＯ）通信システムの構成図である。
【図６】多数の送信アンテナから一つの受信アンテナへのチャネルを示した図である。
【図７】本発明が適用されることができる無線通信システムにいてダウンリンク資源ブロック対にマッピングされた参照信号パターンを例示する。
【図８】本発明が適用されることができる無線通信システムにおいて参照信号がマッピングされる資源を例示する図である。
【図９】本発明が適用されることができる無線通信システムにおいて参照信号がマッピングされる資源を例示する図である。
【図１０】本発明が適用されることができる無線通信システムにおいて、６４個のアンテナ要素（ａｎｔｅｎｎａ  ｅｌｅｍｅｎｔｓ）を有する２次元能動アンテナシステムを例示する。
【図１１】本発明が適用されることができる無線通信システムにおいて基地局または端末がＡＡＳ基盤の３Ｄ（３-Ｄｉｍｅｎｓｉｏｎ）ビームフォーミングが可能な多数の送／受信アンテナを有しているシステムを例示する。
【図１２】本発明が適用されることができる無線通信システムにおいて交差偏波（ｃｒｏｓｓ  ｐｏｌａｒｉｚａｔｉｏｎ）を有する２次元アンテナシステムを例示する。
【図１３】本発明が適用されることができる無線通信システムにおいてトランシーバーユニットモデルを例示する。
【図１４】本発明が適用されることができるｓｅｌｆ-ｃｏｎｔａｉｎｅｄ  ｓｕｂｆｒａｍｅ構造を例示する。
【図１５】ＴＸＲＵ及び物理的アンテナの観点でハイブリッドビームフォーミング構造を図式化した図である。
【図１６】ＤＬ送信過程において同期化信号とシステム情報に対するビームスウィーピング動作を図式化した図である。
【図１７】本発明に適用されることができるパネルアンテナアレイを例示する。
【図１８】本発明に適用されることができる２Ｄポートレイアウトの場合、Ｌ＝２の候補ビームグループパターンを例示する。
【図１９】本発明に適用されることができる２Ｄポートレイアウトの場合、Ｌ＝４の候補ビームグループパターンを例示する。
【図２０】本発明の一実施の形態による不-均一ポートアレイを例示した図である。
【図２１】本発明の一実施の形態によるＮ１＝４、Ｏ１＝４、Ｎ２＝２、Ｏ２＝４の場合のＧｏＢを例示した図である。
【図２２】Ｎ１＝４、Ｏ１＝４、Ｎ２＝２、Ｏ２＝４の場合、ウィンドウ設定方法を例示した図である。
【図２３】本発明の一実施の形態による端末のＣＳＩ報告方法を例示したフローチャートである。
【図２４】本発明の一実施の形態による無線通信装置のブロック構成図を例示する。
【発明を実施するための形態】
【００２９】
以下、本発明にかかる好ましい実施の形態を添付された図面を参照して詳細に説明する。添付された図面と共に以下に開示する詳細な説明は、本発明の例示的な実施の形態を説明するためのものであり、本発明が実施されうる唯一の実施の形態を示すためのものではない。以下の詳細な説明は、本発明の完全な理解を提供するために具体的細部事項を含む。しかしながら、当業者は、本発明がこのような具体的細部事項がなくても実施できることを理解すべきである。
【００３０】
いくつかの場合、本発明の概念が曖昧になることを避けるために、公知の構造及び装置は省略されるか、または各構造及び装置の核心機能を中心にしたブロック図形式で示されることができる。
【００３１】
本明細書において基地局は、端末と直接的に通信を行うネットワークの終端ノード（terminal node）としての意味を有する。本文書において基地局により行われると説明された特定動作は、場合によっては、基地局の上位ノード（upper node）により行われても良い。即ち、基地局を含む多数のネットワークノード（network nodes）からなるネットワークにおいて端末との通信のために行われる多様な動作は、基地局または基地局以外の他のネットワークノードにより行われうることは明らかである。「基地局（ＢＳ：Base Station）」は、固定局（fixed station）、ＮｏｄｅＢ、ｅＮＢ（evolved-NodeB）、ＢＴＳ（base transceiver system）、アクセスポイント（ＡＰ：Access Point）などの用語により代替されることができる。また、「端末（Terminal）」は、固定されるか、または移動性を有することができ、ＵＥ（User Equipment）、ＭＳ（Mobile Station）、ＵＴ（user terminal）、ＭＳＳ（Mobile subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置などの用語に代替されることができる。
【００３２】
以下、ダウンリンク（ＤＬ：downlink）は、基地局から端末への通信を意味し、アップリンク（ＵＬ：uplink）は、端末から基地局への通信を意味する。ダウンリンクにおける送信機は、基地局の一部で、受信機は、端末の一部でありうる。アップリンクにおける送信機は、端末の一部で、受信機は、基地局の一部でありうる。
【００３３】
以下の説明において用いられる特定用語は、本発明の理解に役立つために提供されたものであり、このような特定用語の使用は、本発明の技術的思想から外れない範囲内で他の形態に変更されることができる。
【００３４】
以下の技術は、ＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などのような多様な無線接続システムに利用されることができる。ＣＤＭＡは、ＵＴＲＡ（universal terrestrial radio access）またはＣＤＭＡ２０００のような無線技術（radio technology）により具現化されることができる。ＴＤＭＡは、ＧＳＭ（global system for mobile communications）／ＧＰＲＳ（general packet radio service）／ＥＤＧＥ（enhanced data rates for GSM evolution）のような無線技術により具現化されることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などのような無線技術により具現化されることができる。ＵＴＲＡは、ＵＭＴＳ（universal mobile telecommunications system）の一部である。３ＧＰＰ（3rd generation partnership project）ＬＴＥ（long term evolution）は、Ｅ−ＵＴＲＡを使用するＥ−ＵＭＴＳ（evolved UMTS）の一部であり、ダウンリンクにおいてＯＦＤＭＡを採用し、アップリンクにおいてＳＣ−ＦＤＭＡを採用する。ＬＴＥ−Ａ（advanced）は、３ＧＰＰ ＬＴＥの進化である。
【００３５】
本発明の実施の形態は、無線接続システムであるＩＥＥＥ ８０２、３ＧＰＰ及び３ＧＰＰ２のうち、少なくとも１つに開示された標準文書により裏付けられることができる。即ち、本発明の実施の形態のうち、本発明の技術的思想を明確にあらわすために、説明しないステップまたは部分は、前記文書により裏付けられることができる。また、本文書に開示しているすべての用語は、前記標準文書により説明されることができる。
【００３６】
説明を明確にするために、３ＧＰＰ ＬＴＥ／ＬＴＥ−Ａ/NR(5G)を中心に述べるが、本発明の技術的特徴がこれに制限されることではない。
【００３７】
本発明が適用されることができる無線通信システム一般
【００３８】
図１は、本発明が適用されることができる無線通信システムにおいて無線フレームの構造を示す。
【００３９】
３ＧＰＰ  ＬＴＥ／ＬＴＥ-Ａでは、ＦＤＤ（Ｆｒｅｑｕｅｎｃｙ  Ｄｉｖｉｓｉｏｎ  Ｄｕｐｌｅｘ）に適用可能なタイプ１無線フレーム（ｒａｄｉｏ  ｆｒａｍｅ）構造とＴＤＤ（Ｔｉｍｅ  Ｄｉｖｉｓｉｏｎ  Ｄｕｐｌｅｘ）に適用可能なタイプ２の無線フレーム構造を支援する。
【００４０】
図１において無線フレームの時間領域での大きさは、Ｔ＿ｓ＝１／（１５０００＊２０４８）の時間単位の倍数で表現される。ダウンリンク及びアップリンク送信は、Ｔ＿ｆ＝３０７２００＊Ｔ＿ｓ＝１０ｍｓの区間を有する無線フレームから構成される。
【００４１】
図１の（ａ）は、タイプ１無線フレームの構造を例示する。タイプ１無線フレームは、全二重（ｆｕｌｌ  ｄｕｐｌｅｘ）及び半二重（ｈａｌｆ  ｄｕｐｌｅｘ）ＦＤＤに全部適用されることができる。
【００４２】
無線フレーム（ｒａｄｉｏ  ｆｒａｍｅ）は、１０個のサブフレーム（ｓｕｂｆｒａｍｅ）から構成される。一つの無線フレームは、Ｔ＿ｓｌｏｔ＝１５３６０＊Ｔ＿ｓ＝０．５ｍｓ長の２０個のスロットから構成され、各スロットは、０から１９までのインデックスが付与される。一つのサブフレームは、時間領域（ｔｉｍｅ  ｄｏｍａｉｎ）において連続的な２個のスロット（ｓｌｏｔ）から構成され、サブフレームｉは、スロット２ｉ及びスロット２ｉ＋１から構成される。一つのサブフレームを送信するのにかかる時間をＴＴＩ（ｔｒａｎｓｍｉｓｓｉｏｎ  ｔｉｍｅ  ｉｎｔｅｒｖａｌ）という。例えば、一つのサブフレームの長さは１ｍｓで、一つのスロットの長さは０．５ｍｓでありうる。
【００４３】
ＦＤＤでアップリンク送信及びダウンリンク送信は、周波数ドメインにおいて区分される。全二重ＦＤＤに制限がないことに対し、半二重ＦＤＤ動作において端末は、同時に送信及び受信することができない。
【００４４】
一つのスロットは、時間領域において複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域において多数の資源ブロック（ＲＢ：Ｒｅｓｏｕｒｃｅ  Ｂｌｏｃｋ）を含む。３ＧＰＰ  ＬＴＥは、ダウンリンクでＯＦＤＭＡを使用するので、ＯＦＤＭシンボルは、一つのシンボル区間（ｓｙｍｂｏｌ  ｐｅｒｉｏｄ）を表現するためのものである。ＯＦＤＭシンボルは、一つのＳＣ-ＦＤＭＡシンボルまたはシンボル区間ということができる。資源ブロック（Ｒｅｓｏｕｒｃｅ  Ｂｌｏｃｋ）は、資源割り当て単位で、一つのスロットにおいて複数の連続的な副搬送波（ｓｕｂｃａｒｒｉｅｒ）を含む。
【００４５】
図１の（ｂ）は、タイプ２フレーム構造（ｆｒａｍｅ  ｓｔｒｕｃｔｕｒｅ  ｔｙｐｅ２）を示す。
【００４６】
タイプ２無線フレームは、各１５３６００＊Ｔ＿ｓ＝５ｍｓの長さの２個のハーフフレーム（ｈａｌｆ  ｆｒａｍｅ）から構成される。各ハーフフレームは、３０７２０＊Ｔ＿ｓ＝１ｍｓ長さの５個のサブフレームから構成される。
【００４７】
ＴＤＤシステムのタイプ２フレーム構造においてアップリンク-ダウンリンク構成（ｕｐｌｉｎｋ-ｄｏｗｎｌｉｎｋ  ｃｏｎｆｉｇｕｒａｔｉｏｎ）は、すべてのサブフレームに対してアップリンクとダウンリンクが割り当てられる（または予約される）かどうかを表す規則である。
【００４８】
表１は、アップリンク-ダウンリンク構成を表す。
【００４９】
表１
【表１】
2019526973.tif 000003
【００５０】
表１を参照すると、無線フレームの各サブフレーム別に、「Ｄ」は、ダウンリンク送信のためのサブフレームを表し、「Ｕ」は、アップリンク送信のためのサブフレームを表し、「Ｓ」は、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）３とおりのフィールドから構成されるスペシャルサブフレーム（ｓｐｅｃｉａｌ  ｓｕｂｆｒａｍｅ）を表す。
【００５１】
ＤｗＰＴＳは、端末での初期セル探索、同期化またはチャネル推定に使用される。ＵｐＰＴＳは、基地局でのチャネル推定と端末のアップリンク送信同期を合せるのに使用される。ＧＰは、アップリンクとダウンリンクとの間にダウンリンク信号の多重経路遅延によりアップリンクで生じる干渉を除去するための区間である。
【００５２】
各サブフレームｉは、各Ｔ＿ｓｌｏｔ＝１５３６０＊Ｔ＿ｓ＝０．５ｍｓ長のスロット２ｉ及びスロット２ｉ＋１から構成される。
【００５３】
アップリンク-ダウンリンク構成は、７通りに区分されることができ、各構成別にダウンリンクサブフレーム、スペシャルサブフレーム、アップリンクサブフレームの位置及び／または個数が異なる。
【００５４】
表２は、スペシャルサブフレームの構成（ＤｗＰＴＳ／ＧＰ／ＵｐＰＴＳの長さ）を示す。
【００５５】
表２
【表２】
2019526973.tif 000004
【００５６】
図１の例示による無線フレームの構造は、一つの例示に過ぎず、無線フレームに含まれる副搬送波の数またはサブフレームに含まれるスロットの数、スロットに含まれるＯＦＤＭシンボルの数は、多様に変更されることができる。
【００５７】
図２は、本発明が適用されることができる無線通信システムにおいて一つのダウンリンクスロットに対する資源グリッド（ｒｅｓｏｕｒｃｅ  ｇｒｉｄ）を例示した図である。
【００５８】
図２を参照すると、一つのダウンリンクスロットは、時間領域で複数のＯＦＤＭシンボルを含む。ここで、一つのダウンリンクスロットは、７個のＯＦＤＭシンボルを含み、一つの資源ブロックは、周波数領域で１２個の副搬送波を含むのを例示的に述べているが、これに限定されるものではない。
【００５９】
資源グリッド上において各要素（ｅｌｅｍｅｎｔ）を資源要素（ｒｅｓｏｕｒｃｅ  ｅｌｅｍｅｎｔ）といい、一つの資源ブロック（ＲＢ：Ｒｅｓｏｕｒｃｅ  Ｂｌｏｃｋ）は、１２×７個の資源要素を含む。ダウンリンクスロットに含まれる資源ブロックの数Ｎ＾ＤＬは、ダウンリンク送信帯域幅（ｂａｎｄｗｉｄｔｈ）に従属する。
【００６０】
アップリンクスロットの構造は、ダウンリンクスロットの構造と同一でありうる。
【００６１】
図３は、本発明が適用されることができる無線通信システムにおいてダウンリンクサブフレームの構造を示す。
【００６２】
図３を参照すると、サブフレーム内の第１番目のスロットで前の最大３個のＯＦＤＭシンボルが制御チャネルが割り当てられる制御領域（ｃｏｎｔｒｏｌ  ｒｅｇｉｏｎ）で、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域（ｄａｔａ  ｒｅｇｉｏｎ）である。３ＧＰＰ  ＬＴＥで使用されるダウンリンク制御チャネルの一例としてＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ-ＡＲＱ  Ｉｎｄｉｃａｔｏｒ  Ｃｈａｎｎｅｌ）などがある。
【００６３】
ＰＣＦＩＣＨは、サブフレームの第１番目のＯＦＤＭシンボルから送信され、サブフレーム内に制御チャネルの送信のために使用されるＯＦＤＭシンボルの数（すなわち、制御領域の大きさ）に関する情報を運ぶ。ＰＨＩＣＨは、アップリンクに対する応答チャネルで、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ-Ａｃｋｎｏｗｌｅｄｇｅｍｅｎｔ）信号を運ぶ。ＰＤＣＣＨを介して送信される制御情報をダウンリンク制御情報（ＤＣＩ：ｄｏｗｎｌｉｎｋ  ｃｏｎｔｒｏｌ  ｉｎｆｏｒｍａｔｉｏｎ）という。ダウンリンク制御情報は、アップリンク資源割り当て情報、ダウンリンク資源割り当て情報または任意の端末グループに対するアップリンク送信（Ｔｘ）パワー制御命令を含む。
【００６４】
図４は、本発明が適用されることができる無線通信システムにおいてアップリンクサブフレームの構造を示す。
【００６５】
図４を参照すると、アップリンクサブフレームは、周波数領域で制御領域とデータ領域とに分けることができる。制御領域には、アップリンク制御情報を運ぶＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、ユーザデータを運ぶＰＵＳＣＨ（Ｐｈｙｓｉｃａｌ  Ｕｐｌｉｎｋ  Ｓｈａｒｅｄ  Ｃｈａｎｎｅｌ）が割り当てられる。単一搬送波特性を維持するために、一つの端末は、ＰＵＣＣＨとＰＵＳＣＨを同時に送信しない。
【００６６】
一つの端末に対するＰＵＣＣＨには、サブフレーム内に資源ブロック（ＲＢ：Ｒｅｓｏｕｒｃｅ  Ｂｌｏｃｋ）対が割り当てられる。ＲＢ対に属するＲＢは、２個のスロットの各々において互いに異なる副搬送波を占める。これを、ＰＵＣＣＨに割り当てられたＲＢ対は、スロット境界（ｓｌｏｔ ｂｏｕｎｄａｒｙ）から周波数跳躍（ｆｒｅｑｕｅｎｃｙ  ｈｏｐｐｉｎｇ）されるという。
【００６７】
ＭＩＭＯ（Ｍｕｌｔｉ-ＩｎｐｕｔＭｕｌｔｉ-Ｏｕｔｐｕｔ）
【００６８】
ＭＩＭＯ技術は、いままで一般に一個の送信アンテナと一個の受信アンテナを使用していたことから脱皮して、多重送信（Ｔｘ）アンテナと多重受信（Ｒｘ）アンテナを使用する。言い換えれば、ＭＩＭＯ技術は、無線通信システムの送信端または受信端において多重入出力アンテナを使用して容量増大または性能改善を試みるための技術である。以下、「ＭＩＭＯ」を「多重入出力アンテナ」と称する。
【００６９】
さらに具体的に、多重入出力アンテナ技術は、一つの完全なメッセージ（ｔｏｔａｌ  ｍｅｓｓａｇｅ）を受信するために、一個のアンテナ経路に依存しなく、複数のアンテナを介して受信した複数のデータ片を収集して完全なデータを完成させる。結果的に、多重入出力アンテナ技術は、特定システム範囲内でデータ送信率を増加させることができ、また特定データ送信率を介してシステム範囲を増加させることができる。
【００７０】
次世代移動通信は、従来の移動通信に比べてはるかに高いデータ送信率を要求するので、効率的な多重入出力アンテナ技術が必ず必要になると予想される。このような状況でＭＩＭＯ通信技術は、移動通信端末と中継器などに幅広く使用することができる次世代移動通信技術であり、データ通信拡大などにより限界状況により他の移動通信の送信量限界を克服できる技術として関心を集めている。
【００７１】
一方、現在研究されている多様な送信効率向上技術のうち、多重入出力アンテナ（ＭＩＭＯ）技術は、追加的な周波数の割り当てまたは電力増加がなくても、通信容量及び送受信性能を画期的に向上させることができる方法として、現在最も大きな注目を受けている。
【００７２】
図５は、一般的な多重入出力アンテナ（ＭＩＭＯ）通信システムの構成図である。
【００７３】
図５を参照すると、送信アンテナの数をＮ＿Ｔ個に、受信アンテナの数をＮ＿Ｒ個に同時に増やすようになると、送信機または受信機においてのみ多数のアンテナを使用するようになる場合とは異なり、アンテナ数に比例して理論的なチャネル送信容量が増加するので、送信レート（ｔｒａｎｓｆｅｒ  ｒａｔｅ）を向上させ、周波数効率を画期的に向上させることができる。この場合、チャネル送信容量の増加に応じる送信レートは、一つのアンテナを利用する場合の最大送信レート（Ｒ＿ｏ）に次のようなレート増加率（Ｒ＿ｉ）が掛けられた分だけ理論的に増加できる。
【００７４】
【数１】
2019526973.tif 000005
【００７５】
すなわち、例えば、４個の送信アンテナと４個の受信アンテナを利用するＭＩＭＯ通信システムでは、単一アンテナシステムに比べて理論上４倍の送信レートを獲得できる。
【００７６】
このような多重入出力アンテナの技術は、多様なチャネル経路を通過したシンボルを利用して送信信頼度を上げる空間ダイバーシチ（ｓｐａｔｉａｌ  ｄｉｖｅｒｓｉｔｙ）方式と、多数の送信アンテナを利用して多数のデータシンボルを同時に送信して送信率を向上させる空間マルチプレクス（ｓｐａｔｉａｌ  ｍｕｌｔｉｐｌｅｘｉｎｇ）方式とに分けることができる。また、このような２通りの方式を適切に結合して、各々の長所を適切に得ようとする方式に対する研究も、最近たくさん研究されている分野である。
【００７７】
各々の方式に対して、もう少し具体的に述べると、以下のとおりである。
【００７８】
第一に、空間ダイバーシチ方式の場合には、時空間ブロック符号系列と、ダイバーシチ利得と符号化利得を同時に利用する時空間トレリス（Ｔｒｅｌｉｓ）符号系列方式がある。一般にビットエラー率の改善性能と符号生成自由度は、トレリス符号方式が優秀であるが、演算複雑度は、時空間ブロック符号が簡単である。このような空間ダイバーシチ利得は、送信アンテナ数（Ｎ＿Ｔ）と受信アンテナ数（Ｎ＿Ｒ）の積（Ｎ＿Ｔ×Ｎ＿Ｒ）に該当する量を得ることができる。
【００７９】
第２に、空間マルチプレクス技法は、各送信アンテナから互いに異なるデータ列を送信する方法であるが、このとき、受信機では、送信機から同時に送信されたデータの間に相互干渉が発生するようになる。受信機では、この干渉を適切な信号処理技法を利用して除去した後に受信する。ここに使用される雑音除去方式は、ＭＬＤ（ｍａｘｉｍｕｍ  ｌｉｋｅｌｉｈｏｏｄ  ｄｅｔｅｃｔｉｏｎ）受信機、ＺＦ（ｚｅｒｏ-ｆｏｒｃｉｎｇ）受信機、ＭＭＳＥ（ｍｉｎｉｍｕｍ  ｍｅａｎ  ｓｑｕａｒｅ  ｅｒｒｏｒ）受信機、Ｄ-ＢＬＡＳＴ（Ｄｉａｇｏｎａｌ-Ｂｅｌｌ  Ｌａｂｏｒａｔｏｒｉｅｓ  Ｌａｙｅｒｅｄ  Ｓｐａｃｅ-Ｔｉｍｅ）、Ｖ-ＢＬＡＳＴ（Ｖｅｒｔｉｃａｌ-Ｂｅｌｌ  Ｌａｂｏｒａｔｏｒｉｅｓ  Ｌａｙｅｒｅｄ  Ｓｐａｃｅ-Ｔｉｍｅ）などがあり、特に送信端でチャネル情報が分かる場合には、ＳＶＤ（ｓｉｎｇｕｌａｒ  ｖａｌｕｅ  ｄｅｃｏｍｐｏｓｉｔｉｏｎ）方式などを使用することができる。
【００８０】
第３に、空間ダイバーシチと空間マルチプレクスの結合された技法を例に挙げることができる。空間ダイバーシチ利得だけを得る場合、ダイバーシチ次数の増加に応じる性能改善利得が順次飽和し、空間マルチプレクス利得だけを取ると、無線チャネルにおいて送信信頼度が低下する。これを解決しながら２通りの利得を全て得る方式が研究されてきたし、このうち、空間ブロック符号（Ｄｏｕｂｌｅ-ＳＴＴＤ）、時空間ＢＩＣＭ（ＳＴＢＩＣＭ）などの方式がある。
【００８１】
上述のような多重入出力アンテナシステムにおける通信方法をさらに具体的な方法で説明するために、これを数学的にモデリングする場合、次のように表すことができる。
【００８２】
まず、図５に示すように、Ｎ＿Ｔ個の送信アンテナとＮ＿Ｒ個の受信アンテナが存在すると仮定する。
【００８３】
まず、送信信号に対して述べると、このようにＮ＿Ｔ個の送信アンテナがある場合、最大送信可能な情報は、Ｎ＿Ｔ個であるので、これを次のようなベクトルで表すことができる。
【００８４】
【数２】
2019526973.tif 000006
【００８５】
一方、各々の送信情報ｓ＿１，ｓ＿２，．．．，ｓ＿Ｎ＿Ｔにおいて送信電力を異にすることができ、このとき、各々の送信電力をＰ＿１，Ｐ＿２，．．．，Ｐ＿Ｎ＿Ｔとすると、送信電力が調整された送信情報は、次のようなベクトルで表すことができる。
【００８６】
【数３】
2019526973.tif 000007
【００８７】
また、数式３の送信電力が調整された送信情報を送信電力の対角行列Ｐで次のように表すことができる。
【００８８】
【数４】
2019526973.tif 000008
【００８９】
一方、数式４の送信電力が調整された情報ベクトルは、その後加重値行列Ｗが掛けられて実際に送信されるＮ＿Ｔ個の送信信号ｘ＿１，ｘ＿２，．．．，ｘ＿Ｎ＿Ｔを構成する。ここで、加重値行列は、送信チャネル状況などによって送信情報を各アンテナに適切に分配する役割を行う。このような送信信号ｘ＿１，ｘ＿２，．．．，ｘ＿Ｎ＿Ｔを、ベクトルｘを利用して次のように表すことができる。
【００９０】
【数５】
2019526973.tif 000009
【００９１】
式中、ｗ＿ｉｊは、ｉ番目の送信アンテナとｊ番目の送信情報間の加重値を表し、Ｗは、これを行列で表したものである。このような行列Ｗを加重値行列（Ｗｅｉｇｈｔ  Ｍａｔｒｉｘ）またはプリコーディング行列（Ｐｒｅｃｏｄｉｎｇ  Ｍａｔｒｉｘ）と呼ぶ。
【００９２】
一方、上述のような送信信号（ｘ）は、空間ダイバーシチを使用する場合と空間マルチプレクシングを使用する場合とに分けて考えてみることができる。
【００９３】
空間マルチプレクシングを使用する場合は、互いに異なる信号を多重化して送るようになるので、情報ベクトルｓの元素が全部異なる値を有するようになることに対し、空間ダイバーシチを使用するようになると、同じ信号を複数のチャネル経路を通じて送るようになるので、情報ベクトルｓの元素が全部同じ値を有するようになる。
【００９４】
もちろん、空間マルチプレクシングと空間ダイバーシチを混合する方法も考慮可能である。すなわち、例えば３個の送信アンテナを介して同じ信号を空間ダイバーシチを利用して送信し、残りは、各々異なる信号を空間マルチプレクシングして送る場合も考慮することができる。
【００９５】
次に、受信信号は、Ｎ＿Ｒ個の受信アンテナがある場合、各アンテナの受信信号ｙ＿１、ｙ＿２，．．．，ｙ＿Ｎ＿Ｒをベクトルｙで次のように表すことにする。
【００９６】
【数６】
2019526973.tif 000010
【００９７】
一方、多重入出力アンテナ通信システムにおけるチャネルをモデリングする場合、各々のチャネルは、送受信アンテナインデックスによって区分でき、送信アンテナｊから受信アンテナｉを経るチャネルをｈ＿ｉｊで表示することにする。ここで、ｈ＿ｉｊのインデックスの順序が受信アンテナインデックスが先、送信アンテナのインデックスが後であることに留意する。
【００９８】
このようなチャネルは、いくつかを一つにクループ化してベクトル及び行列形態でも表示可能である。ベクトル表示の例を挙げて説明すれば、次の通りである。
【００９９】
図６は、多数の送信アンテナから一つの受信アンテナへのチャネルを示した図である。
【０１００】
図６に示すように、総Ｎ＿Ｔ個の送信アンテナから受信アンテナｉに到着するチャネルは、次のように表現可能である。
【０１０１】
【数７】
2019526973.tif 000011
【０１０２】
また、前記式７のような行列表現を用いてＮ＿Ｔ個の送信アンテナからＮ＿Ｒ個の受信アンテナを経るチャネルを全部表す場合、次のように表すことができる。
【０１０３】
【数８】
2019526973.tif 000012
【０１０４】
一方、実際チャネルは、上のようなチャネル行列Ｈを経た後に白色雑音（ＡＷＧＮ：Ａｄｄｉｔｉｖｅ  Ｗｈｉｔｅ  Ｇａｕｓｓｉａｎ  Ｎｏｉｓｅ）が加えられるようになるので、Ｎ＿Ｒ個の受信アンテナの各々に加えられる白色雑音ｎ＿１，ｎ＿２，．．．，ｎ＿Ｎ＿Ｒをベクトルで表現すれば、以下のとおりである。
【０１０５】
【数９】
2019526973.tif 000013
【０１０６】
上述のような送信信号、受信信号、チャネル、及び白色雑音のモデリングを介して多重入出力アンテナ通信システムでの各々は、次のような関係を介して表すことができる。
【０１０７】
【数１０】
2019526973.tif 000014
【０１０８】
一方、チャネルの状態を表すチャネル行列Ｈの行と列の個数は、送受信アンテナ数によって決定される。チャネル行列Ｈは、上述のように行の数は、受信アンテナの数Ｎ＿Ｒと同じくなり、列の個数は、送信アンテナの数Ｎ＿Ｔと同じくなる。すなわち、チャネル行列Ｈは、Ｎ＿Ｒ×Ｎ＿Ｔ行列になる。
【０１０９】
一般に、行列のランク（ｒａｎｋ）は、互いに独立な（ｉｎｄｅｐｅｎｄｅｎｔ）行または列の個数の中で最小の個数で定義される 。したがって、行列のランクは、行または列の個数より大きくなってはならない。数式的に例を挙げれば、チャネル行列Ｈのランク（ｒａｎｋ（Ｈ））は、次のように制限される。
【０１１０】
【数１１】
2019526973.tif 000015
【０１１１】
また、行列を固有値分解（Ｅｉｇｅｎ  ｖａｌｕｅ  ｄｅｃｏｍｐｏｓｉｔｉｏｎ）をしたとき、ランクは、固有値（ｅｉｇｅｎ  ｖａｌｕｅ）のうち、０でない固有値の個数で定義することができる。似た方法で、ランクをＳＶＤ（ｓｉｎｇｕｌａｒ  ｖａｌｕｅ  ｄｅｃｏｍｐｏｓｉｔｉｏｎ）したとき、０でない特異値（ｓｉｎｇｕｌａｒ  ｖａｌｕｅ）の個数で定義することができる。したがって、チャネル行列においてランクの物理的な意味は、与えられたチャネルで互いに異なる情報を送ることができる最大数と言える。
【０１１２】
本明細書において、ＭＩＭＯ送信に対する「ランク（Ｒａｎｋ）」は、特定時点及び特定周波数資源において独立的に信号を送信できる経路の数を表し、「レイヤー（ｌａｙｅｒ）の数」は、各経路を介して送信される信号ストリームの数を表す。一般に、送信端は、信号送信に利用されるランク数に対応する数のレイヤーを送信するから、特別な言及がない限り、ランクは、レイヤーの数と同じ意味を有する。
【０１１３】
参照信号（ＲＳ：Ｒｅｆｅｒｅｎｃｅ  ｓｉｇｎａｌ）
【０１１４】
無線通信システムにおけるデータは、無線チャネルを介して送信されるから、信号は、送信中に歪曲されることができる。受信端で歪曲された信号を正確に受信するために、受信された信号の歪曲は、チャネル情報を利用して補正されなければならない。チャネル情報を検出するために、送信側と受信側ともが知っている信号送信方法と、信号がチャネルを介して送信される時に歪曲された程度を利用してチャネル情報を検出する方法を主に利用する。上述した信号をパイロット信号または参照信号（ＲＳ：ｒｅｆｅｒｅｎｃｅ  ｓｉｇｎａｌ）という。
【０１１５】
また、最近大部分の移動通信システムにおいてパケットを送信するとき、いままで一個の送信アンテナと一個の受信アンテナを使用したことから脱皮、多重送信アンテナと多重受信アンテナを採択して送受信データの効率を向上させることができる方法を使用する。多重入出力アンテナを利用してデータを送受信するとき、信号を正確に受信するために、送信アンテナと受信アンテナとの間のチャネル状態が検出されなければならない。したがって、各送信アンテナは、個別的な参照信号を持たなければならない。
【０１１６】
移動通信システムにおけるＲＳは、その目的によって大きく２通りに区分されることができる。チャネル状態情報獲得のための目的のＲＳとデータ復調のために使用されるＲＳがある。前者は、ＵＥがダウンリンクへのチャネル状態情報を獲得するのにその目的があるので、広帯域に送信されなければならず、特定サブフレームでダウンリンクデータを受信しないＵＥであっても、そのＲＳを受信し測定できなければならない。また、これは、ハンドオーバなどの無線資源管理（ＲＲＭ：Ｒａｄｉｏ  Ｒｅｓｏｕｒｃｅ  Ｍａｎａｇｅｍｅｎｔ）測定などのためにも使用される。後者は、基地局がダウンリンクを送る時、該当リソースに共に送るＲＳであって、ＵＥは、該当ＲＳを受信することによってチャネル推定を行うことができ、したがって、データを復調できるようになる。このＲＳは、データが送信される領域に送信されなければならない。
【０１１７】
下向き参照信号は、セル内のすべての端末が共有するチャネル状態に対する情報獲得及びハンドオーバなどの測定などのための一つの共通参照信号（ＣＲＳ：ｃｏｍｍｏｎ  ＲＳ）と特定端末だけのためにデータ復調のために使用される専用参照信号（ｄｅｄｉｃａｔｅｄ  ＲＳ）がある。このような参照信号を利用して、復調（ｄｅｍｏｄｕｌａｔｉｏｎ）とチャネル測定（ｃｈａｎｎｅｌ  ｍｅａｓｕｒｅｍｅｎｔ）のための情報を提供できる。すなわち、ＤＲＳは、データ復調用のみに使用され、ＣＲＳは、チャネル情報獲得及びデータ復調の２通りの目的として使用される。
【０１１８】
受信側（すなわち、端末）は、ＣＲＳからチャネル状態を測定し、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／またはＲＩ（Ｒａｎｋ  Ｉｎｄｉｃａｔｏｒ）のようなチャネル品質と関連した指示子を送信側（すなわち、基地局）にフィードバックする。ＣＲＳは、セル特定基準信号（ｃｅｌｌ-ｓｐｅｃｉｆｉｃ  ＲＳ）ともいう。これに対し、チャネル状態情報（ＣＳＩ：Ｃｈａｎｎｅｌ  Ｓｔａｔｅ  Ｉｎｆｏｒｍａｔｉｏｎ）のフィードバックと関連した参照信号をＣＳＩ-ＲＳと定義することができる。
【０１１９】
ＤＲＳは、ＰＤＳＣＨ上のデータ復調が必要な場合、資源要素を介して送信されることができる。端末は、上位階層を介してＤＲＳが存在するかどうかを受信することができ、相応するＰＤＳＣＨがマッピングされたときに限って有効である。ＤＲＳを端末特定参照信号（ＵＥ-ｓｐｅｃｉｆｉｃ  ＲＳ）または復調参照信号（ＤＭＲＳ：Ｄｅｍｏｄｕｌａｔｉｏｎ  ＲＳ）ということができる。
【０１２０】
図７は、本発明が適用されることができる無線通信システムにおいてダウンリンク資源ブロック対にマッピングされた参照信号パターンを例示する。
【０１２１】
図７を参照すると、参照信号がマッピングされる単位としてダウンリンク資源ブロック対は、時間領域において一つのサブフレーム×周波数領域において１２個の副搬送波で表すことができる。すなわち、時間軸（ｘ軸）上において一つの資源ブロック対は、一般循環前置（ｎｏｒｍａｌ  ＣＰ：ｎｏｒｍａｌ  Ｃｙｃｌｉｃ  Ｐｒｅｆｉｘ）の場合、１４個のＯＦＤＭシンボルの長さを有し（図７（ａ）の場合）、拡張循環前置（ｅｘｔｅｎｄｅｄ  ＣＰ：ｅｘｔｅｎｄｅｄ  Ｃｙｃｌｉｃ  Ｐｒｅｆｉｘ）の場合、１２個のＯＦＤＭシンボルの長さを有する（図７（ｂ）の場合）。資源ブロック格子において「０」、「１」、「２」及び'「３」と記載された資源要素（ＲＥｓ）は、それぞれアンテナポートインデックス「０」、「１」、「２」及び'「３」のＣＲＳの位置を意味し、「Ｄ」と記載された資源要素は、ＤＲＳの位置を意味する。
【０１２２】
基地局が単一の送信アンテナを使用する場合、単一アンテナポートのための参照信号が配列される。
【０１２３】
基地局が２個の送信アンテナを使用する場合、２個の送信アンテナポートのための参照信号は、時分割多重化（ＴＤＭ：Ｔｉｍｅ  Ｄｉｖｉｓｉｏｎ  Ｍｕｌｔｉｐｌｅｘｉｎｇ）及び／または周波数分割多重化（ＦＤＭ  Ｆｒｅｑｕｅｎｃｙ  ｄｉｖｉｓｉｏｎ  ｍｕｌｔｉｐｌｅｘｉｎｇ）方式を利用して配列される。すなわち、２個のアンテナポートのための参照信号は、各々が区別されるために互いに異なる時間資源及び／または互いに異なる周波数資源が割り当てられる。
【０１２４】
その上、基地局が４個の送信アンテナを使用する場合、４個の送信アンテナポートのための参照信号は、ＴＤＭ及び／またはＦＤＭ方式を利用して配列される。ダウンリンク信号の受信側（端末）によって測定されたチャネル情報は、単一の送信アンテナ送信、送信ダイバーシチ、閉鎖ループ空間多重化（ｃｌｏｓｅｄ-ｌｏｏｐ  ｓｐａｔｉａｌ  ｍｕｌｔｉｐｌｅｘｉｎｇ）、開放ループ空間多重化（ｏｐｅｎ-ｌｏｏｐ  ｓｐａｔｉａｌ  ｍｕｌｔｉｐｌｅｘｉｎｇ）または多重ユーザ-多重入出力アンテナ（Ｍｕｌｔｉ-Ｕｓｅｒ  ＭＩＭＯ）のような送信方式を利用して送信されたデータを復調するために使用されることができる。
【０１２５】
多重入出力アンテナが支援される場合、参照信号が特定のアンテナポートから送信されるとき、前記参照信号は、参照信号のパターンに応じて特定された資源要素の位置に送信され、他のアンテナポートのために特定された資源要素の位置に送信されない。すなわち、互いに異なるアンテナ間の参照信号は、互いに重ならない。
【０１２６】
ＬＴＥシステムの進化発展した形態のＬＴＥ-Ａシステムにおいて、基地局のダウンリンクに最大８個の送信アンテナを支援できるようにデザインされなければならない。したがって、最大８個の送信アンテナに対するＲＳもやはり支援されなければならない。ＬＴＥシステムにおいてダウンリンクＲＳは、最大４個のアンテナポートに対するＲＳのみが定義されているので、ＬＴＥ-Ａシステムにおいて基地局が４個以上最大８個のダウンリンク送信アンテナを有する場合、これらのアンテナポートに対するＲＳが追加的に定義されデザインされなければならない。最大８個の送信アンテナポートに対するＲＳは、上述したチャネル測定のためのＲＳとデータ復調のためのＲＳの２通りがすべてデザインされなければならない。
【０１２７】
ＬＴＥ-Ａシステムをデザインするにおいて、重要な考慮事項の一つは、下位互換性（ｂａｃｋｗａｒｄ  ｃｏｍｐａｔｉｂｉｌｉｔｙ）、すなわちＬＴＥ端末がＬＴＥ-Ａシステムでもなんの無理なしでよく動作しなければならず、システムもまたこれを支援しなければならないということである。ＲＳ送信観点からは 、ＬＴＥで定義されているＣＲＳが全帯域に毎サブフレームごとに送信される時間-周波数領域において追加的に最大８個の送信アンテナポートに対するＲＳが追加的に定義されなければならない。ＬＴＥ-Ａシステムにおいて従来のＬＴＥのＣＲＳと同じ方式で最大８個の送信アンテナに対するＲＳパターンを毎サブフレームごとに全帯域に追加するようになると、ＲＳオーバーヘッドが過度に大きくなるようになる。
【０１２８】
したがって、ＬＴＥ-Ａシステムにおいて新しくデザインされるＲＳは、大きく２通りの分類に分けられるが、ＭＣＳ、ＰＭＩなどの選択のためのチャネル測定目的のＲＳ（ＣＳＩ-ＲＳ：Ｃｈａｎｎｅｌ  Ｓｔａｔｅ  Ｉｎｆｏｒｍａｔｉｏｎ-ＲＳ、Ｃｈａｎｎｅｌ  Ｓｔａｔｅ  Ｉｎｄｉｃａｔｉｏｎ-ＲＳ等）と８個の送信アンテナに送信されるデータ復調のためのＲＳ（ＤＭ-ＲＳ：Ｄａｔａ  Ｄｅｍｏｄｕｌａｔｉｏｎ-ＲＳ）である。
【０１２９】
チャネル測定目的のＣＳＩ-ＲＳは、従来のＣＲＳがチャネル測定、ハンドオーバなどの測定などの目的と同時にデータ復調のために使用されることとは異なり、チャネル測定中心の目的のためにデザインされるという特徴がある。もちろん、これもまた、ハンドオーバなどの測定などの目的としても使用されることもできる。ＣＳＩ-ＲＳがチャネル状態に対する情報を得る目的としてのみ送信されるので、ＣＲＳとは異なり、毎サブフレームごとに送信されなくても良い。ＣＳＩ-ＲＳのオーバーヘッドを減らすために、ＣＳＩ-ＲＳは、時間軸上において間歇的に送信される。
【０１３０】
ＬＴＥ-Ａシステムにおいて基地局のダウンリンクに最大８個の送信アンテナを支援する。ＬＴＥ-Ａシステムにおいて、従来のＬＴＥのＣＲＳと同じ方式で最大８個の送信アンテナに対するＲＳを毎サブフレームごとに全帯域に送信するようになると、ＲＳオーバーヘッドが過度に大きくなる。したがって、ＬＴＥ-Ａシステムでは、ＭＣＳ、ＰＭＩなどの選択のためのＣＳＩ測定目的のＣＳＩ-ＲＳとデータ復調のためのＤＭ-ＲＳに分離されて、二つのＲＳが追加された。ＣＳＩ-ＲＳは、ＲＲＭ測定などの目的でも使用されることはできるが、ＣＳＩ獲得の主目的のためにデザインされた。ＣＳＩ-ＲＳは、データ復調に使用されないので、毎サブフレームごとに送信される必要はない。したがって、ＣＳＩ-ＲＳのオーバーヘッドを減らすために、時間軸上において間歇的に送信するようにする。すなわち、ＣＳＩ-ＲＳは、一つのサブフレームの整数倍の周期で周期的に送信されるか、または特定送信パターンで送信されることができる。このとき、ＣＳＩ-ＲＳが送信される周期またはパターンは、ｅＮＢが設定できる。
【０１３１】
ＣＳＩ-ＲＳを測定するために、ＵＥは、必ず自身が属したセルの各々のＣＳＩ-ＲＳアンテナポートに対するＣＳＩ-ＲＳの送信サブフレームインデックス、送信サブフレーム内でＣＳＩ-ＲＳ資源要素（ＲＥ）時間-周波数位置、そしてＣＳＩ-ＲＳシーケンス等に対する情報を知っていなければならない。
【０１３２】
ＬＴＥ-ＡシステムにｅＮＢは、ＣＳＩ-ＲＳを最大８個のアンテナポートに対して各々送信しなければならない。互いに異なるアンテナポートのＣＳＩ-ＲＳ送信のために使用される資源は、互いに直交（ｏｒｔｈｏｇｏｎａｌ）しなければならない。一つのｅＮＢが互いに異なるアンテナポートに対するＣＳＩ-ＲＳを送信する時、各々のアンテナポートに対するＣＳＩ-ＲＳを互いに異なるＲＥにマッピングすることによって、ＦＤＭ／ＴＤＭ方式でこれらの資源を直交（ｏｒｔｈｏｇｏｎａｌ）するように割り当てることができる。または、互いに異なるアンテナポートに対するＣＳＩ-ＲＳを互いに直交（ｏｒｔｈｏｇｏｎａｌ）したコードにマッピングさせるＣＤＭ方式で送信できる。
【０１３３】
ＣＳＩ-ＲＳに関する情報をｅＮＢが自己セルＵＥに知らせるとき、まず各アンテナポートに対するＣＳＩ-ＲＳがマッピングされる時間-周波数に対する情報を知らせなければならない。具体的に、ＣＳＩ-ＲＳが送信されるサブフレーム番号、またはＣＳＩ-ＲＳが送信される周期、ＣＳＩ-ＲＳが送信されるサブフレームオフセットであり、特定アンテナのＣＳＩ-ＲＳ  ＲＥが送信されるＯＦＤＭシンボル番号、周波数間隔（ｓｐａｃｉｎｇ）、周波数軸でのＲＥのオフセットまたはシフト値などがある。
【０１３４】
ＣＳＩ-ＲＳは、１個、２個、４個または８個のアンテナポートを介して送信される。このとき、使用されるアンテナポートは、それぞれｐ＝１５、ｐ＝１５，１６、ｐ＝１５，．．．，１８、ｐ＝１５，．．．，２２である。ＣＳＩ-ＲＳは、サブキャリア間隔Δｆ＝１５ｋＨｚに対してのみ定義されることができる。
【０１３５】
ＣＳＩ-ＲＳ送信のために設定されたサブフレーム内で、ＣＳＩ-ＲＳシーケンスは、以下の数式１２のように各アンテナポート（ｐ）上の参照シンボル（ｒｅｆｅｒｅｎｃｅ  ｓｙｍｂｏｌ）として利用される複素変調シンボル（ｃｏｍｐｌｅｘ-ｖａｌｕｅｄ  ｍｏｄｕｌａｔｉｏｎ  ｓｙｍｂｏｌ）ａ＿ｋ、ｌ＾（ｐ）にマッピングされる。
【０１３６】
【数１２】
2019526973.tif 000016
【０１３７】
前記数式１２中、（ｋ'、ｌ'）（ここで、ｋ’は、資源ブロック内の副搬送波インデックスで、ｌ’は、スロット内のＯＦＤＭシンボルインデックスを表す 。）及びｎ＿ｓの条件は、下記の表３または表４のようなＣＳＩ-ＲＳ設定（ｃｏｎｆｉｇｕｒａｔｉｏｎ）によって決定される。
【０１３８】
表３は、一般ＣＰでＣＳＩ-ＲＳ構成から（ｋ'、ｌ'）のマッピングを例示する。
【０１３９】
表３
【表３−１】
2019526973.tif 000017
【表３−２】
2019526973.tif 000018
【０１４０】
表４は、拡張ＣＰでＣＳＩ-ＲＳ構成から（ｋ'、ｌ'）のマッピングを例示する。
【０１４１】
【表４−１】
2019526973.tif 000019
【表４−２】
2019526973.tif 000020
【０１４２】
表３及び表４を参照すると、ＣＳＩ-ＲＳの送信において、異種ネットワーク（ＨｅｔＮｅｔ：ｈｅｔｅｒｏｇｅｎｅｏｕｓ  ｎｅｔｗｏｒｋ）環境を含んでマルチセル環境でセル間干渉（ＩＣＩ：ｉｎｔｅｒ-ｃｅｌｌ  ｉｎｔｅｒｆｅｒｅｎｃｅ）を減らすために、最大３２個（一般ＣＰの場合）または最大２８個（拡張ＣＰの場合）の互いに異なる構成（ｃｏｎｆｉｇｕｒａｔｉｏｎ）が定義される。
【０１４３】
ＣＳＩ-ＲＳ構成は、セル内のアンテナポートの個数及びＣＰによって互いに異なり、隣接したセルは、最大限互いに異なる構成を有することができる。また、ＣＳＩ-ＲＳ構成は、フレーム構造によってＦＤＤフレームとＴＤＤフレームともに適用する場合と、ＴＤＤフレームのみに適用する場合とに分けられることができる。
【０１４４】
表３及び表４に基づいて、ＣＳＩ-ＲＳ構成によって（ｋ'，ｌ'）及びｎ＿ｓが決まり、各ＣＳＩ-ＲＳアンテナポートによってＣＳＩ-ＲＳ送信に利用する時間-周波数資源が決定される。
【０１４５】
図８は、本発明が適用されることができる無線通信システムにおいて参照信号がマッピングされる資源を例示する図である。特に、図８は、ｎｏｒｍａｌ  ＣＰが適用されたサブフレーム内でＣＳＩ-ＲＳアンテナポートが１，２、４または８個である場合に対するＣＳＩ-ＲＳパターンを例示する。
【０１４６】
図８（ａ）は、１個または２個のＣＳＩ-ＲＳアンテナポートによるＣＳＩ-ＲＳ送信に使用可能な２０通りのＣＳＩ-ＲＳ構成を示したことであり、図８（ｂ）は、４個のＣＳＩ-ＲＳアンテナポートにより使用可能な１０通りのＣＳＩ-ＲＳ構成を示したことであり、図８（ｃ）は、８個のＣＳＩ-ＲＳアンテナポートによりＣＳＩ-ＲＳ送信に使用可能な５通りの ＣＳＩ-ＲＳ構成を示したことである。
【０１４７】
このように、各ＣＳＩ-ＲＳ構成によってＣＳＩ-ＲＳが送信される無線資源（すなわち、ＲＥ対）が決定される。
【０１４８】
特定セルに対してＣＳＩ-ＲＳ送信のために、１個あるいは２個のアンテナポートが設定されると、図８（ａ）に示す２０通りのＣＳＩ-ＲＳ構成のうち設定されたＣＳＩ-ＲＳ構成による無線資源上においてＣＳＩ-ＲＳが送信される。
【０１４９】
同様に、特定セルに対してＣＳＩ-ＲＳ送信のために４個のアンテナポートが設定されると、図８（ｂ）に示す１０通りのＣＳＩ-ＲＳ構成のうち設定されたＣＳＩ-ＲＳ構成による無線資源上においてＣＳＩ-ＲＳが送信される。また、特定セルに対してＣＳＩ-ＲＳ送信のために、８個のアンテナポートが設定されると、図８（ｃ）に示す５通りのＣＳＩ-ＲＳ構成のうち設定されたＣＳＩ-ＲＳ構成による無線資源上においてＣＳＩ-ＲＳが送信される。
【０１５０】
２個のアンテナポート別（すなわち、｛１５，１６｝、｛１７，１８｝、｛１９，２０｝、｛２１，２２｝）に各々のアンテナポートに対するＣＳＩ-ＲＳは、同じ無線資源にＣＤＭ（Ｃｏｄｅ  Ｄｉｖｉｓｉｏｎ  Ｍｕｌｔｉｐｌｅｘｉｎｇ）されて送信される。アンテナポート１５及び１６を例とすると、アンテナポート１５及び１６に対する各々のＣＳＩ-ＲＳ複素シンボルは同一であるが、互いに異なる直交コード（例えば、ウォルシュコード（ｗａｌｓｈ  ｃｏｄｅ）が掛けられて、同じ無線資源にマッピングされる。アンテナポート１５に対するＣＳＩ-ＲＳの複素シンボルには、［１，１］が掛けられ、アンテナポート１６に対するＣＳＩ-ＲＳの複素シンボルには、［１-１］が掛けられて同じ無線資源にマッピングされる。これは、アンテナポート｛１７，１８｝、｛１９，２０｝、｛２１，２２｝も同様である。
【０１５１】
ＵＥは、送信されたシンボルに掛けられたコードを掛けて特定アンテナポートに対するＣＳＩ-ＲＳを検出できる。すなわち、アンテナポート１５に対するＣＳＩ-ＲＳを検出するために掛けられたコード［１１］を掛け、アンテナポート１６に対するＣＳＩ-ＲＳを検出するために掛けられたコード［１-１］を掛ける。
【０１５２】
図８（ａ）ないし（ｃ）を参照すると、同じＣＳＩ-ＲＳ構成インデックスに該当するようになると、アンテナポート数が多いＣＳＩ-ＲＳ構成による無線資源は、ＣＳＩ-ＲＳアンテナポート数が少ないＣＳＩ-ＲＳ構成による無線資源を含む。例えば、ＣＳＩ-ＲＳ構成０の場合、８個アンテナポート数に対する無線資源は、４個アンテナポート数に対する無線資源と１または２個のアンテナポート数に対する無線資源を全部含む。
【０１５３】
図９は、本発明が適用されることができる無線通信システムにおいて参照信号がマッピングされる資源を例示する図である。
【０１５４】
特に、図９は、ｅｘｔｅｎｄｅｄ  ＣＰが適用されたサブフレーム内でＣＳＩ-ＲＳアンテナポートが１，２、４または８個である場合に対するＣＳＩ-ＲＳパターンを示す。
【０１５５】
図９（ａ）は、１個または２個のＣＳＩ-ＲＳアンテナポートによるＣＳＩ-ＲＳ送信に使用可能な１６通りのＣＳＩ-ＲＳ構成を示したことであり、図８（ｂ）は、４個のＣＳＩ-ＲＳアンテナポートにより使用可能な８通りのＣＳＩ-ＲＳ構成を示したことであり、図８（ｃ）は、８個のＣＳＩ-ＲＳアンテナポートによりＣＳＩ-ＲＳ送信に使用可能な４通りのＣＳＩ-ＲＳ構成を示したことである。
【０１５６】
このように、各ＣＳＩ-ＲＳ構成によってＣＳＩ-ＲＳが送信される無線資源（すなわち、ＲＥ対）が決定される。
【０１５７】
特定セルに対してＣＳＩ-ＲＳ送信のために、１個あるいは２個のアンテナポートが設定されると、図９（ａ）に示す１６通りのＣＳＩ-ＲＳ構成のうち設定されたＣＳＩ-ＲＳ構成による無線資源上においてＣＳＩ-ＲＳが送信される。
【０１５８】
同様に、特定セルに対してＣＳＩ-ＲＳ送信のために４個のアンテナポートが設定されると、図９（ｂ）に示す８通りのＣＳＩ-ＲＳ構成のうち設定されたＣＳＩ-ＲＳ構成による無線資源上においてＣＳＩ-ＲＳが送信される。また、特定セルに対してＣＳＩ-ＲＳ送信のために８個のアンテナポートが設定されると、図９（ｃ）に示す４通りのＣＳＩ-ＲＳ構成のうち設定されたＣＳＩ-ＲＳ構成による無線資源上においてＣＳＩ-ＲＳが送信される。一つのセルで複数のＣＳＩ-ＲＳ構成が使用されることができる。ノン-ゼロ電力（ＮＺＰ：ｎｏｎ-ｚｅｒｏ  ｐｏｗｅｒ）ＣＳＩ-ＲＳは、０個または１個のＣＳＩ-ＲＳ構成のみが利用され、ゼロ電力（ＺＰ：ｚｅｒｏ  ｐｏｗｅｒ）ＣＳＩ-ＲＳは、０個または複数のＣＳＩ-ＲＳ構成が利用されることができる。
【０１５９】
上位階層により設定される１６ビットのビットマップであるＺＰ  ＣＳＩ-ＲＳ（ＺｅｒｏｐｏｗｅｒＣＳＩ-ＲＳ）において１に設定された各ビット別に、ＵＥは、上の表３及び表４の４個のＣＳＩ-ＲＳ列（ｃｏｌｕｍｎ）に該当するＲＥにおいて（上位階層により設定されたＮＺＰ  ＣＳＩ-ＲＳを仮定するＲＥと重複する場合を除外）ゼロ送信電力を仮定する。最上位ビット（ＭＳＢ：Ｍｏｓｔ  Ｓｉｇｎｉｆｉｃａｎｔ  Ｂｉｔ）は、最も低いＣＳＩ-ＲＳ構成インデックスに該当し、ビットマップ内でその次のビットは、順に次のＣＳＩ-ＲＳ構成インデックスに該当する。
【０１６０】
ＣＳＩ-ＲＳは、上の表３及び表４において（ｎ＿ｓ  ｍｏｄ  ２）の条件を満たすダウンリンクスロット及びＣＳＩ-ＲＳサブフレーム構成を満たすサブフレームにおいてのみで送信される。
【０１６１】
フレーム構造タイプ２（ＴＤＤ）の場合、スペシャルサブフレーム、同期信号（ＳＳ）、ＰＢＣＨまたはＳＩＢ  １（Ｓｙｓｔｅｍｉｎｆｏｒｍａｔｉｏｎｂｌｏｃｋｔｙｐｅ１）メッセージ送信と衝突されるサブフレームまたはページングメッセージ送信のために設定されたサブフレームにおいてＣＳＩ-ＲＳは送信されない。
【０１６２】
また、アンテナポートセットＳ（Ｓ＝｛１５｝、Ｓ＝｛１５，１６｝、Ｓ＝｛１７，１８｝、Ｓ＝｛１９，２０｝またはＳ＝｛２１，２２｝）内に属するあるアンテナポートに対するＣＳＩ-ＲＳが送信されるＲＥは、ＰＤＳＣＨまたは他のアンテナポートのＣＳＩ-ＲＳ送信に使用されない。
【０１６３】
ＣＳＩ-ＲＳ送信に使用される時間-周波数資源は、データ送信に使用されることができないので、ＣＳＩ-ＲＳオーバーヘッドが増加するほど、データ処理量（スループット）が減少するようになる。これを考慮して、ＣＳＩ-ＲＳは、毎サブフレームごとに送信されるように構成されず、多数のサブフレームに該当する所定の送信周期ごとに送信されるように構成される。この場合、毎サブフレームごとにＣＳＩ-ＲＳが送信される場合に比べて、ＣＳＩ-ＲＳ送信オーバーヘッドが多く低くなることができる。
【０１６４】
ＣＳＩ-ＲＳ送信のためのサブフレーム周期（以下、「ＣＳＩ送信周期」と呼ぶ）（Ｔ＿ＣＳＩ-ＲＳ）及びサブフレームオフセット（Δ＿ＣＳＩ-ＲＳ）は、以下の表５のとおりである。
【０１６５】
表５は、ＣＳＩ-ＲＳサブフレームの構成を例示する。
【０１６６】
表５
【表５】
2019526973.tif 000021
【０１６７】
表５を参照すると、ＣＳＩ-ＲＳサブフレーム構成（Ｉ＿ＣＳＩ-ＲＳ）によってＣＳＩ-ＲＳ送信周期（Ｔ＿ＣＳＩ-ＲＳ）及びサブフレームオフセット（Δ＿ＣＳＩ-ＲＳ）が決定される。
【０１６８】
表５のＣＳＩ-ＲＳサブフレーム構成は、先の 「ＳｕｂｆｒａｍｅＣｏｎｆｉｇ」フィールド及び「ｚｅｒｏＴｘＰｏｗｅｒＳｕｂｆｒａｍｅＣｏｎｆｉｇ」フィールドのうちのいいずれか一つに設定されることができる。ＣＳＩ-ＲＳサブフレーム構成は、ＮＺＰ  ＣＳＩ-ＲＳ及びＺＰ  ＣＳＩ-ＲＳに対して個別的に（ｓｅｐａｒａｔｅｌｙ）設定されることができる。
【０１６９】
ＣＳＩ-ＲＳを含むサブフレームは、以下の数式１３を満たす。
【０１７０】
【数１３】
2019526973.tif 000022
【０１７１】
数式１３中、Ｔ＿ＣＳＩ-ＲＳは、ＣＳＩ-ＲＳ送信周期、Δ＿ＣＳＩ-ＲＳは、サブフレームオフセット値、ｎ＿ｆは、システムフレームナンバー、ｎ＿ｓは、スロットナンバーを意味する。
【０１７２】
サービングセルに対して送信モード９（ｔｒａｎｓｍｉｓｓｉｏｎ  ｍｏｄｅ  ９）が設定されたＵＥの場合、ＵＥは、一つのＣＳＩ-ＲＳ資源構成が設定されることができる。サービングセルに対して送信モード１０（ｔｒａｎｓｍｉｓｓｉｏｎ  ｍｏｄｅ  １０）が設定されたＵＥの場合、ＵＥは、一つまたはそれ以上のＣＳＩ-ＲＳ資源構成（ら）が設定されることができる。
【０１７３】
ＣＳＩ-ＲＳ構成（ｃｏｎｆｉｇｕｒａｔｉｏｎ）
【０１７４】
現在、ＬＴＥ標準においてＣＳＩ-ＲＳ構成（ｃｏｎｆｉｇｕｒａｔｉｏｎ）に関するパラメータにａｎｔｅｎｎａ  ｐｏｒｔｓＣｏｕｎｔ、ｓｕｂｆｒａｍｅＣｏｎｆｉｇ、ｒｅｓｏｕｒｃｅＣｏｎｆｉｇなどが存在する。このようなパラメータは、ＣＳＩ-ＲＳがいくつのアンテナポートから送信されているか、ＣＳＩ-ＲＳが送信されるサブフレームの周期及びオフセットがどうなっているか、そして該当サブフレームでどんなＲＥ位置（例えば、周波数とＯＦＤＭシンボルインデックス）から送信されているかなどを指示する。具体的に、基地局は、特定ＣＳＩ-ＲＳ構成をＵＥに指示／伝達する時、次のような内容のパラメータ／情報を伝達する。
【０１７５】
-ａｎｔｅｎｎａ  ｐｏｒｔｓＣｏｕｎｔ：ＣＳＩ-ＲＳの送信のために使用されるアンテナポート数を表すパラメータ（Ｐａｒａｍｅｔｅｒ  ｒｅｐｒｅｓｅｎｔｓ  ｔｈｅ  ｎｕｍｂｅｒ  ｏｆ  ａｎｔｅｎｎａ  ｐｏｒｔｓ  ｕｓｅｄ  ｆｏｒ  ｔｒａｎｓｍｉｓｓｉｏｎ  ｏｆ  ＣＳＩ  ｒｅｆｅｒｅｎｃｅ  ｓｉｇｎａｌｓ）（例えば、１  ＣＳＩ-ＲＳポート、２  ＣＳＩ-ＲＳポート、４  ＣＳＩ-ＲＳポート、あるいは８  ＣＳＩ-ＲＳポート）
【０１７６】
-ｒｅｓｏｕｒｃｅＣｏｎｆｉｇ：ＣＳＩ-ＲＳ割り当て資源位置に関するパラメータ
【０１７７】
-ｓｕｂｆｒａｍｅＣｏｎｆｉｇ：ＣＳＩ-ＲＳが送信されるサブフレーム周期及びオフセットに関するパラメータ
【０１７８】
-ｐ-Ｃ：ＣＳＩフィードバックＣＳＩ-ＲＳのための参照ＰＤＳＣＨ送信パワーに関するＵＥの仮定に関して、Ｐｃは、ＵＥがＣＳＩフィードバックを導き出す時にＣＳＩ-ＲＳ  ＥＰＲＥに対してＰＤＳＣＨ  ＥＰＲＥの仮定された割合に該当し、１ｄＢ大きさの単位として［-８，１５］ｄＢ範囲の値を取る（Ｒｅｇａｒｄｉｎｇ  ＵＥ  ａｓｓｕｍｐｔｉｏｎ  ｏｎ  ｒｅｆｅｒｅｎｃｅ  ＰＤＳＣＨ  ｔｒａｎｓｍｉｔｔｅｄ  ｐｏｗｅｒ  ｆｏｒ  ＣＳＩ  ｆｅｅｄｂａｃｋ  ＣＳＩ-ＲＳ，  Ｐｃ  ｉｓ  ｔｈｅ  ａｓｓｕｍｅｄ  ｒａｔｉｏ  ｏｆ  ＰＤＳＣＨ  ＥＰＲＥ  ｔｏ  ＣＳＩ-ＲＳ  ＥＰＲＥ  ｗｈｅｎ  ＵＥ  ｄｅｒｉｖｅｓ  ＣＳＩ  ｆｅｅｄｂａｃｋ  ａｎｄ  ｔａｋｅｓ  ｖａｌｕｅｓ  ｉｎ  ｔｈｅ  ｒａｎｇｅ  ｏｆ  ［-８，  １５］  ｄＢ  ｗｉｔｈ  １  ｄＢ  ｓｔｅｐ  ｓｉｚｅ）
【０１７９】
-ｚｅｒｏＴｘＰｏｗｅｒＲｅｓｏｕｒｃｅＣｏｎｆｉｇＬｉｓｔ：ｚｅｒｏ-ｐｏｗｅｒＣＳＩ-ＲＳ構成に関するパラメータ
【０１８０】
-ｚｅｒｏＴｘＰｏｗｅｒＳｕｂｆｒａｍｅＣｏｎｆｉｇ：ｚｅｒｏ-ｐｏｗｅｒ  ＣＳＩ-ＲＳが送信されるサブフレーム周期及びオフセットに関するパラメータ
【０１８１】
マッシブＭＩＭＯ（Ｍａｓｓｉｖｅ  ＭＩＭＯ）
【０１８２】
多数のアンテナを有するＭＩＭＯシステムをマッシブＭＩＭＯ（Ｍａｓｓｉｖｅ  ＭＩＭＯ）システムと呼ぶことができ、スペクトル効率（ｓｐｅｃｔｒａｌ  ｅｆｆｉｃｉｅｎｃｙ）、エネルギー効率（ｅｎｅｒｇｙ  ｅｆｆｉｃｉｅｎｃｙ）、プロセシング複雑度（ｐｒｏｃｅｓｓｉｎｇ  ｃｏｍｐｌｅｘｉｔｙ）を向上させるための手段として注目されつつある。
【０１８３】
最近、３ＧＰＰでは、未来の移動通信システムのスペクトル効率性に対する要求事項を満足させるために、マッシブＭＩＭＯシステムに対する議論が始まった。マッシブＭＩＭＯは、全-次元ＭＩＭＯ（ＦＤ-ＭＩＭＯ：Ｆｕｌｌ-Ｄｉｍｅｎｓｉｏｎ  ＭＩＭＯ）とも呼ばれる。
【０１８４】
ＬＴＥリリース（Ｒｅｌ：ｒｅｌｅａｓｅ）-１２以後の無線通信システムでは、能動アンテナシステム（ＡＡＳ：Ａｃｔｉｖｅ  Ａｎｔｅｎｎａ  Ｓｙｓｔｅｍ）の導入が考慮されている。
【０１８５】
信号の位相及び大きさを調整することができる増幅器とアンテナが分離されている従来の 受動アンテナシステムとは異なり、ＡＡＳは、各々のアンテナが増幅器のような能動素子を含むように構成されたシステムを意味する。
【０１８６】
ＡＡＳは、能動アンテナの使用によって増幅器とアンテナとを接続するための別のケーブル、コネクター、その他ハードウェアなどを必要とせず、したがってエネルギー及び運用費の側面で効率性が高い特徴を有する。特に、ＡＡＳは、各アンテナ別電子式ビーム制御（ｅｌｅｃｔｒｏｎｉｃ  ｂｅａｍ  ｃｏｎｔｒｏｌ）方式を支援するから、ビーム方向及びビーム幅を考慮した精巧なビームパターン形成または３次元ビームパターンを形成する等の進歩したＭＩＭＯ技術を可能にする。
【０１８７】
ＡＡＳの進歩したアンテナシステムの導入に伴い、多数の入出力アンテナと多次元アンテナ構造を有する大規模ＭＩＭＯ構造もまた考慮されている。一例として、従来の一字型アンテナ配列とは異なり、２次元（２Ｄ：２-Ｄｉｍｅｎｓｉｏｎ）アンテナ配列を形成する場合、ＡＡＳの能動アンテナにより３次元ビームパターンを形成できる。
【０１８８】
図１０は、本発明が適用されることができる無線通信システムにおいて、６４個のアンテナ要素（ａｎｔｅｎｎａ  ｅｌｅｍｅｎｔｓ）を有する２次元能動アンテナシステムを例示する。
【０１８９】
図１０では、一般的な２次元（２Ｄ：２Ｄｉｍｅｎｓｉｏｎ）アンテナ配列を例示しており、図１０のようにＮ＿ｔ＝Ｎ＿ｖ・Ｎ＿ｈ個のアンテナが正方形の模様を有する場合を考慮することができる。ここで、Ｎ＿ｈは、水平方向にアンテナ列の個数を、Ｎ＿ｖは、垂直方向にアンテナ行の個数を示す。
【０１９０】
このような２Ｄ構造のアンテナ配列を利用すると、３次元空間で送信ビームを制御できるように無線波長（ｒａｄｉｏ  ｗａｖｅ）が垂直方向（高度（ｅｌｅｖａｔｉｏｎ））及び水平方向（方位角（ａｚｉｍｕｔｈ））に全部制御できる。このようなタイプの波長制御メカニズムを３次元ビームフォーミングと呼ぶことができる。
【０１９１】
図１１は、本発明が適用されることができる無線通信システムにおいて基地局または端末がＡＡＳ基盤の３Ｄ（３-Ｄｉｍｅｎｓｉｏｎ）ビームフォーミングが可能な多数の送／受信アンテナを有しているシステムを例示する。
【０１９２】
図１１は、上述の例を図式化したことで、２次元アンテナ配列（すなわち、２Ｄ-ＡＡＳ）を利用した３Ｄ  ＭＩＭＯシステムを例示する。
【０１９３】
送信アンテナの観点で前記３次元ビームパターンを活用する場合、ビームの水平方向だけでなく垂直方向への準-静的または動的なビームフォーミングを行うことができ、一例として垂直方向のセクター形成などの応用を考慮できる。
【０１９４】
また、受信アンテナ観点では、大規模受信アンテナを活用して受信ビームを形成する時、アンテナ配列利得（ａｎｔｅｎｎａ  ａｒｒａｙ  ｇａｉｎ）に応じる信号電力上昇効果を期待することができる。したがって、アップリンクの場合、基地局が多数のアンテナを介して端末から送信される信号を受信することができ、このとき、端末は、干渉影響を減らすために大規模受信アンテナの利得を考慮して、自身の送信電力を非常に低く設定できるという長所がある。
【０１９５】
図１２は、本発明が適用されることができる無線通信システムにおいて交差偏波（ｃｒｏｓｓ  ｐｏｌａｒｉｚａｔｉｏｎ）を有する２次元アンテナシステムを例示する。
【０１９６】
偏波（Ｐｏｌａｒｉｚａｔｉｏｎ）を考慮した２Ｄ平面配列アンテナ（ｐｌａｎａｒ  ａｎｔｅｎｎａ  ａｒｒａｙ）モデルの場合、図１１のように図式化できる。
【０１９７】
受動的アンテナ（ｐａｓｓｉｖｅ  ａｎｔｅｎｎａ）に応じる既存のＭＩＭＯシステムとは異なり、能動アンテナに基盤したシステムは、各アンテナ要素（ｅｌｅｍｅｎｔ）に付着された（または含まれた）能動素子（例えば、増幅器）に加重値を適用することによって、アンテナ要素の利得（ｇａｉｎ）を動的に調節できる。放射パターン（ｒａｄｉａｔｉｏｎ  ｐａｔｔｅｒｎ）は、アンテナ要素の個数、アンテナ間隔（ｓｐａｃｉｎｇ）などのような アンテナ配置（ａｒｒａｎｇｅｍｅｎｔ）に依存するので、アンテナシステムは、アンテナ要素レベルでモデリングされることができる。
【０１９８】
図１２の例示のようなアンテナ配列モデルを（Ｍ，Ｎ，Ｐ）で表すことができ、これは、アンテナ配列構造を特徴づけるパラメータに該当する。
【０１９９】
Ｍは、各列（すなわち、垂直方向で）で同じ偏波（ｐｏｌａｒｉｚａｔｉｏｎ）を有しているアンテナ要素（ａｎｔｅｎｎａ  ｅｌｅｍｅｎｔ）の個数（すなわち、各列で＋４５゜の傾斜（ｓｌａｎｔ）を有しているアンテナ要素の個数または各列で-４５゜の傾斜（ｓｌａｎｔ）を有しているアンテナ要素の個数）を表す。
【０２００】
Ｎは、水平方向の列の個数（すなわち、水平方向でアンテナ要素の個数）を表す。
【０２０１】
Ｐは、偏波（ｐｏｌａｒｉｚａｔｉｏｎ）の次元（ｄｉｍｅｎｓｉｏｎ）の個数を表す。図１１の場合のように、交差偏波（ｃｒｏｓｓ  ｐｏｌａｒｉｚａｔｉｏｎ）の場合、Ｐ＝２であるが、同一偏波（ｃｏ-ｐｏｌａｒｉｚａｔｉｏｎ）の場合、Ｐ＝１である。
【０２０２】
アンテナポート（ａｎｔｅｎｎａ  ｐｏｒｔ）は、物理的アンテナ要素（ｐｈｙｓｉｃａｌ  ａｎｔｅｎｎａ  ｅｌｅｍｅｎｔ）にマッピングされることができる。アンテナポート（ａｎｔｅｎｎａ  ｐｏｒｔ）は、該当アンテナポートと関連した参照信号により定義されることができる。例えば、ＬＴＥシステムにおいてアンテナポート０は、ＣＲＳ（Ｃｅｌｌ-ｓｐｅｃｉｆｉｃ  Ｒｅｆｅｒｅｎｃｅ  ｓｉｇｎａｌ）と関連し、アンテナポート６は、ＰＲＳ（Ｐｏｓｉｔｉｏｎｉｎｇ  Ｒｅｆｅｒｅｎｃｅ  ｓｉｇｎａｌ）と関連することができる。
【０２０３】
一例として、アンテナポートと物理的アンテナ要素との間は、一対一にマッピングされることができる。単一の交差偏波（ｃｒｏｓｓ  ｐｏｌａｒｉｚａｔｉｏｎ）アンテナ要素がダウンリンクＭＩＭＯまたはダウンリンク送信ダイバーシチのために使用される場合などがこれに該当することができる。例えば、アンテナポート０は、一つの物理的アンテナ要素にマッピングされることに対し、アンテナポート１は、他の物理的アンテナ要素にマッピングされることができる。この場合、端末の立場では、２個のダウンリンク送信が存在する。一つは、アンテナポート０のための参照信号と関連し、残りの一つは、アンテナポート１のための参照信号と関連する。
【０２０４】
他の一例として、単一のアンテナポートは、多重の物理的アンテナ要素にマッピングされることができる。ビームフォーミング（ｂｅａｍｆｏｒｍｉｎｇ）のために使用される場合などがこれに該当することができる。ビームフォーミングは、多重の物理的アンテナ要素を利用することによって、ダウンリンク送信が特定端末に向かうようにすることができる。一般に多重の交差偏波（ｃｒｏｓｓ  ｐｏｌａｒｉｚａｔｉｏｎ）アンテナ要素の多重の列（ｃｏｌｕｍｎ）から構成されるアンテナ配列（ａｎｔｅｎｎａ  ａｒｒａｙ）を使用してこれを達成できる。この場合、端末の立場では、単一のアンテナポートから発生した単一のダウンリンク送信が存在する。一つは、アンテナポート０のためのＣＲＳと関連し、残りの一つは、アンテナポート１のためのＣＲＳと関連する。
【０２０５】
すなわち、アンテナポートは、基地局で物理的アンテナ要素から送信された実際ダウンリンク送信でない端末立場でのダウンリンク送信を示す。
【０２０６】
他の一例として、多数のアンテナポートがダウンリンク送信のために使用されるが、各アンテナポートは、多重の物理的アンテナ要素にマッピングされることができる。この場合は、アンテナ配列がダウンリンクＭＩＭＯまたはダウンリンクダイバーシチのために使用される場合などがこれに該当することができる。例えば、アンテナポート０及び１は、それぞれ多重の物理的アンテナ要素にマッピングされることができる。この場合、端末の立場では、２個のダウンリンク送信が存在する。一つは、アンテナポート０のための参照信号と関連し、残りの一つは、アンテナポート１のための参照信号と関連する。
【０２０７】
ＦＤ-ＭＩＭＯでは、データストリームのＭＩＭＯプリコーディングは、アンテナポート仮像化、トランシーバーユニット（または送受信ユニット）（ＴＸＲＵ：ｔｒａｎｓｃｅｉｖｅｒ  ｕｎｉｔ）仮像化、アンテナ要素パターンを経ることができる。
【０２０８】
アンテナポート仮像化は、アンテナポート上のストリームがＴＸＲＵ上においてプリコーディングされる。ＴＸＲＵ仮像化は、ＴＸＲＵ信号がアンテナ要素上においてプリコーディングされる。アンテナ要素パターンは、アンテナ要素から放射される信号は、方向性の利得パターン（ｄｉｒｅｃｔｉｏｎａｌ  ｇａｉｎ  ｐａｔｔｅｒｎ）を有することができる。
【０２０９】
従来の送受信機（ｔｒａｎｓｃｅｉｖｅｒ）モデリングでは、アンテナポートとＴＸＲＵとの間の静的な一対一マッピングが仮定され、ＴＸＲＵ仮像化効果は、ＴＸＲＵ仮像化及びアンテナ要素パターンの効果ともを含む静的な（ＴＸＲＵ）アンテナパターンに合わせられる。
【０２１０】
アンテナポート仮像化は、周波数-選択的な方法で行われることができる。ＬＴＥでアンテナポートは、参照信号（またはパイロット）と共に定義される。例えば、アンテナポート上においてプリコーディングされたデータ送信のために、ＤＭＲＳがデータ信号と同じ帯域幅で送信され、ＤＭＲＳとデータともが同じプリーコーダー（または同じＴＸＲＵ仮像化プリコーディング）でプリコーディングされる。ＣＳＩ測定のために、ＣＳＩ-ＲＳは、多重のアンテナポートを介して送信される。ＣＳＩ-ＲＳ送信において、端末においてデータプリコーディングベクトルのためのＴＸＲＵ仮像化プリコーディング行列を推定できるようにＣＳＩ-ＲＳポートとＴＸＲＵとの間のマッピングを特徴づけるプリーコーダーは、固有な行列で設計されることができる。
【０２１１】
ＴＸＲＵ仮像化方法は、１次元ＴＸＲＵ仮像化（１Ｄ  ＴＸＲＵ  ｖｉｒｔｕａｌｉｚａｔｉｏｎ）と２次元ＴＸＲＵ仮像化（２Ｄ  ＴＸＲＵ  ｖｉｒｔｕａｌｉｚａｔｉｏｎ）が論議され、これについて以下の図面を参照して説明する。
【０２１２】
図１３は、本発明が適用されることができる無線通信システムにおいてトランシーバーユニットモデルを例示する。
【０２１３】
１Ｄ  ＴＸＲＵ仮像化において、Ｍ＿ＴＸＲＵ個のＴＸＲＵは、同じ偏波（ｐｏｌａｒｉｚａｔｉｏｎ）を有する単一の列（ｃｏｌｕｍｎ）アンテナ配列で構成されるＭ個のアンテナ要素と関連する。
【０２１４】
２Ｄ  ＴＸＲＵ仮像化において、先の図１１のアンテナ配列モデル構成（Ｍ、Ｎ、Ｐ）に相応するＴＸＲＵモデル構成は、（Ｍ＿ＴＸＲＵ、Ｎ、Ｐ）で表すことができる。ここで、Ｍ＿ＴＸＲＵは、２Ｄ同じ列、同じ偏波（ｐｏｌａｒｉｚａｔｉｏｎ）に存在するＴＸＲＵの個数を意味し、Ｍ＿ＴＸＲＵ≦Ｍを常に満たす。すなわち、ＴＸＲＵの総個数は、Ｍ＿ＴＸＲＵ×Ｎ×Ｐのようである。
【０２１５】
ＴＸＲＵ仮像化モデルは、アンテナ要素とＴＸＲＵとの相関関係に応じて、図１２（ａ）のようにＴＸＲＵ仮像化（ｖｉｒｔｕａｌｉｚａｔｉｏｎ）モデルオプション-１：サブ-配列分割モデル（ｓｕｂ-ａｒｒａｙ  ｐａｒｔｉｔｉｏｎ  ｍｏｄｅｌ）と図１２（ｂ）のようにＴＸＲＵ仮像化モデルオプション-２：全域接続（ｆｕｌｌ-ｃｏｎｎｅｃｔｉｏｎ）モデルに区分されることができる。
【０２１６】
図１３（ａ）を参照すると、サブ-配列分割モデル（ｓｕｂ-ａｒｒａｙ  ｐａｒｔｉｔｉｏｎ  ｍｏｄｅｌ）の場合、アンテナ要素は、多重のアンテナ要素グループに分割され、各ＴＸＲＵは、グループのうちのいずれか一つと接続される。
【０２１７】
図１３（ｂ）を参照すると、全域接続（ｆｕｌｌ-ｃｏｎｎｅｃｔｉｏｎ）モデルの場合、多重のＴＸＲＵの信号が結合されて、単一のアンテナ要素（またはアンテナ要素の配列）に伝達される。
【０２１８】
図１３中、ｑは、一つの列（ｃｏｌｕｍｎ）内のＭ個の同じ偏波（ｃｏ-ｐｏｌａｒｉｚｅｄ）を有するアンテナ要素の送信信号ベクトルである。ｗは、広帯域ＴＸＲＵ仮像化加重値ベクトル（ｗｉｄｅｂａｎｄ  ＴＸＲＵ  ｖｉｒｔｕａｌｉｚａｔｉｏｎ  ｗｅｉｇｈｔ  ｖｅｃｔｏｒ）であり、Ｗは、広帯域ＴＸＲＵ仮像化加重値行列（ｗｉｄｅｂａｎｄ  ＴＸＲＵ  ｖｉｒｔｕａｌｉｚａｔｉｏｎ  Ｗｅｉｇｈｔ  Ｍａｔｒｉｘ）である。ｘは、Ｍ＿ＴＸＲＵ個のＴＸＲＵの信号ベクトルである。
【０２１９】
ここで、アンテナポートとＴＸＲＵとのマッピングは、一対一（１-ｔｏ-１）または一対多（１-ｔｏ-ｍａｎｙ）でありうる。
【０２２０】
図１３においてＴＸＲＵとアンテナ要素との間のマッピング（ＴＸＲＵ-ｔｏ-ｅｌｅｍｅｎｔ  ｍａｐｐｉｎｇ）は、一つの例示を示すことに過ぎず、本発明がこれに限定されるものではなく、ハードウェアの観点でその他多様な形態により具現化されることができるＴＸＲＵとアンテナ要素との間のマッピングにも本発明が同様に適用されることができる。
【０２２１】
ＣＳＩ（Ｃｈａｎｎｅｌ-Ｓｔａｔｅ  Ｉｎｆｏｒｍａｔｉｏｎ）-Ｒｅｆｅｒｅｎｃｅ  ｓｉｇｎａｌ（ＣＳＩ-ＲＳ）定義
【０２２２】
送信モード９が設定されたサービングセル及びＵＥに対して、ＵＥは、一つのＣＳＩ-ＲＳ資源構成を設定されることができる。送信モード１０が設定されたサービングセル及びＵＥに対して、ＵＥは、一つ以上のＣＳＩ-ＲＳ資源構成（ら）を設定されることができる。ＣＳＩ-ＲＳに対してｎｏｎ-ｚｅｒｏ送信電力を仮定しなければならないＵＥのための以下のパラメータは、各々のＣＳＩ-ＲＳ資源構成に対する上位階層シグナリングを介して設定される：
【０２２３】
-ＣＳＩ-ＲＳ資源構成識別子（ＵＥに送信モード１０が設定された場合）
【０２２４】
-ＣＳＩ-ＲＳポートの数
【０２２５】
-ＣＳＩ-ＲＳ構成
【０２２６】
-ＣＳＩ-ＲＳサブフレーム構成Ｉ＿（ＣＳＩ-ＲＳ）
【０２２７】
-ＣＳＩフィードバック（Ｐ＿ｃ）のための基準ＰＤＳＣＨ送信電力に対するＵＥの仮定（ＵＥに送信モード９が設定された場合）
【０２２８】
-ＵＥに送信モード１０が設定されると、各々のＣＳＩプロセスに対するＣＳＩフィードバック（Ｐ＿ｃ）のための基準ＰＤＳＣＨ送信電力に対するＵＥ仮定。ＣＳＩサブフレームセットＣ＿（ＣＳＩ，０）及びＣ＿（ＣＳＩ，１）がＣＳＩプロセスのための上位階層により設定されると、ＣＳＩプロセスの各ＣＳＩサブフレームセットのためのＰ＿ｃが設定される。
【０２２９】
-Ｐｓｅｕｄｏ-ｒａｎｄｏｍシーケンス生成器パラメータ（ｎ＿ＩＤ）．
【０２３０】
-ＵＥが上位階層パラメータＣＳＩ-Ｒｅｐｏｒｔｉｎｇ-Ｔｙｐｅを設定され、ＣＳＩ報告タイプがＣＳＩプロセスに対する「ＣＬＡＳＳ  Ａ」に設定された場合、ＣＤＭタイプパラメータ。
【０２３１】
-ＵＥに送信モード１０が設定された場合、以下のパラメータを有するＣＲＳアンテナポート及びＣＳＩ-ＲＳアンテナポートのＱＣＬ  ｔｙｐｅ  ＢのＵＥ仮定に対する上位階層パラメータｑｃｌ-ＣＲＳ-Ｉｎｆｏ-ｒ１１：
【０２３２】
-ｑｃｌ-ＳｃｒａｍｂｌｉｎｇＩｄｅｎｔｉｔｙ-ｒ１１．
【０２３３】
-ｃｒｓ-ＰｏｒｔｓＣｏｕｎｔ-ｒ１１．
【０２３４】
-ｍｂｓｆｎ-ＳｕｂｆｒａｍｅＣｏｎｆｉｇＬｉｓｔ-ｒ１１．
【０２３５】
Ｐ＿ｃは、ＵＥがＣＳＩフィードバックを導き出し１ｄＢステップの大きさで［-８，１５］ｄＢ範囲内の値を取る時、ＣＳＩ-ＲＳ  ＥＰＲＥ（Ｅｎｅｒｇｙ  Ｐｅｒ  Ｒｅｓｏｕｒｃｅ  ｅｌｅｍｅｎｔ）に対するＰＤＳＣＨ  ＥＰＲＥの推定された割合であり、ここでＰＤＳＣＨ  ＥＰＲＥは、セル関連ＲＳ  ＥＰＲＥに対するＰＤＳＣＨ  ＥＰＲＥの割合に対するシンボル数と対応する。
【０２３６】
ＵＥは、サービングセルの同じサブフレームにおいてＣＳＩ-ＲＳ及びＰＭＣＨの構成を期待しない。
【０２３７】
フレーム構造タイプ２サービングセルと４個のＣＲＳポートの場合、ＵＥは、一般ＣＰの場合［２０-３１］セットまたは拡張ＣＰの場合［１６-２７］セットに属したＣＳＩ-ＲＳ構成インデックスを受信することを期待しない。
【０２３８】
ＵＥは、ＣＳＩ-ＲＳ資源構成のＣＳＩ-ＲＳアンテナポートの間には、遅延拡散、ドップラー拡散、ドップラーシフト、平均利得及び平均遅延に対してＱＣＬされると仮定することができる。
【０２３９】
送信モード１０及びＱＣＬ  ｔｙｐｅ  Ｂが設定されたＵＥは、ＣＳＩ-ＲＳ資源構成に対応するｑｃｌ-ＣＲＳ-Ｉｎｆｏ-ｒ１１と関連したアンテナポート０-３を仮定することができ、ＣＳＩ-ＲＳ資源構成に対応するアンテナポート１５-２２は、ドップラーシフト（Ｄｏｐｐｌｅｒ  ｓｈｉｆｔ）及びドップラー拡散（Ｄｏｐｐｌｅｒ  ｓｐｒｅａｄ）に対してＱＣＬされたと仮定することができる。
【０２４０】
ＵＥに送信モード１０及び上位階層パラメータＣＳＩ-Ｒｅｐｏｒｔｉｎｇ-Ｔｙｐｅが設定され、ＣＳＩ-Ｒｅｐｏｒｔｉｎｇ-Ｔｙｐｅは、「ＣＬＡＳＳ  Ｂ」に設定され、ＣＳＩプロセスのために構成されたＣＳＩ-ＲＳ資源の個数が一つ以上で、ＱＣＬ  ｔｙｐｅ  Ｂが設定された場合、ＵＥは、上位階層パラメータｑｃｌ-ＣＲＳ-Ｉｎｆｏ-ｒ１１と互いに異なる値を有するＣＳＩプロセスに対するＣＳＩ-ＲＳ資源構成を受信することを期待しない。
【０２４１】
ＣＳＩ-ＲＳ送信のために構成／設定されたサブフレームにおいて、参照信号シーケンス
2019526973.tif 000023
は、アンテナポートｐの参照シンボルとして使用される複素数値（ｃｏｍｐｌｅ
ｘ-ｖａｌｕｅｄ）変調シンボル
2019526973.tif 000024
にマッピングされることができる。このようなマッピングは、上位階層パラメータＣＤＭＴｙｐｅに依存する。
【０２４２】
ＣＤＭＴｙｐｅがＣＤＭ４に該当しない場合、以下の数式１４によるマッピングが行われることができる。
【０２４３】
【数１４】
2019526973.tif 000025
【０２４４】
ＣＤＭＴｙｐｅがＣＤＭ４に該当する場合、以下の数式１５によるマッピングが行われることができる。
【０２４５】
【数１５】
2019526973.tif 000026
【０２４６】
数式１５の
2019526973.tif 000027
は、以下の表６により決定される。表６は、ＣＤＭ４に対したシーケンス
2019526973.tif 000028
を表す。
【０２４７】
表６
【表６】
2019526973.tif 000029
【０２４８】
ＯＦＤＭヌメロロジー（ｎｕｍｅｒｏｌｏｇｙ）
【０２４９】
さらに多くの通信機器がより大きな通信容量を要求するようになるにつれて、従来のＲＡＴ（Ｒａｄｉｏ  Ａｃｃｅｓｓ  Ｔｅｃｈｎｏｌｏｇｙ）に比べて向上したｍｏｂｉｌｅ  ｂｒｏａｄｂａｎｄ通信に対する必要性が台頭しつつある。また、多数の機器及び事物を接続していつ、どこででも多様なサービスを提供するｍａｓｓｉｖｅ  ＭＴＣ（Ｍａｃｈｉｎｅ  Ｔｙｐｅ  Ｃｏｍｍｕｎｉｃａｔｉｏｎｓ）もやはり、次世代通信において考慮される主な問題の一つである。 それだけでなく、次世代通信で信頼度（ｒｅｌｉａｂｉｌｉｔｙ）及び遅延（ｌａｔｅｎｃｙ）に敏感なサービス／ＵＥを考慮した通信システムデザインが論議されている。このように、ｅｎｈａｎｃｅｄ  ｍｏｂｉｌｅ  ｂｒｏａｄｂａｎｄ  ｃｏｍｍｕｎｉｃａｔｉｏｎ、ｍａｓｓｉｖｅ  ＭＴＣ、ＵＲＬＬＣ（Ｕｌｔｒａ-Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代ＲＡＴの導入が論議されており、このような技術を「ｎｅｗ  ＲＡＴ（ＮＲ）」と通称することができる。
【０２５０】
Ｎｅｗ  ＲＡＴシステムは、ＯＦＤＭ送信方式またはこれと類似の送信方式を使用し、代表的に以下の表３のＯＦＤＭヌメロロジーを有する。
【０２５１】
表３
【表７】
2019526973.tif 000030
【０２５２】
Ｓｅｌｆ-ｃｏｎｔａｉｎｅｄ  ｓｕｂｆｒａｍｅ  ｓｔｒｕｃｔｕｒｅ
【０２５３】
ＴＤＤシステムにおいてデータ送信遅延を最小化するために、５世代Ｎｅｗ  ＲＡＴでは、図１４のように、制御チャネルとデータチャネルがＴＤＭされたｓｅｌｆ-ｃｏｎｔａｉｎｅｄ  ｓｕｂｆｒａｍｅ構造が考慮されている。
【０２５４】
図１４は、本発明が適用されることができるｓｅｌｆ-ｃｏｎｔａｉｎｅｄ  ｓｕｂｆｒａｍｅ構造を例示する。
【０２５５】
図１４において斜線領域は、ＤＣＩ伝達のための物理チャネルＰＤＣＣＨの送信領域を示し、黒色部分は、ＵＣＩ（Ｕｐｌｉｎｋ  Ｃｏｎｔｒｏｌ  Ｉｎｆｏｒｍａｔｉｏｎ）伝達のための物理チャネルＰＵＣＣＨの送信領域を示す。
【０２５６】
ＤＣＩを介してｅＮＢがＵＥに伝達する制御情報には、ＵＥが知っていなければならないｃｅｌｌ構成に関する情報、ＤＬスケジューリングなどのＤＬ特定（ｓｐｅｃｉｆｉｃ）情報、及び／またはＵＬ承認（ｇｒａｎｔ）などのようなＵＬ特定情報などが存在できる。また、ＵＣＩを介してＵＥがｅＮＢに伝達する制御情報には、ＤＬデータに対するＨＡＲＱのＡＣＫ／ＮＡＣＫ報告、ＤＬチャネル状態に対するＣＳＩ報告、及び／またはＳＲ（Ｓｃｈｅｄｕｌｉｎｇ  Ｒｅｑｕｅｓｔ）などが存在できる。
【０２５７】
図１４中、表示がない領域は、ダウンリンクデータのための物理チャネルＰＤＳＣＨ送信領域として使用されることもでき、アップリンクデータのための物理チャネルＰＵＳＣＨ送信領域として使用されることもできる。このような構造の特徴は、一つのＳＦ（ｓｕｂｆｒａｍｅ）内でＤＬ送信とＵＬ送信が順次に行われて、該当ＳＦ内でＤＬデータを送信し、ＵＬＡＣＫ／ＮＡＣＫを受信することもできる。したがって、本構造をしたがう場合、データ送信エラー発生時にデータの再送信までかかる時間が減るようになり、これによって最終データ伝達の遅延（ｌａｔｅｎｃｙ）が最小化されることができる。
【０２５８】
このようなｓｅｌｆ-ｃｏｎｔａｉｎｅｄ  ｓｕｂｆｒａｍｅ構造で基地局とＵＥが送信モードから受信モードに転換される過程または受信モードから送信モードに転換される過程のための時間間隔（ｔｉｍｅ  ｇａｐ）が必要である。このために、ｓｕｂｆｒａｍｅ構造でＤＬからＵＬに転換される時点の一部ＯＦＤＭ  ｓｙｍｂｏｌがＧＰとして設定されることができ、このようなｓｕｂｆｒａｍｅ  ｔｙｐｅは、「ｓｅｌｆ-ｃｏｎｔａｉｎｅｄ  ＳＦ」と呼ぶことができる。
【０２５９】
Ａｎａｌｏｇ  ｂｅａｍｆｏｒｍｉｎｇ
【０２６０】
Ｍｉｌｌｉｍｅｔｅｒ  Ｗａｖｅ（ｍｍＷ）では、波長が短くなって同一面積に多数のアンテナ要素の設置が可能になる。すなわち、３０ＧＨｚ帯域で波長は、１ｃｍであって、５ｂｙ５ｃｍのパネルに０．５ｌａｍｂｄａ（波長）間隔で２-次元配列形態で総６４（８Ｘ８）個のアンテナ要素（ｅｌｅｍｅｎｔ）設置が可能である。したがって、ｍｍＷでは、多数個のアンテナ要素を使用してｂｅａｍｆｏｒｍｉｎｇ（ＢＦ）利得を高めてカバレッジを増加させるか、ｔｈｒｏｕｇｈｐｕｔを高めようとする。
【０２６１】
この場合に、アンテナ要素別に送信パワー及び位相調節が可能なようにＴＸＲＵ（ｔｒａｎｓｃｅｉｖｅｒ  ｕｎｉｔ）を有すると、周波数資源別に独立的なｂｅａｍｆｏｒｍｉｎｇが可能である。しかしながら、１００余個のアンテナ要素全部にＴＸＲＵを設置するには、価格側面で実效性が落ちるという問題を有するようになる。したがって、一つのＴＸＲＵに多数のアンテナ要素をマッピングし、ａｎａｌｏｇ  ｐｈａｓｅ  ｓｈｉｆｔｅｒでビームの方向を調節する方式が考慮されている。このようなａｎａｌｏｇ  ｂｅａｍｆｏｒｍｉｎｇ方式は、全帯域において一つのビーム方向だけを作ることができるから、周波数選択的ｂｅａｍｆｏｒｍｉｎｇはできないという短所を有する。
【０２６２】
Ｄｉｇｉｔａｌ  ＢＦとａｎａｌｏｇ  ＢＦの中間形態としてＱ個のアンテナ要素より少ない個数であるＢ個のＴＸＲＵを有するｈｙｂｒｉｄ  ＢＦを考慮することができる。この場合にＢ個のＴＸＲＵとＱ個のアンテナ要素の接続方式によって差はあるが、同時に送信できるビームの方向は、Ｂ個以下に制限される。
【０２６３】
また、Ｎｅｗ  ＲＡＴシステムでは、多数のアンテナが使用される場合、デジタルビームフォーミングとアナログビームフォーミングを結合したハイブリッドビームフォーミング技法が台頭されている。このとき、アナログビームフォーミング（または、ＲＦ（ｒａｄｉｏ  Ｆｒｅｑｕｅｎｃｙ）ビームフォーミング）は、ＲＦ端でプリコーディング（またはコンバイニング）を行う動作を意味する。ハイブリッドビームフォーミングにおいてＢａｓｅｂａｎｄ端とＲＦ端とは、各々プリコーディング（またはコンバイニング）を行い、これによってＲＦチェーン数とＤ（ｄｉｇｉｔａｌ）／Ａ（ａｎａｌｏｇ）（または、Ａ／Ｄ）コンバーター数を減らしながらもデジタルビームフォーミングに近接した性能を出すことができるという長所がある。便宜上、ハイブリッドビームフォーミング構造は、Ｎ個トランシバユニット（ＴＸＲＵ）とＭ個の物理的アンテナで表現されることができる。すると、送信端から送信するＬ個データレイヤーに対するデジタルビームフォーミングは、Ｎ  ｂｙＬ  行列で表現されることができ、以後変換されたＮ個のデジタル信号は、ＴＸＲＵを経てアナログ信号に変換された後、Ｍ  ｂｙ  Ｎ行列で表現されるアナログビームフォーミングが適用される。
【０２６４】
図１５は、ＴＸＲＵ及び物理的アンテナ観点でハイブリッドビームフォーミング構造を図式化した図である。図１５においてデジタルビームの個数は、Ｌ個であり、アナログビームの個数は、Ｎ個である場合を例示する。
【０２６５】
Ｎｅｗ  ＲＡＴシステムでは、基地局がアナログビームフォーミングをシンボル単位に変更できるように設計して、特定地域に位置した端末により効率的なビームフォーミングを支援する方向が考慮されている。なお、図１５において特定Ｎ個のＴＸＲＵとＭ個のＲＦアンテナを一つのアンテナパネル（ｐａｎｅｌ）として定義する時、Ｎｅｗ  ＲＡＴシステムでは、互いに独立的なハイブリッドビームフォーミングの適用が可能な複数のアンテナパネルを導入する方案まで考慮されている。
【０２６６】
基地局が複数のアナログビームを活用する場合、端末別に信号受信に有利なアナログビームが異なりうるから、少なくとも同期化信号（Ｓｙｎｃｈｒｏｎｉｚａｔｉｏｎ  ｓｉｇｎａｌ）、システム情報、ページングなどに対しては、特定Ｓｕｂｆｒａｍｅ（ＳＦ）で基地局が適用する複数のアナログビームをシンボル別に変えて、すべての端末が受信機会を有することができるようにするビームスウィーピング動作が考慮されている。
【０２６７】
図１６は、ＤＬ送信過程で同期化信号とシステム情報に対するビームスウィーピング動作を図式化図である。
【０２６８】
図１６においてＮｅｗ  ＲＡＴシステムのシステム情報がブロードキャスティング方式で送信される物理的資源（または物理チャネル）をｘＰＢＣＨ（ｐｈｙｓｉｃａｌ  ｂｒｏａｄｃａｓｔ  ｃｈａｎｎｅｌ）と命名した。
【０２６９】
図１６を参照すると、一つのシンボル内で互いに異なるアンテナパネルに属するアナログビームは、同時に送信されることができる。アナログビーム別にチャネルを測定するために、図１６に示すように、（特定アンテナパネルに対応する）単一アナログビームが適用されて送信されるＲＳのビームＲＳ（ＢＲＳ）を導入する方案が論議されている。ＢＲＳは、複数のアンテナポートに対して定義されることができ、ＢＲＳの各アンテナポートは、単一アナログビームに対応できる。このとき、ＢＲＳとは異なり、同期化信号またはｘＰＢＣＨは、任意の端末がよく受信することができるように、アナログビームグループ内のすべてのアナログビームが適用されて送信されることができる。
【０２７０】
ＬＴＥでのＲＲＭ測定
【０２７１】
ＬＴＥシステムでは、電力制御、スケジューリング、セル検索、セル再選択、ハンドオーバ、無線リンクまたは接続モニタリング、接続確立／再-確立などのためのＲＲＭ動作を支援する。サービングセルは、端末にＲＲＭ動作を行うための測定値であるＲＲＭ測定情報を要請できる。代表的にＬＴＥシステムでは、端末が各Ｃｅｌｌに対しセル検索情報、ＲＳＲＰ（ｒｅｆｅｒｅｎｃｅ  ｓｉｇｎａｌ  ｒｅｃｅｉｖｅｄ  ｐｏｗｅｒ）、ＲＳＲＱ（ｒｅｆｅｒｅｎｃｅ  ｓｉｇｎａｌ  ｒｅｃｅｉｖｅｄ  ｑｕａｌｉｔｙ）などの情報を測定／獲得して報告できる。具体的に、ＬＴＥシステムにおいて端末は、サービングセルからＲＲＭ測定のための上位階層信号として「ｍｅａｓＣｏｎｆｉｇ」を伝達される。端末は、前記「ｍｅａｓＣｏｎｆｉｇ」の情報に応じて、ＲＳＲＰまたはＲＳＲＱを測定できる。ここで、ＬＴＥシステムのＴＳ３６．２１４文書によるＲＳＲＰ、ＲＳＲＱ及びＲＳＳＩの定義は、以下のとおりである。
【０２７２】
［ＲＳＲＰ］
【０２７３】
参照信号受信電力（ＲＳＲＰ）は、考慮された測定周波数帯域幅内でＣＲＳ（ｃｅｌｌ-ｓｐｅｃｉｆｉｃ  ＲＳ）を伝達する資源要素の電力寄与度（ｐｏｗｅｒ  ｃｏｎｔｒｉｂｕｔｉｏｎｓ）（［Ｗ］で）に対した線形平均（ｌｉｎｅａｒ  ａｖｅｒａｇｅ）で定義される。ＲＳＲＰ決定のために、ＴＳ  ３６．２１１［３］に応じるＣＲＳ  Ｒ０が使用されなければならない。端末がＲ１が有効（ａｖａｉｌａｂｌｅ）であるということを信頼性あるように（ｒｅｌｉａｂｌｙ）検出できる場合、Ｒ０に追加してＲ１を使用してＲＳＲＰを決定できる。
【０２７４】
ＲＳＲＰの参照ポイントは、ＵＥのアンテナコネクターにならなければならない。
【０２７５】
万一、端末が受信機ダイバーシチ（ｄｉｖｅｒｓｉｔｙ）を使用する場合、報告された値は、任意の個別ダイバーシチブランチ（ｂｒａｎｃｈ）に対応するＲＳＲＰより小さくてはならない。
【０２７６】
［ＲＳＲＱ］
【０２７７】
参照信号受信品質（ＲＳＲＱ）は、割合Ｎ×ＲＳＲＰ／（Ｅ-ＵＴＲＡ搬送波ＲＳＳＩ）（すなわち、Ｅ-ＵＴＲＡ搬送波ＲＳＳＩ対Ｎ×ＲＳＲＰ）で定義され、ここで、Ｎは、Ｅ-ＵＴＲＡ搬送波ＲＳＳＩ測定帯域幅のＲＢ数である。分子と分母の測定は、同じ資源ブロック集合に対してなされなければならない。
【０２７８】
Ｅ-ＵＴＲＡ搬送波受信信号強度指示子（ＲＳＳＩ）は、測定帯域幅ですべてのソース（同一-チャネル（ｃｏ-ｃｈａｎｎｅｌ）サービング及び非-サービングセルを含む）からのＮ個の資源ブロックに対して、アンテナポート０に対する参照シンボルを含むＯＦＤＭシンボルにおいてのみ端末により観察／測定された総受信電力（［Ｗ］で）の線形平均とチャネル干渉、熱雑音などを含むことができる。上位階層シグナリングがＲＳＲＱ測定を行うための特定サブフレームを指示する場合、ＲＳＳＩは、指示されたサブフレーム内のすべてのＯＦＤＭシンボルに対して測定できる。
【０２７９】
ＲＳＲＱに対した参照ポイントは、ＵＥのアンテナコネクターにならなければならない。
万一、端末が受信機ダイバーシチ（ｄｉｖｅｒｓｉｔｙ）を使用する場合、報告された値は、任意の個別ダイバーシチブランチに対応するＲＳＲＱより小さくてはならない。
【０２８０】
［ＲＳＳＩ］
【０２８１】
ＲＳＳＩは、受信機パルス整形フィルタ（ｒｅｃｅｉｖｅｒ  ｐｕｌｓｅ  ｓｈａｐｉｎｇ  ｆｉｌｔｅｒ）により定義された帯域幅内で受信機から発生する熱雑音及び雑音を含んで受信された広帯域電力に該当できる。
【０２８２】
測定のための参照ポイントは、端末のアンテナコネクターにならなければならない。
【０２８３】
万一、端末が受信機ダイバーシチ（ｄｉｖｅｒｓｉｔｙ）を使用する場合、報告された値は、任意の個別受信アンテナブランチに対応するＵＴＲＡ搬送波ＲＳＳＩより小さくてはならない。
【０２８４】
前記定義に従って、ＬＴＥシステムで動作する端末は、内部周波数測定（Ｉｎｔｒａ-ｆｒｅｑｕｅｎｃｙ  ｍｅａｓｕｒｅｍｅｎｔ）の場合には、ＳＩＢ３（ｓｙｓｔｅｍ  ｉｎｆｏｒｍａｔｉｏｎ  ｂｌｏｃｋ  ｔｙｐｅ３）から送信される許容された測定帯域幅関連ＩＥ（ｉｎｆｏｒｍａｔｉｏｎ  ｅｌｅｍｅｎｔ）を介して、周波数間測定（Ｉｎｔｅｒ-ｆｒｅｑｕｅｎｃｙ  ｍｅａｓｕｒｅｍｅｎｔ）の場合には、ＳＩＢ５（ｓｙｓｔｅｍ  ｉｎｆｏｒｍａｔｉｏｎ  ｂｌｏｃｋ  ｔｙｐｅ５）から送信される許容された測定帯域幅を介して６、１５、２５、５０、７５，１００ＲＢ（Ｒｅｓｏｕｒｃｅ  Ｂｌｏｃｋ）のうち、一つに対応する帯域幅でＲＳＲＰを測定するよう許容されることができる。または、前記ＩＥがない場合、端末は、Ｄｅｆａｕｌｔとして全体ＤＬシステムの周波数帯域で測定できる。このとき、端末が許容された測定帯域幅を受信する場合、端末は、該当値を最大測定帯域幅と見なし、該当帯域幅／値以内で自由にＲＳＲＰの値を測定できる。ただし、サービングセルがＷＢ（ｗｉｄｅｂａｎｄ）-ＲＳＲＱと定義されるＩＥを送信し、許容された測定帯域幅を５０ＲＢ以上に設定すると、端末は、全体許容された測定帯域幅に対するＲＳＲＰ値を計算しなければならない。一方、ＲＳＳＩは、ＲＳＳＩ帯域幅の定義に従って、端末の受信機が有する周波数帯域で測定されることができる。
【０２８５】
図１７は、本発明に適用されることができるパネルアンテナアレイを例示する。
【０２８６】
図１７を参照すると、パネルアンテナアレイは、各々水平ドメインでＭｇ個及び垂直ドメインでＮｇ個のパネルから構成され、各一つのパネルは、Ｍ個の列とＮ個の行から構成されることができる。特に、本図においてパネルは、Ｘ-ｐｏｌ（交差偏波（ｃｒｏｓｓ  ｐｏｌａｒｉｚａｔｉｏｎ））アンテナを基準に示された。したがって、図１７の総アンテナ要素の個数は、２＊Ｍ＊Ｎ＊Ｍｇ＊Ｎｇ個でありうる。
【０２８７】
ポートレイアウト
【０２８８】
コードブックは、多様なタイプで定義されることができ、ＮＲ（Ｎｅｗ  ＲＡＴ）でコードブックは、大きくタイプ１及びタイプ２コードブックが存在できる。なお、各タイプ別にシングル-パネルに対するコードブックであるか、マルチ-パネルに対するコードブックであるかによっても細分化して区分されることができる（例えば、タイプ１シングル／マルチ-パネルコードブック及びタイプ２シングル-マルチ-パネルコードブック）。
タイプ１シングルパネルコードブックの場合、Ｗ１は、次の数式１６のように定義されることができる。ここで、Ｗ１は、長期（ｌｏｎｇ-ｔｅｒｍ）、広帯域（ｗｉｄｅｂａｎｄ）、ビームグループ選択の特性を有する第１ＰＭＩを意味する。
【０２８９】
【数１６】
2019526973.tif 000031
【０２９０】
少なくともランク１及びランク２に対して、Ｗ１のＢ（またはＢｉ）内で候補ＤＦＴ（Ｄｉｓｃｒｅｔｅ  Ｆｏｕｒｉｅｒ  Ｔｒａｎｓｆｏｒｍ）ビーム個数（Ｌ）は、１，２、４及び／または７でありうる。このようなＬ値は、ネットワーク（例えば、基地局）により設定されることができる。
【０２９１】
万一、Ｌ＞１の場合、ＵＥにより自由にＬ個のビームが選択されることができる。または、少なくとも一つのビームグループパターンが定義されることができるが、このようなビームグループパターンの例示は、図１８及び１９を参照して以下で後述する。このようなビームグループパターンは、ネットワーク（例えば、基地局）により設定されることができる。ビームパターンは、ＵＥにより報告されることができる。または、ｇＮＢにより自由にＬ個のビームが選択されることができる。
【０２９２】
Ｌ個のビーム選択がランク１及びランク２に同様に適用されるか、または互いに異なるように適用されることができる。万一、Ｌ＝１の場合、Ｗ１は、以下の数式１７のように定義されることができる。
【０２９３】
【数１７】
2019526973.tif 000032
【０２９４】
図１８は、本発明に適用されることができる２Ｄポートレイアウトの場合、Ｌ＝２の候補ビームグループパターンを例示する。本図においてパターンで表示された四角形が選択されたＬ個のビームを意味する。
【０２９５】
図１９は、本発明に適用されることができる２Ｄポートレイアウトの場合、Ｌ＝４の候補ビームグループパターンを例示する。本図においてパターンで表示された四角形が選択されたＬ個のビームを意味する。
【０２９６】
１Ｄポートレイアウトの場合、ビームグループパターンは、ｄにより均一に及び／または不均一に分離されたＬ＞１のビームの列（ｒｏｗ）を含む。Ｌ＞１の場合、ｄ１、ｄ２に対するシングルまたはマルチ値が支援されることができる。
【０２９７】
ＮＲでのコードブック提案
【０２９８】
Ｎｅｗ  ＲＡＴをはじめとして、パネルアレイアンテナを使用する無線通信システムでは、マッシブアンテナを利用したビームフォーミングを行うようになりながらビームが非常に狭く（ｎａｒｒｏｗ）形成され、パネルアンテナアレイの具現によってアンテナポート間ｌｉｎｅａｒ  ｉｎｃｒｅｍｅｎｔ性質が破られることができる。したがって、ＬＴＥ、ＬＴＥ-Ａなどで使用された、ＤＦＴ基盤のコードブックの性能が劣化できる。したがって、本明細書では、パネルアレイアンテナに適したコードブック構造を提案する。
【０２９９】
まず、一つのパネル内の２Ｄアンテナアレイに適用される２Ｄ  ＤＦＴビームを数式１７のように定義することができる。
【０３００】
【数１８】
2019526973.tif 000033
【０３０１】
数式１８中、ｍ１とｍ２は、それぞれ第１番目及び第２番目のドメインの１Ｄ-ＤＦＴコードブックのインデックスを表す。Ｎ１及びＮ２は、それぞれパネルの第１番目及び第２番目の次元（ｄｉｍｅｎｓｉｏｎ）の偏波（ｐｏｌ）別アンテナポートの個数を表す。ｏ１及びｏ２は、パネルの１番目及び第２番目の次元（ｄｉｍｅｎｓｉｏｎ）のオーバーサンプリング因子（ｆａｃｔｏｒ）を表す。
【０３０２】
図１７においてＭとＮは、アンテナ要素を表し（以下、説明の便宜上、Ｍを第１番目のドメイン（水平）パラメータ、Ｎを第２番目のドメイン（垂直）パラメータと呼ぶ）、多数のアンテナ要素に対して特定ベクトルに従ってアンテナ仮像化（ａｎｔｅｎｎａ  ｖｉｒｔｕａｌｉｚａｔｉｏｎ）を行なった後、アンテナ要素-対-ポートマッピング（ａｎｔｅｎｎａ  ｅｌｅｍｅｎｔ-ｔｏ-ｐｏｒｔ  ｍａｐｐｉｎｇ）を行なった結果に応じる第１番目のドメインと第２番目のドメインのポート数をそれぞれＮ１、Ｎ２と定義する。Ｎ１’とＮ２’をパネル当たりのポート数で定義すると、本発明で考慮する総アンテナポートの個数／数字（Ｎ¬ｔｏｔ）は、Ｐ＊Ｍｇ＊Ｎｇ＊Ｎ１’＊Ｎ２’と定義され、Ｐは、Ｘ-ｐｏｌアンテナの場合に２、ｃｏ-ｐｏｌ（同一偏波）アンテナの場合には１に設定されることができる。
【０３０３】
図２０は、本発明の一実施の形態による不-均一ポートアレイを例示した図である。
【０３０４】
図２０を参照して説明すれば、各パネル当たりの３２個の要素（すなわち、Ｍ＝４、Ｎ＝２、Ｐ＝２）を備えたパネルアレイに対して垂直方向の仮像化（ｖｅｒｔｉｃａｌ  ｖｉｒｔｕａｌｉｚａｔｉｏｎ）を行うと、Ｐ＝２、Ｎ１’＝４、Ｎ２’＝１、Ｍｇ＝２、Ｎｇ＝２で総３２-ポートになることができる。アンテナポートの場合、アンテナ仮像化にしたがってアンテナ要素に対応できるが、本明細書では、説明の便宜のために単一個のアンテナ要素または多数個のアンテナ要素が仮像化された後のアンテナポートを通称してアンテナポート’と通称する。ビームフォーミング遂行のためのアンテナポート情報（例えば、｛Ｎ１、Ｎ２、Ｏ１及びＯ２｝、及び／または｛Ｍｇ、Ｎｇ、Ｎ１’、Ｎ２’、Ｏ１及び／またはＯ２｝）は、上位階層シグナリングされるか、または端末とネットワークとの間に事前に互いに約束できる。
【０３０５】
Ｎｔｏｔの値は、多様に設定されることができるが、２、４、８、１２、１６、２０、２４、２８、３２-ポートなどのように、ＬＴＥシステムで支援されているアンテナポートに対して統合的に適用されることができるコードブック構造に従わなければならない。このために、本明細書では、マルチ-ステージコードブック構造を考慮し、この中でトリプル-ステージの例題は、以下の数式１９のとおりである。
【０３０６】
【数１９】
2019526973.tif 000034
【０３０７】
数式１９中、特定コードブック行列は、ＬＴＥ、ＬＴＥ-Ａに使用されるデュアル-ステージコードブック構造でのＷ１（第１ＰＭＩ）、Ｗ２（第２ＰＭＩ）で代替されることができる。
【０３０８】
３ＧＰＰ  Ｒｅｌ-１３コードブックは、Ｒｅｌ-１０、Ｒｅｌ-１２コードブックの二重（ｄｕａｌ）構造に従う。すなわち、Ｗ１（長期（ｌｏｎｇ-ｔｅｒｍ）、広帯域（ｗｉｄｅｂａｎｄ）、ビームグループ選択）、Ｗ２（短期（ｓｈｏｒｔ-ｔｅｒｍ）、サブバンド（ｓｕｂｂａｎｄ）、ビーム選択＋位相一致（ｃｏ-ｐｈａｓｉｎｇ））の特性を有して、二つの積（すなわち、Ｗ１及びＷ２の積）により最終コードブックが形成される。
【０３０９】
ただし、Ｒｅｌ-１０、Ｒｅｌ-１２コードブックとの差異点は、考慮するアンテナポートレイアウト（ａｎｔｅｎｎａ  ｐｏｒｔ  ｌａｙｏｕｔ）が２次元（２Ｄ：２  Ｄｉｍｅｎｓｉｏｎａｌ）を含むから、コードブックを構成する各ビームが垂直（ｖｅｒｔｉｃａｌ）ビーム及び水平（ｈｏｒｉｚｏｎｔａｌ）ビームのクロネッカー積（ｋｒｏｎｅｃｋｅｒ  ｐｒｏｄｕｃｔ）形態で現れるようになる。３ＧＰＰ  Ｒｅｌ-１３ランク（Ｒａｎｋ）１-２コードブックを数式で表すと、以下の数式２０のとおりである。
【０３１０】
【数２０】
2019526973.tif 000035
【０３１１】
数式２０中、Ｗ＾（１）は、ランク１コードブックの最終形態を表し、Ｗ＾（２）は、ランク２コードブックの最終形態を表す。
【０３１２】
ここで、Ｎ１及びＮ２は、それぞれ第１次元（１ｓｔ  ｄｉｍｅｎｓｉｏｎ）及び第２次元（２ｎｄ  ｄｉｍｅｎｓｉｏｎ）内の各偏波（ｐｏｌａｒｉｚａｔｉｏｎ）別ａｎｔｅｎｎａ  ｐｏｒｔの数である。ｏ１及びｏ２は、それぞれ第１次元（１ｓｔ  ｄｉｍｅｎｓｉｏｎ）及び第２次元（２ｎｄ  ｄｉｍｅｎｓｉｏｎ）内のオーバーサンプリング因子（ｏｖｅｒ  ｓａｍｐｌｉｎｇ  ｆａｃｔｏｒ）である。
【０３１３】
そして、ｍ１、ｍ２は、それぞれ水平（ｈｏｒｉｚｏｎｔａｌ）と垂直（ｖｅｒｔｉｃａｌ）（または第１（１ｓｔ）及び第２（２ｎｄ）ドメイン（ｄｏｍａｉｎ））でＤＦＴベクトルの選択方法を表す。ｍ１（ランク２の場合、ｍ１及びｍ１’）とｍ２（ランク２の場合、ｍ２及びｍ２’）を介して特定Ｗ１（すなわち、第１ＰＭＩ）２Ｄビームグループ（すなわち、コードブック構成（Ｃｏｄｅｂｏｏｋ  Ｃｏｎｆｉｇ）１ないし４）を構成できる。そして、下の添字ｎは、位相一致（ｃｏ-ｐｈａｓｉｎｇ）を表す。
【０３１４】
すなわち、３ＧＰＰ  Ｒｅｌ-１３コードブックは、クロネッカー積の演算を利用して、Ｒｅｌ-１０の８Ｔｘ（８ｐｏｒｔ送信）コードブックを２次元に拡張したと見なすことができる。
【０３１５】
提案１）アナログコードブック
【０３１６】
本提案では、アナログビームフォーミングに該当するＣＳＩ情報をコードブックを利用して報告する方法を提案する。
【０３１７】
実施の形態として、数式１９のマルチステージのうち、一つのステージ（例えば、Ｗ１）でＴｘ／Ｒｘアナログビームフォーミングに相応するコードワード選択の機能／役割を行うか、または単独コードブック行列でアナログコードブックが構成されることができる。
【０３１８】
アナログビームフォーミングの場合、ＴＸＲＵ仮像化の加重値ベクトル（ｗｅｉｇｈｔｉｎｇ  ｖｅｃｔｏｒ）としてＦＤ-ＭＩＭＯの２Ｄサブアレイモデルを利用して、次の数式２１のように構成されることができる。
【０３１９】
【数２１】
2019526973.tif 000036
【０３２０】
ここで、ｄｖ、ｄＨは、各アンテナ要素の間隔（ｓｐａｃｉｎｇ）、
2019526973.tif 000037
は、キャリア周波数、Ｋは、ＴＸＲＵ当たりのＮ１ドメインのアンテナ要素個数、Ｌは、ＴＸＲＵ当たりのＮ２ドメインのアンテナ要素個数、Ｏ＿１ＴＸＲＵとＯ＿２ＴＸＲＵは、ＴＸＲＵを構成する各ドメインの要素で形成される１-ＤＦＴビームのオーバーサンプリング因子であり、ｗｏの長さは、Ｋ＝Ｍ／Ｎ１’により、ｖｉの長さは、Ｌ＝Ｎ／Ｎ２’により各々与えられる。そして、
2019526973.tif 000038
は、それぞれＮ１とＮ２ドメインの特定指向角度（ａｎｇｌｅ）を表し、Ｎ１が水平ドメイン、Ｎ２が垂直ドメイン場合、ｓｃａｎ  ａｎｄ  ｔｉｌｔ  ａｎｇｌｅで表現されることができる。
【０３２１】
したがって、最終Ｔｘアナログビーム形態は、数式２２のように決定されることができる。
【０３２２】
【数２２】
2019526973.tif 000039
【０３２３】
数式２２は、Ｎ２方向に仮像化のためのアンテナ要素インデクシングがまず行われるケースに該当し、仮に、Ｎ１方向に仮像化のためのアンテナ要素インデクシングがまず行われる場合には、数式２２が以下の数式２３のように変形されなければならない。
【０３２４】
【数２３】
2019526973.tif 000040
【０３２５】
アナログビームが指向する方向は、前記説明のように２Ｄであるか、水平あるいは垂直仮像化に該当するベクトルだけを使用して１Ｄ方向だけを指向することもできる。本明細書では、説明の便宜のために、数式２２に基づいた２Ｄアナログビームを中心に各実施の形態を説明するが、これに限定されるものではない。
【０３２６】
数式２１の各ベクトルは、数学的関係を介して同一に数式１８のＤＦＴビームで表現が可能であり、一例として傾斜（ｔｉｌｔｉｎｇ）で表現して、数式２１を変換すると、以下の数式２４のように表現できる。
【０３２７】
【数２４】
2019526973.tif 000041
【０３２８】
数式２４を利用して数式２１は、次の数式２５のように表現されることができる。
【０３２９】
【数２５】
2019526973.tif 000042
【０３３０】
ここで、ｋ＝０，…，ｏ＿（Ｋ-１）、ｌ＝０，…，ｏ＿（Ｌ-１）になる。すると、アナログコードブックの最大サイズは、Ｌ＊Ｏ＿１ＴＸＲＵとＫ＊Ｏ＿２ＴＸＲＵの積で表すことができる。アナログコードブックは、結果傾斜角度（ｒｅｓｕｌｔｉｎｇ  ｔｉｌｔｉｎｇ  ａｎｇｌｅ）とスキャン角度（ｓｃａｎ  ａｎｇｌｅ）がすべてのアジマス角度（ａｚｉｍｕｔｈ  ａｎｇｌｅ）とゼニス角度（ｚｅｎｉｔｈ  ａｎｇｌｅ）を均一（ｕｎｉｆｏｒｍ）に設定して構成されるか（例えば、数式２６、前記例題でゼニス角度の範囲を-ｐｉからｐｉに、アジマス角度の範囲を-ｐｉ／３からｐｉ／３に仮定）、
2019526973.tif 000043
、
2019526973.tif 000044
のようにアナログビームの境界支点をアナログビームの個数分だけ均一に分けて構成されることができる。このとき、使用されるアナログビームの個数及び／またはアナログビーム角度の境界値は、ＲＲＣで基地局が端末に知らせることができる。
【０３３１】
【数２６】
2019526973.tif 000045
【０３３２】
上述したアンテナ仮像化に相応するアナログコードブックの場合、以下の２通りのコードブックに区分されて構成されることができる。
【０３３３】
-選択コードブック
【０３３４】
-ＮＰ（Ｎｏｎ-Ｐｒｅｃｏｄｅｄ）ＣＳＩ-ＲＳ基盤アナログコードブック
【０３３５】
以下、選択コードブック及びＮＰ  ＣＳＩ-ＲＳ基盤アナログコードブックの各々に対して提案する。
【０３３６】
アナログビーム選択コードブックの場合、基地局が特定Ｎ＿Ａ（例えば、Ｎ＿Ａの値は、Ｌ＊Ｏ＿１ＴＸＲＵ＊Ｋ＊Ｏ＿２ＴＸＲＵに、または基地局が端末に知らせた特定値に設定／定義されることができる）個のアナログビームフォーミングビームが各々Ｎ＿Ａ個のＣＳＩ-ＲＳポート（あるいは、アナログビームフォーミングのための特定ポート）にマッピングされ、端末は、ポート選択コードブックを利用して（選択された）ＰＭＩを報告できる。
【０３３７】
端末は、このうち、最適の（ｂｅｓｔ）ビーム、第１番目及び第２番目の最適のビーム、あるいは最適のビームと最悪（ｗｏｒｓｔ）のビームなど、基地局と事前に約束された（または基地局から指示された）個数分だけの多数のビームを報告できる。このために、基地局は、Ｋ、Ｏ＿１ＴＸＲＵ、Ｌ、Ｏ＿２ＴＸＲＵなどの情報あるいはＮ＿Ａ値を上位階層シグナリングを介して端末に指示するか、または事前に端末と約束できる。端末のチャネル環境によって端末に対して主に使用される傾斜角度あるいはスキャン角度が制限されうるので、アナログビームスウィーピングのオーバーヘッドを減らすために、基地局は、ビームスウィーピングに使用されるアナログビームの個数及び／または報告されなければならないアナログビームの個数を上位階層に端末にしらせるか、または端末と事前に約束できる。
【０３３８】
選択コードブックを使用する場合、一つのアナログビームは、一つのアンテナポートにマッピングされて送信され、端末は、選択ベクトルをコードブックで構成して基地局に報告するようになる。すなわち、この場合、アナログビーム選択ベクトルでコードブックが構成され、コードワードは、数式２７のとおりであり、端末は、数式２７のｉインデックスを基地局に報告するようになる。
【０３３９】
【数２７】
2019526973.tif 000046
【０３４０】
最適のＴｘアナログビーム報告コードブックは、このような数式２７を利用して数式２８のように表現されることができる。
【０３４１】
【数２８】
2019526973.tif 000047
【０３４２】
この場合、コードブックのフィードバックビット数は、
2019526973.tif 000048
になる。例えば、Ｎ＿Ａ＝３２の場合、総５-ビットのフィードバックペイロードが要求される。
第２番目の最適のビームあるいは最悪のビームを端末が追加報告する場合、端末が報告するビームの個数を指示する指示子またはＬＴＥシステムでのＲＩがビームの個数を指示する指示子として新しく定義されて使用されることができる。例えば、最適のビームに第１番目のビーム、最悪のビームに第４番目のビームが選択された場合、端末は、ＲＩ＝２と数式２８に第１番目のビーム及び第４番目のビームが適用された
2019526973.tif 000049
に対応するＰＭＩインデックスを基地局に報告できる。そして／または、端末は、各ビームに対して、ランク１制限（ｒｅｓｔｒｉｃｔｉｏｎ）を仮定し、ＰＭＩを互いに異なる周期及び／またはオフセットで報告できる。この場合、報告されたフィードバックビット数は、
2019526973.tif 000050
になる。そして／または、端末は、ＴＸアナログビーム範囲を指示する用途（例えば、
2019526973.tif 000051
において
2019526973.tif 000052
と
2019526973.tif 000053
を指示する用途）として前記コードブックを使用することもできる。
【０３４３】
本実施の形態では、垂直傾斜／ドメインを中心に例示したが、これに限定されなく、水平傾斜／ドメインあるいは二傾斜／ドメインが共に使用される２Ｄ-傾斜／ドメインを指すための用途として、本コードブックが使用されることができる。また、本実施の形態の場合、端末が基地局にアナログコードブックサブセット制限に対する情報を提供すると理解／解析されることができ、デジタルコードブックにも適用可能である。
【０３４４】
アナログビームスウィーピングの場合、長期（ｌｏｎｇ  ｔｅｒｍ）及びｗｉｄｅｂａｎｄ特性を有するので、ペイロードサイズが大きく問題にならない。したがって、前記アナログビーム選択コードブックを使用する場合、より精巧なフィードバックのために、数式２９のようなアナログビーム線形結合（ｌｉｎｅａｒ  ｃｏｍｂｉｎｉｎｇ）形態のフィードバックが考慮されることができる。
【０３４５】
【数２９】
2019526973.tif 000054
【０３４６】
数式中、
2019526973.tif 000055
は、ビーム結合に参加するｌ-番目のビームのセットであり、ｃｉは、結合係数で特定複素数（ｃｏｍｐｌｅｘ）値を有することができ、
2019526973.tif 000056
から構成されることができる。
2019526973.tif 000057
、
2019526973.tif 000058
を構成する元素のうち、少なくとも一部は、事前に基地局と端末との間に約束されるか、または基地局が端末にＲＲＣで指示できる。例えば、ＴＸビームスウィーピングに使用されるアナログビームの総個数が４個であり、結合に参加するビームの個数が２個である場合、
2019526973.tif 000059
、
2019526973.tif 000060
のように構成されることができる。前記例題の場合、要求されるフィードバックビットは、３＋２＋２＝７ビットになり、前記フィードバック要素／コンテンツのうち、少なくとも一部は、ジョイントエンコーディング（ｊｏｉｎｔ  ｅｎｃｏｄｉｎｇ）されてフィードバック／報告されることができる。そして／または各要素／コンテンツ別に互いに異なる周期及び／または互いに異なるフィードバック細分性／単位（ｆｅｅｄｂａｃｋ  ｇｒａｎｕｌａｒｉｔｙ／ｕｎｉｔ）（例えば、Ｗｉｄｅｂａｎｄ（ＷＢ）／Ｓｕｂｂａｎｄ（ＳＢ））でフィードバックされることができる。数式２７を介した選択のみを利用するコードブックに比べて、結合コードブックに従う場合、相対的により高い細分性（ｇｒａｎｕｌａｒｉｔｙ）を有するアナログコードブック具現が可能であるという長所がある。
【０３４７】
端末が干渉の多い環境（例えば、セル境界）に位置する場合、干渉（ｉｎｔｅｒｆｅｒｉｎｇ）ＴＲＰ（Ｔｒａｎｓｍｉｓｓｉｏｎ  Ｒｅｃｅｐｔｉｏｎ  Ｐｏｉｎｔ）から送信されるアナログビームの干渉により、性能熱化が深化することができる。この場合、端末は、干渉を前記コードブックで測定して、対応するコードワードと共に／同時に干渉により減った電力レベルに対する情報（例えば
2019526973.tif 000061
、ここでＰは、送信電力）もまた基地局に報告できる。
【０３４８】
上述した実施の形態では、基地局のＴｘビームスウィーピング動作を中心に説明した。しかしながら、端末がＲｘビームスウィーピングを行う場合、これに対する情報もまた端末が基地局に報告することによって、基地局が端末のＵＬビームフォーミング情報も把握することができる。すなわち、Ｒｘアナログビームを数式２５と同様にして表せば、数式３０のとおりである。
【０３４９】
【数３０】
2019526973.tif 000062
【０３５０】
数式中、ＡとＢは、端末のＴＸＲＵを構成する第１番目のドメインと第２番目のドメインのアンテナ要素の個数をそれぞれ表し、
2019526973.tif 000063
と
2019526973.tif 000064
は、アナログＤＦＴコードブックを構成する第１番目及び第２番目のドメインのオーバーサンプリング因子をそれぞれ表す。
最終２Ｄ（あるいは１Ｄ）ＤＦＴビームは、数式２２のように、数式３０を利用してクロネッカー積の形態で
2019526973.tif 000065
または
2019526973.tif 000066
のように表現されることができる。
【０３５１】
端末は、ＵＬコードブック構成のために、基地局にＡ、Ｂ、
2019526973.tif 000067
と
2019526973.tif 000068
の情報あるいはＲｘビームフォーミングの個数を追加的にフィードバックできる。そして／または端末は、ポートインデクシング方向（すなわち、
2019526973.tif 000069
であるか、あるいは
2019526973.tif 000070
であるか）に対しても追加的に基地局にフィードバックするか、または事前に基地局と約束できる。全体Ｒｘアナログビームフォーミングコードブックの大きさ（Ｎｒｘ、ｔｏｔ）は、「
2019526973.tif 000071
」になることができ、端末のＲｘビームフォーミング選択コードブックは、数式３１のように表すことができる。
【０３５２】
【数３１】
2019526973.tif 000072
【０３５３】
ここで、Ｎ＿（Ａ、ＲＸ）は、Ｒｘビームフォーミングの個数を表す。
【０３５４】
Ｔｘ-Ｒｘビーム対コードブックは、一例として
2019526973.tif 000073
の全体アナログコードブックの中で統合的に報告されるか、またはそれぞれ独立的に報告されることができ、互いに異なるフィードバック周期、オフセット及び／またはフィードバック細分性／単位（ｇｒａｎｕｌａｒｉｔｙ／ｕｎｉｔ）（例えば、ｗｉｄｅｂａｎｄ／ｓｕｂａｎｄ／ｐａｒｔｉａｌ-ｂａｎｄ）を有することができる。または、端末がＲＸビームフォーミングを指示するための用途として、ＲＩが利用されることもできる。例えば、ＲＩ＝２で報告された場合、基地局は、ＲＸビームフォーミングも（ＴＸビームフォーミングと）共に報告されると認識でき、
2019526973.tif 000074
のコードブックで各ＴＸ-ＲＸビームフォーミングを計算できる。
【０３５５】
上述したアナログビームフォーミング選択コードブックの場合、アナログビームフォーミングされたポート数に応じて、複雑度が線形的（ｌｉｎｅａｒｌｙ）に増加するようになる。すなわち、Ｎ＿Ａ＝１２８の場合、一つの資源に必要なＣＳＩ-ＲＳポート数は、１２８個になり、このように多くのポート数を毎ＰＲＢ-対に送信することは、非効率的でありうる。したがって、全体アナログビームフォーミングされたＣＳＩ-ＲＳポートをＮ個のサブ-ポートグループに分割し、分割されたＮ個のサブ-ポートグループの各々をＮ個のＰＲＢ-対の各々に一対一マッピングさせ、Ｎ個のサブ-ポートグループが毎Ｎ個のＰＲＢ-対ごとに送信されるようにするＣＳＩ-ＲＳ  Ｃｏｍｂ-タイプ送信が考慮されることができる（すなわち、一つの資源に必要なＣＳＩ-ＲＳポートをＮ個のＰＲＢ-対にかけて分割送信）。例えば 、Ｎ＿Ａ＝１２８でありＮ＝４の場合、０、４、８、…ＰＲＢ-対（すなわち、４ｎ  ＰＲＢ-対（ｎ＝０，１，２…））に０〜３１番目のビームに該当するポートが、１，５，９，…ＰＲＢ-対（すなわち、４ｎ＋１  ＰＲＢ-対（ｎ＝０，１，２…））に３２-６３番目のビームに該当するポートが、２，６，１０，…ＰＲＢ-対（すなわち、４ｎ＋２  ＰＲＢ-対（ｎ＝０，１，２…））に６４〜９５番目のビームに該当するポートが、３，７，１１，…ＰＲＢ-対（すなわち、４ｎ＋３  ＰＲＢ-対（ｎ＝０，１，２…））に９６〜１２７番目のビームに該当するポートが各々送信されることができる。または、各サブポートグループに相応／含まれるポート（前記例示の場合、３２個）は、各サブポートグループ別に（及び／または各サブポートグループ内のポート別に）互いに異なる時間オフセット及び／または周期で送信されることができる。
【０３５６】
端末の報告側面でオーバーヘッドを減らすために、ＲＩを上述したタイムオフセット及び／または周波数オフセット指示用途として使用してポート選択が行われることができる。例えば、前記例示において、最適のアナログビームが６４番である場合、端末は、ＲＩ＝３及びＰＭＩ＝１（
2019526973.tif 000075
）を基地局に報告できる。
【０３５７】
上述した選択基盤コードブックの場合、ビーム運営の目的で単独で使用されることができ、他のＣＳＩ（例えば、ｉ１（第１ＰＭＩ）、ｉ２（第２ＰＭＩ）、ＲＩ、ＣＱＩ及び／またはＣＲＩ）より高い優先順位を有することができる。また、端末が特定臨界値（ｔｈｒｅｓｈｏｌｄ）以下にビーム利得が落ちる場合、基地局に選択コードブックのためのＣＳＩ-ＲＳポート送信をトリガリングするか、または参照資源受信の直前に報告したビームインデックスと異なるビームインデックス（例えば、第２番目最適のビームインデックス）を報告できる。
【０３５８】
以下、ＮＰ  ＣＳＩ-ＲＳ基盤アナログコードブックについて説明する。
【０３５９】
ビームスウィーピングの場合、ビームの個数が増加するほど（すなわち、Ｋ、Ｌ、ｏ１、ｏ２が大きくなるほど）ビームスウィーピングに使用されるＯＦＤＭのシンボルの個数及び／またはＣＳＩ-ＲＳポート資源がたくさん必要となり、端末の計算複雑度が大きく増加する。全体アンテナ要素の個数あるいはＫ＊ＬがＮＲで支援されるＣＳＩ-ＲＳの個数と同一であると、ＮＰ  ＣＳＩ-ＲＳを利用して（すなわち、要素-対-ポートの１：１マッピングを介して）、端末は、チャネルを測定し、最適のアナログビーム及び／またはデジタルビームを報告できる。
【０３６０】
一つの例題で数式１９を利用して最終コードブックとして数式３２を構成できる。この場合、端末がアナログコードブックを報告する時 、アナログコードブックは、マルチ-ステージ（例えば、数式３２のようなトリプル-ステージ）コードブックに基づいて報告でき、マルチ-ステージコードブックの一つの構成要素として報告できる。
【０３６１】
【数３２】
2019526973.tif 000076
【０３６２】
数式３２の第１番目の行列のｄｉａｇｏｎａｌ  ｔｅｒｍに位置するアナログコードブック（
2019526973.tif 000077
）は、数式２２あるいは２３で構成されることができ、Ｗ１とＷ２には、ＬＴＥコードブックまたは後述するデジタルコードブックが適用されることができる。また
2019526973.tif 000078
である場合、すべてのデジタルポートに対して同じアナログビームが適用されるので、この場合、端末は、すべてのポートに対する代表アナログビームのＰＭＩのみをフィードバック／報告すればよい。ただし、さらに正確なＣＳＩフィードバックのために、端末は、すべてのポートに互いに異なるアナログビームが適用される
2019526973.tif 000079
を仮定して、フィードバック／報告を行うこともできる。この場合、すべてのポートに同じアナログビームが適用される場合に比べて、フィードバックビット数がＮ＿ｐｏｒｔｓ分だけ増えるという短所がありうるが、アナログビームに関するＰＭＩ（すなわち、Ｗａ）フィードバックが長期（ｖｅｒｙ  ｌｏｎｇ  ｔｅｒｍ）（例えば、デジタルＷ１またはＲＩの整数倍）という特性を有するので、全体システムの観点でオーバーヘッドの増加はあまり大きくない。
【０３６３】
したがって、前記コードブックの効率的な適用のために、基地局は、すべてのポートのアナログビームが同じであるという仮定下に、端末のアナログコードブックフィードバック周期に合せて、第１番目のＣＳＩ-ＲＳ資源内のＫ＊Ｌ個ポートにＮＰ  ＣＳＩ-ＲＳを送信できる。この場合、端末は、最適のアナログビームインデックスを基地局に報告し、基地局は、これを利用して第２番目のＣＳＩ-ＲＳ資源にアナログビームフォーミング（端末が報告したアナログビームインデックスに該当する）が適用されたＮ＿ｐｏｒｔｓ  ＣＳＩ-ＲＳを端末に送信できる。端末は、Ｎ＿ｐｏｒｔｓに対する／対応するＲＩ、ＰＭＩ及び／またはＣＱＩを基地局に報告／フィードバック（すなわち、デジタルコードブックフィードバック）できる。上述した２個の資源（すなわち、第１番目及び第２番目のＣＳＩ-ＲＳ資源）は、互いに異なる周期及び／またはオフセットを有することができる。万一、両資源の間に衝突が発生する場合、アナログビームフォーミングのための資源（すなわち、アナログビームを決定するための資源、前記例示の場合、第１番目のＣＳＩ-ＲＳ資源）がより高い優先順位を有する。
【０３６４】
あるいは、高い細分性（ｈｉｇｈ  ｇｒａｎｕｌａｒｉｔｙ）を有するコードブック適用のために、基地局は、１個の資源内にＫ＊Ｌ＊Ｎ＿ｐｏｒｔｓ個のＮＰ  ＣＳＩ-ＲＳポートを利用してＣＳＩ-ＲＳを送信でき、端末は、これに基づいて最適のＰＭＩ、ＣＱＩ及び／またはＲＩを基地局に報告できる。
【０３６５】
提案２）デジタルコードブック
【０３６６】
Ｎｅｗ  ＲＡＴでもＬＴＥコードブックあるいはクラスＡコードブックが再使用されることができる。このようなコードブックは、デュアルステージ構造を有することをその特徴とし、このような構造の例示にＲｅｌ-１０  ８Ｔｘ、Ｒｅｌ-１２  ４Ｔｘ、Ｒｅｌ-１３  １２Ｔｘ、１６Ｔｘ、Ｒｅｌ-１４  ２０-、２４-、２８-、３２Ｔｘコードブックなどが存在する。デュアルステージ構造（すなわち、Ｗ＝Ｗ１＊Ｗ２）において、Ｗ１は、長期（ｌｏｎｇ-ｔｅｒｍ）／ｗｉｄｅｂａｎｄ特性で特定個数のビームグループを決定する役割をし、Ｗ２は、短期（ｓｈｏｒｔ-ｔｅｒｍ）／ｓｕｂｂａｎｄ特性でＷ１として決定されたビームグループ内でのビーム選択とＸ-ｐｏｌアンテナ状況で位相-一致（ｃｏ-ｐｈａｓｅ）役割を行うようになる。
【０３６７】
Ｎｅｗ  ＲＡＴで使用されるコードブックの場合、一つのフレームワーク内で構成されることが好ましく、ＴＸポートを構成するパラメータＮ１及びＮ２、コードブックを構成するｏ１、ｏ２などのような設定情報でコードブックを構成することが拡張性（ｓｃａｌａｂｉｌｉｔｙ）維持及び端末具現に容易であると予想される。
【０３６８】
ＬＴＥ２-ポートコードブックの場合、ランク１は、ＱＰＳＫ（ｑｕａｄｒａｔｕｒｅ  ｐｈａｓｅ-ｓｈｉｆｔ  ｋｅｙｉｎｇ）（表４のインデックス０，１，２，３）、ランク２は、ＱＰＳＫ（表４のインデックス０，１，２）で構成される。しかしながら、ポートにアナログビームが適用されてもう少しｓｈａｒｐなビームになる場合、ビームの細分性（ｇｒａｎｕｌａｒｉｔｙ）を増やすことが性能側面で良い。
【０３６９】
したがって、本明細書では、２-ポートの細分性（ｇｒａｎｕｌａｒｉｔｙ）を増やすために、位相一致（ｃｏ-ｐｈａｓｅ）に８-ＰＳＫを考慮したランク１とランク２の２-ポートコードブックを表４のように構成することを提案する。
【０３７０】
表４
【表８】
2019526973.tif 000080
【０３７１】
そして／または、基地局が端末にコードブックビットフィールドを設定して、最終コードブックがＱＰＳＫであるか８-ＰＳＫであるかを設定できる。例えば、端末が基地局から２-ビットフィールドを設定されると、端末は、表４において０〜３番のインデックスのコードブックを使用し、３-ビットフィールドを設定されると、表４において０〜７番のインデックスのコードブックを使用することができる。これは、コードブックサブセット制限（ｃｏｄｅｂｏｏｋ  ｓｕｂｓｅｔ  ｒｅｓｔｒｉｃｔｉｏｎ）と類似の用途として使用されることができる。既存のコードブックサブセット制限の場合、フィードバックビットは減らすことができないのに比べて、前記提案する方式は、フィードバックビットを減少させてアップリンクオーバーヘッドが減るという効果を有する。
【０３７２】
さらに他の実施の形態として、ポート別に互いに異なるアナログビームフォーミングが行われ、一つのアナログビームを構成する仮像化（ｖｉｒｔｕａｌｉｚａｔｉｏｎ）のアンテナ要素が多くて非常にｓｈａｒｐなビームが構成される場合、デジタルコードブックの適用によるコードブック性能の向上は、それほど高くないと予想される。このような場合には、２-ポートに互いに異なるビームを適用し、特定ポートに対する選択のみを行うことがより効率的でありうる。このときに提案可能な２-ポートコードブック構成は、表５のとおりである。
【０３７３】
表５
【表９】
2019526973.tif 000081
【０３７４】
表５による本提案は、ランク２の場合、ＰＭＩフィードバック（すなわち、ビーム選択）が必要でないという特徴を有する。
【０３７５】
さらに他の実施の形態として、ポート別に互いに異なる振幅（ｍａｇｎｉｔｕｄｅ）を有するコードワードを有するコードブックが構成されることもでき、これに対する例示は、数式３３のとおりである。
【０３７６】
【数３３】
2019526973.tif 000082
【０３７７】
数式３３に例示したように、２-ポートコードブックは、一つのポートを基準として他のポートは、相対的に同一または小さな特定振幅を有することができる。例えば、数式３３において
2019526973.tif 000083
に設定されることができる。前記コードブックは、αが１の場合、表４で例示したコードブックの性格を有し、αが０の場合、表５で例示したポート選択コードブックと類似になるという特徴を有する。このようなαの場合、ｗｉｄｅｂａｎｄまたはｐａｒｔｉａｌ-ｂａｎｄ単位で適用可能であり、報告周期は、長期の特性を有する。数式３３において位相に対応する
2019526973.tif 000084
の場合、ｎ値の範囲によってＱＰＳＫ、８-ＰＳＫに設定されることができる。
【０３７８】
したがって、基地局は、α値及び／または
2019526973.tif 000085
位相一致サイズに該当する特定情報をＲＲＣで端末に知らせるか、または事前に端末と約束できる。あるいは、基地局が端末にコードブックの振幅と位相-一致に対するビットフィールドを各々あるいは統合してシグナリング／構成して、端末に設定できる。例えば、振幅のビットフィールドサイズが１-ビットに設定されると、
2019526973.tif 000086
あるいは
2019526973.tif 000087
でありえ、基地局は、位相-一致ビットフィールドサイズを２-ビットに設定して、位相-一致に対する情報をＱＰＳＫに基づいて端末に知らせることができる。
【０３７９】
前記説明したコードブックは、Ｘ-ｐｏｌを仮定して各ポート当たりの同じアナログビームが設定／適用された場合にさらに適合するよう適用されることができる。これに対し、各ポート当たりの互いに異なるアナログビームが設定／適用される場合、互いに異なるビーム利得によってどんなポートがより良いビーム利得として設定されるかが曖昧でありうる。したがって、前記提案コードブックをもう少し一般化した数式３４のような構造のコードブックが提案されることができる。本コードブックに従うとき、各ポートの電力振幅コードブックの独立的な設定が可能なので、性能利得が向上する。
【０３８０】
【数３４】
2019526973.tif 000088
【０３８１】
数式３４によるコードブックにおいて、各パラメータ（
2019526973.tif 000089
）の値（及び／または各パラメータセット及び／またはセットサイズ）は、ＲＲＣで設定されるか、または事前に基地局と端末との間に約束できる。あるいは、
2019526973.tif 000090
のフィードバックビットを減らすために、相対的に大きな利得を有するポートインデックスを端末が１-ｂｉｔで基地局に報告すると、基地局は、報告された該当ポートの振幅係数を「１」に設定できる。この場合、端末は、残りの他の一つのポートの振幅係数情報のみを基地局に報告するようになり、その結果、フィードバックビットが減るようになる。例えば、端末が大きな利得を有するポートインデックスとして第２番目のポートをフィードバック／報告する場合、β＝１に決定／設定され、αは、基地局が端末に設定したあるいは基地局-端末間に事前に約束した振幅セット（例えば、
2019526973.tif 000091
）内で端末が基地局に報告した値に決定／設定されることができる。
【０３８２】
上述した２-ポートコードブックをデュアルステージ構造の統合されたフレームワークに適用するために、Ｗ１（行列）を正方行列（Ｉ）と仮定し、表４あるいは表５のコードブックをＷ２（行列）に適用できる（すなわち、Ｗ＝Ｗ１＊Ｗ２＝Ｉ＊Ｗ２）。他の方式でＷ１の場合、上述したアナログビーム選択コードブックを使用し、Ｗ２の場合、表４と表５で構成して、Ｗ＝Ｗ１＊Ｗ２＝Ｗａ＊Ｗ２の形態でコードブックを定義／適用できる。Ｗａには、上述したＴｘアナログコードブック構成方式が使用されることができる。他の方式でＷａは、Ｎ＿（ａ、Ｔｘ）個のアナログビーム選択コードブックでありうる。例えば、Ｎ＿（ａ，Ｔｘ）＝４の場合、Ｗａの選択コードブックは、
2019526973.tif 000092
またはペイロードサイズを合せるために、この中、一部から構成されたセット、例えば、ＬＴＥ-Ａランク２コードブックのビーム選択組み合わせ（ｃｏｍｂｉｎａｔｉｏｎ）であるに
2019526973.tif 000093
設定／定義できる。または、Ｎ＿（ａ，Ｔｘ）＝４の場合、Ｗａの選択コードブックは、表５に特化されてポート別に互いに異なるビームを使用した形態（前記例題の場合）
2019526973.tif 000094
に設定／定義／送信されることができる。
【０３８３】
さらに他の２-ポートコードブック構成方式で、Ｗ＝Ｗａ＊Ｗ２においてＷ２を線形結合コードブック（ｌｉｎｅａｒ  ｃｏｍｂｉｎｉｎｇ  ｃｏｄｅｂｏｏｋ）で構成することもできる。例えば、Ｗ２は、
2019526973.tif 000095
のように構成されることができ、ｃ１とｃ２は、複素数（ｃｏｍｐｌｅｘ）値を有する。
【０３８４】
上述したコードブックのうち、中どんなコードブックを使用／適用するかに対しては、基地局が端末にＲＲＣで設定できる。
【０３８５】
提案３）パネル基盤コードブック
【０３８６】
Ｎｅｗ  ＲＡＴの新しい特徴の一つは、図２０のように多数個のアンテナから構成されたマルチパネルアンテナアレイを支援するということである。このとき、図２０に示すように、パネル間の間隔を、すべてのアンテナ要素間の間隔が一定なように設定しなければ、従来のＬＴＥコードブックの基礎になるＤＦＴコードブックの特徴（すなわち、均一増加（ｕｎｉｆｏｒｍ  ｉｎｃｒｅｍｅｎｔ））に符合しないから、性能が劣化できる。
【０３８７】
これを解決するために、本明細書では、各パネル間補償を行う方法（提案３-１）及び／または特定パネル（ら）を選択してデジタルコードブックを構成する方法（提案３-２及び３-２）に対して提案する。
【０３８８】
３-１）パネル間補償技法
【０３８９】
説明の便宜のために、図２０を参照して本実施の形態を説明する。
【０３９０】
図２０において各パネル別に４-要素垂直アンテナ仮像化でポートが構成されることができ、各パネル（パネル１ないし４）別に８個のポートが含まれて総３２個のデジタルポートが構成される。３２-ポートは、ｅＦＤ-ＭＩＭＯで支援され、クラスＡコードブックが使用されることができる。この場合、最終コードブックの形態は、数式３５のとおりである。
【０３９１】
【数３５】
2019526973.tif 000096
【０３９２】
ここで、
2019526973.tif 000097
は、対角行列（ｄｉａｇｏｎａｌ  ｍａｔｒｉｘ）でコードブック補償調節の役割を果たし（すなわち、補償行列／コードブック）、
2019526973.tif 000098
は、ＬＴＥシステムのデュアルステージコードブックのＷ１，ｎ＿Ｗ１は、Ｗ１のビームグループの個数に各々該当し、
2019526973.tif 000099
は、ＬＴＥシステムのデュアルステージコードブックのＷ２でビーム選択と位相-一致の役割を果たす。
【０３９３】
図２０を参照すると、（Ｎ１’＝４，Ｎ２’＝１）Ｎ２方向を垂直方向と仮定すると、Ｗｃは、数式３６のように構成されることができる。
【０３９４】
【数３６】
2019526973.tif 000100
【０３９５】
ここで、α、β、γは、（パネル１に対する／パネル１を基準にした）各パネル２、３、４のｃｏｍｐｅｎｓａｔｉｏｎ  ｔｅｒｍ／ｃｏｍｐｅｎｓａｔｏｒ／ｃｏｒｒｅｃｔｏｒ（以下、ｃｏｒｒｅｃｔｏｒと呼ぶ）であり、例えば、ＱＰＳＫ｛１，-１，ｊ，-ｊ｝（及び／またはＢＰＳＫ（ｂｉｎａｒｙ  ｐｈａｓｅ-ｓｈｉｆｔ  ｋｅｙｉｎｇ））のような特定複素数値を有することができる。このようなｃｏｒｒｅｃｔｏｒは、パネル間位相及び／または振幅を補償するのに使用されることができ、端末は、ｃｏｒｒｅｃｔｏｒ（例えば、α、β、γ）をシグナリングして、ＣＳＩ（例えば、ＣＳＩないしＰＭＩ）として基地局に報告／フィードバックできる。このとき、端末は、基地局によるＲＲＣモード設定（例えば、モード１及び２）に応じて、ｃｏｒｒｅｃｔｏｒをＷＢ（Ｗｉｄｅｂａｎｄ）及び／またはＳＢ（Ｓｕｂｂａｎｄ）の属性で報告／フィードバックできる（すなわち、設定されたモードに応じて、Ｗｉｄｅｂａｎｄ及び／またはＳｕｂｂａｎｄに対して選択／導出／獲得したｃｏｒｒｅｃｔｏｒ（以下、「ＷＢ及び／またはＳＢパネルｃｏｒｒｅｃｔｏｒ」と説明）を基地局に報告）。
【０３９６】
万一、線形平面アレイ（ｌｉｎｅａｒ  ｐｌａｎａｒ  ａｒｒａｙ）の特性上、
γがα及びβの関数で表現可能な場合（例えばγ＝α＊β）、端末は、γは別にフィードバックしなくても良く、これによりフィードバックオーバーヘッドが減る。
【０３９７】
前記概念を拡張して、各ドメイン別に代表パネルｃｏｒｒｅｃｔｏｒ値を１個ずつ指定できる。前記例題の場合、αを垂直（ｖｅｒｔｉｃａｌ）パネル参照ｃｏｒｒｅｃｔｏｒ、βを水平（ｈｏｒｉｚｏｎｔａｌ）パネル参照ｃｏｒｒｅｃｔｏｒとして指定し、残りのパネルに対するｃｏｒｒｅｃｔｏｒは、αと及び／またはβの関数で表現されることができる。例えば、図２０のパネル３の右側にパネル５が存在すると、パネル５の位相ｃｏｒｒｅｃｔｏｒ（補正値）は、例えば
2019526973.tif 000101
のように、αの関数で表現されることができる。
【０３９８】
Ｃｏｒｒｅｃｔｏｒは、ＳＢ及び／または短期周期でフィードバックされると、性能が最大になるがフィードバックオーバーヘッドが増加するので、Ｗ１  ＰＭＩと同じ周期または整数倍周期で報告／フィードバックすることによって、フィードバックオーバーヘッドを減らすことができる。ｃｏｒｒｅｃｔｏｒに関する行列（補償行列）の構成方式は、全体パネル間及びポート間インデクシング方式に影響を与えることができるので、ポートインデクシング方向に対して事前に基地局及び端末間約束するか、または上位階層シグナリングで端末に指示できる。
【０３９９】
さらに他の補償方法として、アンテナポート間ｌｉｎｅａｒ  ｉｎｃｒｅｍｅｎｔ性質を維持するパネル内のポートあるいはパネルサブグループに対して補償を行う方式が考慮されることができる。これを数式にて表すと、数式３７のとおりである。
【０４００】
【数３７】
2019526973.tif 000102
【０４０１】
ここで、
2019526973.tif 000103
、
2019526973.tif 000104
は、一つのパネル内に設定されるポート数に応じて設定されるＷ１  ｆａｔ行列、
2019526973.tif 000105
で各々定義される。また、Ｗ２は、各パネル別ビーム選択と位相-一致を行う行列であって、前記例題では、ランク１を仮定して述べたが、これに限定されず、一般的なＷ２表現でも拡張可能である。
【０４０２】
前記例題及び後述する例題において、説明の便宜上、位相-一致（ｃｏ-ｐｈａｓｅ）は、パネル別に同様に設定／報告されると仮定して述べたが、性能向上のために各パネル別に独立的に位相-一致が設定／報告されうることはもちろんである。
【０４０３】
数式３７による方式の場合、次のような２通りの場合が考慮されることができる：ｉ）
2019526973.tif 000106
及びｉｉ）
2019526973.tif 000107
【０４０４】
ｉ）の場合、例えば図２０の例示のように、各パネル別に８-ポートコードブックが使用され、各パネル別に互いに異なるＷ１ビームグループが仮定されることによって、コードブック細分性（ｇｒａｎｕｌａｒｉｔｙ）が大きく増加されて性能利得が増加できる。しかし、ｉ）の場合は、ｉｉ）場合に比べて計算複雑度及びフィードバックビット数がパネル数に比例して増加できる。ｉｉ）の場合、各パネル別に代表Ｗ１ビームグループが使用されるので、複雑度及びフィードバックビット数が減るという長所がある。この場合にも、数式３５及び／または３６のコードブックと同様にして、パネル間補償に該当するα、β、γは、例えばＱＰＳＫ｛１，-１，ｊ，-ｊ｝のような特定複素数値を有することができ、これらのフィードバック周期は、Ｗ１  ＰＭＩ周期と同一またはＷ１  ＰＭＩ周期の整数倍でありうる。
【０４０５】
数式３７に応じる方式の場合、各パネル別に８-ポートコードブックを仮定したが、図２０においてパネル１と２、パネル３と４から構成される二つの１６-ポートパネルサブグループにも数式３７の適用が可能である。このために、端末は、追加的にパネルサブグループに関する情報も追加的に基地局に報告できる。例えば、基地局がパネルサブグループを構成するパネル数とパネルサブグループの水平または垂直方向のパネルの数を端末に知らせると、端末は、このうち、特定パネルサブグループを選択して基地局に報告できる。このようなサブパネルグループ（すなわち、端末が報告したサブパネルグループ）は、デジタルコードブック適用単位として使用されるか、または同じアナログビームが適用されるグループを指示する用途として使用されることができる。
【０４０６】
数式３７のように各パネル単位あるいはサブパネルグループ単位でデジタルプリコーディングが設定される場合、コードブック構成を容易に行うために「一つのパネル内で同じ偏波を有しているポート」に対して優先的にポートインデクシングを行うことが好ましくありうる。
【０４０７】
３-２）パネル／サブパネルグループ選択コードブック
【０４０８】
各パネルあるいはサブパネルグループ間、互いに異なるアナログビームフォーミングが遂行／適用される状況では、最適のアナログビームに相応するパネルあるいはサブパネルグループを選択してＣＳＩフィードバックされることが好ましくありうる。このために、数式３７のＷｃ行列は、数式３８のような選択行列に変形されて使用されることができる。
【０４０９】
【数３８】
2019526973.tif 000108
【０４１０】
ここで、
2019526973.tif 000109
であり、ρ、α、β、γのうち、ただ一つの値のみが１の値を有する場合、単一パネル選択が行われ（前記例題では、２ビットフィードバックが必要）、ρ、α、β、γのうち、複数が１の値を有する場合、マルチパネル選択が行われ（前記例題では、４ビットフィードバックが必要）、後者の場合、端末は、選択されたマルチパネルを介して同じアナログビームが送信されると期待することができる。
【０４１１】
これにより、パネル選択に対するＰＭＩが基地局に報告されると、基地局は、報告されたＰＭＩに該当するパネル内のポートのみを端末が使用すると認知して該当ポートのみを活性化し、残りのポートは、該当端末に対して非活性化し他の端末の送信に使用することができる。
【０４１２】
前記例示において、仮に２個のパネル選択が行われると仮定すると、総２＊２＊Ｎ１’＊Ｎ２’個のポートが活性化され、この場合、端末は、前記２＊２＊Ｎ１’＊Ｎ２’-ポートに相応するデジタルコードブックを適用して、ＰＭＩ／ＣＱＩ／ＲＩ報告を行うことができる。端末のパネル選択で不-均一なポートレイアウトが設定されると、性能向上のためにポート間補償が適用／結合されたコードブックが適用／使用されることもできる。
【０４１３】
本実施の形態を基地局の能力（ｃａｐａｂｉｌｉｔｙ）と関連して述べると、パネル間キャリブレーション（ｃａｌｉｂｒａｔｉｏｎ）がよくなっている基地局の場合、２＊Ｎ１＊Ｎ２個のポートを全部使用するデジタルビームフォーミングを行うことが好ましくありうる。 これとは異なり、パネル間ｃａｌｉｂｒａｔｉｏｎがよくなっていない基地局の場合、一つまたは特定ＮＰ個のパネル各々に対応する２＊Ｎ１’＊Ｎ２’-ポートまたは、ＮＰ＊２＊Ｎ１’＊Ｎ２’-ポートに対するデジタルビームフォーミングを行うことが好ましくありうる。すなわち、ｎｏｎ-ｃａｌｉｂｒａｔｅｄ基地局は、パネル間ポート併合（ａｇｇｒｅｇａｔｉｏｎ）を介したデジタルビームフォーミングをしないように前記パネル選択コードブックの設定／適用を端末に指示できる。あるいはｇｅｏｍｅｔｒｙが良くてアナログビームフォーミングで十分に利得がよく出る端末の場合、デジタルビームフォーミングの必要性が大きくないことができ、コードブック計算の複雑度を減らすために、端末がパネル選択コードブックを利用して好むパネル（ら）を選択できる。
【０４１４】
上述したパネル選択コードブックの円滑な動作のために、Ｎ１、Ｎ２、Ｎ１’、Ｎ２’のうち、少なくとも一つに関する情報を基地局が端末にＲＲＣで知らせるか、または事前に端末と約束できる。また、上述したコードブックは、互いに単独で使用されるか、または互いに結合されて使用されることができる。後者の場合、例えば、アナログビーム選択コードブック＋パネル選択コードブックが結合されて使用されることができる。これは、互いに異なるアナログビームが互いに異なるパネルに適用される場合に適用されることができる。
【０４１５】
３-３）パネル／サブパネルグループ結合コードブック
【０４１６】
上述した選択コードブックを変形してパネル線形結合（ｐａｎｅｌ  ｌｉｎｅａｒ  ｃｏｍｂｉｎａｔｉｏｎ）コードブックを構成すると、Ｗｃは、数式３９のように構成されることができる。
【０４１７】
【数３９】
2019526973.tif 000110
【０４１８】
数式３９を参照すると、最終コードブックの次元（ｄｉｍｅｎｓｉｏｎ）においてｃｏｌｕｍｎの長さは、２＊Ｎ１’＊Ｎ２’に設定され、これは、各ポート別にアナログ及びデジタルビームフォーミングされた２＊Ｎ１’＊Ｎ２’長さのベクトルが結合（ｃｏｍｂｉｎａｔｉｏｎ）されたと理解／解析されることができる。
【０４１９】
前記方式において、ρ、α、β、γの値は、例えば
2019526973.tif 000111
で表現されることができ、この場合、各々振幅成分（前記例題において
2019526973.tif 000112
）と位相成分（
2019526973.tif 000113
）が独立的あるいは統合的に報告されることができる。独立的報告の場合、例えば、振幅は、ｗｉｄｅｂａｎｄ（またはｐａｒｔｉａｌ-ｂａｎｄ）／長期で、位相成分は、ｗｉｄｅｂａｎｄ／ｓｕｂｂａｎｄで各々端末により報告されることができる。結合を行うことであるから、振幅（ａ）の値は、例えば｛１，０．５，０．２５，０｝のうち、いずれか一つの値に設定されることができ、位相（
2019526973.tif 000114
）値は、例えばＱＰＳＫ｛１，-１，ｊ，-ｊ｝のうち、いずれか一つの値に設定されることができる。
【０４２０】
ペイロードサイズを減らすために、結合されるパネルの個数が特定個数に限定されることができ、このようなパネル個数は、ＲＲＣ（あるいはＭＡＣ（Ｍｅｄｉｕｍ  Ａｃｃｅｓｓ  Ｃｏｎｔｒｏｌ）ＣＥ（Ｃｏｎｔｒｏｌ  Ｅｌｅｍｅｎｔ））でシグナリングされるか、または事前に端末及び基地局間に約束できる。すなわち、前記例題の場合、結合されるパネルの個数を２と仮定すると、端末は、最も好まない二つのパネルインデックスに対するパワーインデックスを０で報告するか、またはパネル結合コードブックの前段に２個のパネル選択をまず行うことができる。すなわち、４個のパネルのビームのうち、２個のビームを結合する場合、｛（１，２）、（１，３）、（１，４）、（２，３）、（２，４）、（３，４）｝のように、パネルが結合する場合の数別にインデックスが付与された場合、端末は、これらのうち、自身が選択した特定インデックスを基地局にまず報告した後、選択したパネルに対するパネル結合コードブックを行うようになる。また、すべての電力結合係数に相応する値を毎度報告することが非効率的でありうるので、特定パネル（すなわち、最もビーム利得が良いパネルあるいは基本的に第１番目のパネル）に対した電力結合係数は、特定値に仮定／設定され、端末は、残りの結合されるビームに対する電力結合係数に対してのみ報告できる。例えば、第１番目のパネルのパワーを「１」に仮定すると、端末は、残りのパネルに相応するα、β、γの振幅値を基地局に報告すればよい。
【０４２１】
前記提案したパネル補償コードブックの場合、各パネル別に同じコードブックまたは位相補償（ＷＢ及び／またはＳＢ）を使用するか、それとも互いに異なるコードブックまたは位相補償（ＷＢ及び／またはＳＢ）を使用するかは、基地局が端末に設定できる。 
後述する偏波別に互いに異なるビームグループを有するコードブックの場合、パネル補償コードブックを適用する時、偏波別にρ、α、β、γの値で代表される値を互いに独立的に設定／適用できる。すなわち、第１偏波に対するρ＿１、α＿１、β＿１、γ＿１、第２偏波に対するρ＿２、α＿２、β＿２、γ＿２、このように互いに独立的な８個の変数を使用して、パネル補償が行われることができる。
【０４２２】
また、前記提案した方式と似ているように、補償値が参照パネルを基準に参照パネルの補償値に対する差動（ｄｉｆｆｅｒｅｎｔｉａｌ）値として指示／報告されたコードブックが考慮／提案されることができる。
【０４２３】
前記提案された補償コードブックの場合、ＷＢパネル補正コードブックだけでなく、ＳＢパネル補正コードブックでも拡張適用が可能である。この場合、ＳＢ  ＣＳＩフィードバックに対するペイロードが大きくなるという短所があるけれど、ＳＢ別にパネル補正コードブックが適用されることができるので、周波数選択跡性質をさらに反映でき、性能向上が非常に大きい。ただし、ペイロードが大きくなるという問題点を解決するために、ＳＢパネルｃｏｒｒｅｃｔｏｒのフィードバック細分性（ｇｒａｎｕｌａｒｉｔｙ）／単位／サイズ／ビット-幅（ｗｉｄｔｈ）は、ＷＢパネルｃｏｒｒｅｃｔｏｒのフィードバック細分性（ｇｒａｎｕｌａｒｉｔｙ）／単位／サイズ／ビット-幅とは互いに異なって設定／定義される方式が考慮されることができる。特に、ＳＢパネルｃｏｒｒｅｃｔｏｒのフィードバック単位／サイズ／ビット-幅は、フィードバックオーバーヘッド減少するために、ＷＢパネルｃｏｒｒｅｃｔｏｒのフィードバック単位／サイズ／ビット-幅より小さく設定／定義されることができる（すなわち、ＳＢパネルｃｏｒｒｅｃｔｏｒのフィードバック細分性（ｇｒａｎｕｌａｒｉｔｙ）がＷＢ  ｃｏｒｒｅｃｔｏｒのフィードバック細分性（ｇｒａｎｕｌａｒｉｔｙ）より低い）。例えば、ＷＢパネルｃｏｒｒｅｃｔｏｒのフィードバック単位／サイズ／ビット-幅は、２ビット（ＱＰＳＫ基準）に、ＳＢパネルｃｏｒｒｅｃｔｏｒのフィードバック単位／サイズ／ビット-幅は、１ビット（ＢＰＳＫ基準）に各々設定されることができる。
【０４２４】
このとき、端末が基地局にＷＢ及び／またはＳＢパネル補正コードブックを使用するかどうかを推薦／フィードバックできる。そして／または、基地局は、端末にＷＢ及び／またはＳＢパネル補正コードブックを使用するかをＲＲＣ設定することができる。例えば、ＷＢパネル補正コードブックの適用は、第１モード、ＷＢ及びＳＢパネル補正コードブックの同時適用は、第２モードと定義でき、基地局は、どんなモードを適用するかを特定ＲＲＣシグナリング（例えば、「ＣｏｄｅｂｏｏｋＭｏｄｅ」）を介して端末に指示することができる。第１モードを設定された端末は、ＱＰＳＫを基準に選択／導出したＷＢパネルｃｏｒｒｅｃｔｏｒを２ビットサイズで基地局にＣＳＩ（特に、ＰＭＩ）として報告できる。第２モードを設定された端末は、ＱＰＳＫを基準に選択／導出したＷＢパネルｃｏｒｒｅｃｔｏｒとＢＰＳＫを基準で（に）選択／導出したＳＢパネルｃｏｒｒｅｃｔｏｒを各々２ビット及び１ビットサイズで共に基地局にＣＳＩ（特に、ＰＭＩ）として報告できる。第２モードの場合、ＷＢパネルｃｏｒｒｅｃｔｏｒは、全体的な位相-一致を補償するのに使用され、ＳＢパネルｃｏｒｒｅｃｔｏｒは、より微細な位相-一致を補償するために使用されることができる。
【０４２５】
または、ＷＢパネル補正コードブックを使用する、かまたはＳＢパネル補正コードブックを使用するかは、基地局のパネル数（＝Ｍｇ＊Ｎｇ）と接続（ｔｉｅ）されて決定されることもできる。例えば、Ｍｇ＊Ｎｇ＝４の場合、デジタルコードブック内のＷ１を構成するビームの個数Ｎ＿Ｗ１は、１個（ＬＴＥクラスＡコードブックのＣｏｎｆｉｇ  １）に、Ｍｇ＊Ｎｇ＝２の場合、Ｎ＿Ｗ１＝２に設定／適用されることができる。
【０４２６】
前記提案したコードブックは、ＤＬを基準に述べたが、これに限定されるものではなく、ＵＬコードブック構成にも容易に拡張適用されることができる。
【０４２７】
以下、シングルパネルを仮定したタイプＩコードブック構成方式について述べる。
【０４２８】
まず、偏波別に同じビームグループが使用される場合を述べると、これは、数式４０のように表現されることができる。
【０４２９】
【数４０】
2019526973.tif 000115
【０４３０】
ここで、Ｗ１は、デュアル-ステージコードブックにおいてＷＢ／長期性格でビームグルーピングの役割を果たす。このとき、
2019526973.tif 000116
で、Ｌ個（例えば、Ｌ＝１，２，４，７，．．）の値を有することができる。Ｗ１を構成するビームグループの数を指示するために、先にＮ＿Ｗ１を使用したが、以下では、Ｌに変えて説明する。以下、Ｌ個のビームを端末が選択する場合について説明する。
【０４３１】
端末が自由にＬ個の使用するビームを明示的に（例えば、ビットマップ形式あるいはビームインデックス明示的指示）基地局に知らせることができる。このとき、必要なビット数は、Ｌ＊Ｎ１＊Ｎ２＊Ｏ１＊Ｏ２あるいは
2019526973.tif 000117
で、Ｌ及びＴｘアンテナポート数が増加するに伴い、フィードバックビットが非常に大きくなるという問題がある。したがって、このようなフィードバックビット数を節約するための方式に、特定ＧｏＢ（Ｇｒｉｄ  ｏｆ  Ｂｅａｍｓ）ウィンドウ内で端末がビーム選択を自由に行う方式がありうる。これに対する例示は、図２１を参照して、以下で後述する。
【０４３２】
図２１は、本発明の一実施の形態によるＮ１＝４、Ｏ１＝４、Ｎ２＝２、Ｏ２＝４の場合のＧｏＢを例示した図である。
【０４３３】
図２１を参照すると、４  ｂｙ  ６のビーム選択ウィンドウが設定された場合、端末は、該当ウィンドウ内でＬ-１ビームを自由に選択できる。この場合、端末は、プライマリ／リーディング（ｌｅａｄｉｎｇ）ビーム２１０１の位置と４  ｂｙ  ６のウィンドウサイズをフィードバックできる。
【０４３４】
さらに他の方式で、図２２の実施の形態が適用されることができる。
【０４３５】
図２２は、Ｎ１＝４、Ｏ１＝４、Ｎ２＝２、Ｏ２＝４の場合、ウィンドウ設定方法を例示した図である。
【０４３６】
図２２を参照すると、基地局あるいは端末が推薦／フィードバックしたウィンドウサイズで全体ＧｏＢが区分され、端末は、ウィンドウに対するインデックス（位置）及び／または該当ウィンドウ内で自由に選択したＬ個のビーム選択情報をフィードバックできる。図２２の場合、８個の４  ｂｙ  ４ウィンドウが存在する場合を例示する。設定によって、隣接したウィンドウ同士のオーバラップ（ｏｖｅｒｌａｐ）も可能である。このとき、ウィンドウの位置及び／または大きさに対する情報は、基地局が端末に設定することもできる。
【０４３７】
前記提案した方式のように、端末がＷ１に使用されるＬ個のビームを選択する方式の場合、高いフィードバックビットが要求されるので、フィードバック情報（例えば、Ｌ個のビーム選択情報）は、ＰＵＣＣＨ報告よりは、ＰＵＳＣＨ報告を利用して行われることに限定されることができる。
【０４３８】
以下、Ｗ１を構成する対角行列が互いに異なる場合（すなわち、偏波別に互いに異なるビームグループが使用される場合）について述べ、これは、数式４０のように表現されることができる。
【０４３９】
【数４１】
2019526973.tif 000118
【０４４０】
ここで、
2019526973.tif 000119
であり、Ｂ１及びＢ２は、各々互いに異なる次元を有することができる。
2019526973.tif 000120
と定義され、
2019526973.tif 000121
は、ｉ-ｓｌａｎｔ（例えば、ｉ＝１の場合、Ｈ  ｓｌａｎｔを指示、ｉ＝２の場合、Ｖ  ｓｌａｎｔを指示）のビームグループを構成するビームの個数を表し、Ｌ１とＬ２は、互いに異なる値を有することができる（例えば、Ｌ１＝１、Ｌ２＝２）。基地局は、Ｌ１とＬ２値を端末と事前に約束するか、または上位階層（例えば、ＲＲＣまたはＭＡＣ  ＣＥ）に端末に設定できる。あるいは、端末がＬ１とＬ２値に対する情報を基地局に推薦／フィードバックできる。
【０４４１】
以上のようにＷ１を構成する場合、各偏波別に最適のコードワードを適用できるという長所を有するが、Ｗ１のフィードバックオーバーヘッドが大きく増加するという短所を有する。したがって、以下では、このような短所を解決するための実施の形態を提案する。
【０４４２】
まず
2019526973.tif 000122
（すなわち、垂直及び水平方向のビーム個数が同じ場合）の場合から説明する。
【０４４３】
この場合、ランク１コードブック構成のためのＷ２は、数式４２のように提案されることができる。
【０４４４】
【数４２】
2019526973.tif 000123
【０４４５】
ここで、
2019526973.tif 000124
、
2019526973.tif 000125
と定義され、は、長さがＬで、ｉ番目の元素のみである１の値を有し、残りの元素は、０値を有する選択ベクトルを表す。この場合、ｉとｊは、互いに独立的に報告されなければならないので、同一ビームグループを使用する場合に比べて、ビーム選択のために、２倍のフィードバックオーバーヘッドが消費される。このようなデザインの場合、ｉ、ｊ及び位相-一致値は、ＳＢで報告されることができる。ビーム選択のためのＳＢフィードバックオーバーヘッドを減らすために、Ｌ１＝Ｌ２＝１に限定されることができる。この場合、Ｗ２は、
2019526973.tif 000126
のように設定されることができる。
【０４４６】
さらに他の方式で、端末がＢ１に対したｉ１１、ｉ１２を報告／フィードバックし、Ｂ１とＢ２との間の差動値を追加に報告／フィードバックする方式が提案されることができる。ここで、ｉ１１、ｉ１２は、ＬＴＥコードブックのように、Ｗ１  ＰＭＩの第１番目のドメインインデックスと第２番目のドメインインデックスを各々表す。すなわち、端末は、Ｂ１を構成するリーディング（ｌｅａｄｉｎｇ）ビームインデックスｉ１１、ｉ１２から第１番目及び第２番目のドメインでどれくらいＢ２が離れているかを基地局にフィードバック／報告できる。例えば、Ｂ１のリーディングビームインデックスとして（ｉ１１，ｉ１２）＝（１０，２）及びＢ１に対した差動値として（２、４）に相応する値を追加で基地局に報告／フィードバックした場合、基地局は、Ｂ２のリーディングビームを（ｉ１１、ｉ１２）＝（１２、６）で（に）認知と、Ｂ２を構成できる。
【０４４７】
このようにＢ１（インデックス）とＢ２（インデックス）との間の差動値を知らせる方式の場合、前記差動値を各ドメイン別に特定値で端末と基地局との間に約束するか、基地局が端末に設定してくれるか、または端末が基地局に報告／フィードバックできる。報告／フィードバックオーバーヘッドを減らすために、端末は、特定ドメイン（例えば、第１番目または第２番目のドメイン）に対した情報のみを制限的にフィードバックすることもできる。この場合、前記特定ドメインは、基地局が端末に設定するか、または端末が基地局に知らせることができる。
【０４４８】
ランク２コードブック構成は、数式４３のように表現されることができる。
【０４４９】
【数４３】
2019526973.tif 000127
【０４５０】
数式４３から分かるように、ｉ、ｊ、ｋ、ｌの変数は、次の条件を満たさないと、ランク２コードブックで各レイヤー（ｌａｙｅｒ）別直交性（ｏｒｔｈｏｇｏｎａｌｉｔｙ）が維持されることができない。
【０４５１】
１．
2019526973.tif 000128
：この場合、前記コードブックは、レイヤーを構成する時に各偏波別に同じビームを選択する場合を表す。前記コードブックを構成する場合、例えば
2019526973.tif 000129
のように、
2019526973.tif 000130
が限定されて使用されることができる。この場合、コードブックを構成するビームは、１にｎｏｒｍａｌｉｚｅされると限定されることができる。
【０４５２】
２．
2019526973.tif 000131
：この場合、ランク２の直交性を保障するために、各偏波別に、ｉとｋにより選択されるビームが互いに直交するようＷ１のＢ１が設定されなければならず、ｊとｌにより選択されるビームが互いに直交するようＷ１のＢ２が設定されなければならない。すなわち、Ｗ１を構成するＢ１とＢ２のビームグループは、互いに直交するビームから構成されなければならない。あるいは、一部非直交するビームが混ざった場合、互いに直交するビーム同士においてのみ前記方式のビームペアリングを行って、コードブックを構成できる。例えば、
2019526973.tif 000132
から構成される場合、
2019526973.tif 000133
間及び
2019526973.tif 000134
間に各々互いに直交すると仮定される場合、上述した２番方式に従って、
2019526973.tif 000135
に対するペアリング及び
2019526973.tif 000136
に対するペアリングが行われて、総２番のペアリングが行われることができる。このような方式を使用する場合、
2019526973.tif 000137
の位相-一致が使用されることができる。
【０４５３】
以下、
2019526973.tif 000138
である場合について説明する。この場合、前記
2019526973.tif 000139
である場合に提案された方式を拡張適用して、コードブックを構成できる。
【０４５４】
2019526973.tif 000140
である場合の特別ケースとしてＬ１＝１の場合をまず説明する。この場合、Ｗ２のランク１構成方式は、数式４４のとおりである。
【０４５５】
【数４４】
2019526973.tif 000141
【０４５６】
この場合、一方のｓｌａｎｔに対応するビームに対するビーム選択と位相-一致が可能なので、各偏波別に独立的にＰＭＩが決定／指示されることができ、コードブック細分性（ｇｒａｎｕｌａｒｉｔｙ）が増加し性能が向上することができる。この場合、
2019526973.tif 000142
が使用されることができる。
【０４５７】
前記のようなコードブックデザインの際、
2019526973.tif 000143
が成立するよう設定して（すなわち、Ｂ２を構成するＬ個のビームには、常にＢ１が含まれる）、ＬＴＥクラスＡコードブックＣｏｎｆｉｇ１のｓｕｐｅｒ  ｓｅｔになるように設定できる。あるいはＢ２に対した情報を端末が基地局に推薦することもできる。
【０４５８】
上記と類似に、ランク２コードブックは、数式４５のように構成されることができる。
【０４５９】
【数４５】
2019526973.tif 000144
【０４６０】
2019526973.tif 000145
である場合、
2019526973.tif 000146
が使用されることができ、
2019526973.tif 000147
であり、ｉ、ｊとして選択されるビームが互いに直交する場合、
2019526973.tif 000148
が使用されることができる。あるいは、両方とも全部、同一細分性（ｇｒａｎｕｌａｒｉｔｙ）を有する位相-一致（ｃｏ-ｐｈａｓｅ）が適用されることができる。
【０４６１】
前記説明した方式で、
2019526973.tif 000149
を構成するビームに対するＷＢ位相-一致をＢ２インデックスと共に報告する方式が考慮されることができる。すなわち、
2019526973.tif 000150
に設定して、Ｗ１は、数式４６のように構成できる。
【０４６２】
【数４６】
2019526973.tif 000151
【０４６３】
ここで、
2019526973.tif 000152
は、ＷＢ位相-一致値であり、例えば
2019526973.tif 000153
でありうる。この場合、ＳＢ位相-一致は、例えば
2019526973.tif 000154
のように構成されて、ＷＢとは互いに異なる位相-一致を有するように設定して、コードブック細分性（ｇｒａｎｕｌａｒｉｔｙ）を高めることができる。ＳＢフィードバックビットを節約するために、端末は、１-ビット位相-一致（例えば、
2019526973.tif 000155
等）を利用して、２-レベル位相-一致報告できる。
【０４６４】
前記提案された方式は、
2019526973.tif 000156
の場合にも容易に適用可能であり、Ｗ１を構成するＢ１とＢ２は、各ｂａｎｄ（あるいは、ｂａｎｄ  ｇｒｏｕｐ）別に独立的に設定／適用されることができる。
【０４６５】
上記の通りに、偏波別に互いに異なるビームグループを使用する方式と同様に、ＳＢ  ＰＭＩの正確性を高めるために、ＳＢのサイズを減らす方式も考慮できる。ＳＢサイズが減るようになると、ＳＢ当たりのＰＭＩがより正確になるという長所があるが、フィードバックオーバーヘッドが増加する。したがって、基地局は、ＳＢサイズを減らすのか及び／または
2019526973.tif 000157
であるコードブックを使用するのかに対する情報を端末に設定することができる。
【０４６６】
以上提案されたコードブックデザインの組み合わせで新しいコードブックの構成が可能である。
【０４６７】
図２３は、本発明の一実施の形態による端末のＣＳＩ報告方法を例示したフローチャートである。本フローチャートと関連して先に上述した実施の形態／説明が同一／同様に適用されることができ、重複する説明は省略する。
【０４６８】
まず、端末は、基地局から複数のパネルを介して送信されたＣＳＩ-ＲＳを測定できる（Ｓ２３１０）。
【０４６９】
次に、端末は、前記ＣＳＩ-ＲＳ測定に基づいて生成したＣＳＩを基地局に報告できる（Ｓ２３２０）。
【０４７０】
このとき、万一、端末が複数のパネルに対するＷＢパネル補償子（ｃｏｒｒｅｃｔｏｒ）及びＳＢパネル補償子をＣＳＩとして報告する場合（基地局によるＣＳＩ設定によって）、ＷＢパネル補償子及びＳＢパネル補償子は、互いに異なるビット幅（ｗｉｄｔｈ）で報告できる。ここで、ＷＢパネル補償子は、ＷＢに対してＣＳＩ-ＲＳ（資源）を測定した結果に基づいて、導出／決定／選択されたパネル別ビーム／コードブック位相補償子に該当でき、ＳＢパネル補償子は、ＳＢに対し（またはＳＢごとに）ＣＳＩ-ＲＳ（資源）を測定した結果に基づいて、端末により導出／決定／選択されたパネル別（ビーム／コードブック）位相補償子に該当できる。すなわち、ＷＢパネル補償子及びＳＢパネル補償子は、複数のパネルの間の位相補正に使用されることができる。また、前記複数のパネルの個数は、上位階層シグナリングにより設定されることができる。
【０４７１】
特に、ＳＢパネル補償子のビット幅は、前記ＷＢパネル補償子のビット幅より小さくありえ、例えばＳＢパネル補償子のビット幅は、１-ビット、ＷＢパネル補償子のビット幅は、２-ビットに各々設定されることができる。したがって、ＷＢパネル補償子は、ＱＰＳＫに基づいて報告されることができ、ＳＢパネル補償子は、ＢＰＳＫに基づいて報告されることができる。万一、端末がＣＳＩとしてＷＢパネル補償子のみを報告する場合、ＷＢパネル補償子を２-ビットのビット幅で報告できる。ＷＢパネル補償子とＳＢパネル補償子を共に報告するか、またはＷＢパネル補償子のみを報告するかは、基地局から設定されたモード（例えば、ＲＲＣシグナリングを介して設定された）によって決定されることができる。例えば、基地局が端末にモード「１」を指示すると、端末は、ＷＢパネル補償子のみを報告すると認識でき、モード「２」を指示すると、端末は、ＷＢパネル補償子及びＳＢパネル補償子ともを報告すると認識できる。
【０４７２】
ＷＢパネル補償子及びＳＢパネル補償子は、ＣＳＩないしＰＭＩに含まれて報告されることができ、ＷＢパネル補償子及びＳＢパネル補償子は、複数のパネル各々に対して独立的に報告されることができる。
【０４７３】
本発明が適用されることができる装置一般
【０４７４】
図２４は、本発明の一実施の形態による無線通信装置のブロック構成図を例示する。
【０４７５】
図２４を参照すると、無線通信システムは、基地局２４１０と、基地局２４１０の領域内に位置した多数の端末２４２０とを含む。
【０４７６】
基地局２４１０は、プロセッサ（ｐｒｏｃｅｓｓｏｒ）２４１１、メモリ（ｍｅｍｏｒｙ）２４１２及びＲＦ部（ｒａｄｉｏ  Ｆｒｅｑｕｅｎｃｙ  ｕｎｉｔ）２４１３を含む。プロセッサ２４１１は、先に提案された機能、過程及び／または方法を具現する。無線インターフェスプロトコルのレイヤーは、プロセッサ２４１１により具現化されることができる。メモリ２４１２は、プロセッサ２４１１と接続されて、プロセッサ２４１１を駆動するための多様な情報を格納する。ＲＦ部２４１３は、プロセッサ２４１１と接続されて、無線信号を送信及び／または受信する。
【０４７７】
端末２４２０は、プロセッサ２４２１、メモリ２４２２及びＲＦ部２４２３を含む。プロセッサ２４２１は、先に提案された機能、過程及び／または方法を具現する。無線インターフェスプロトコルのレイヤーは、プロセッサ２４２１により具現されることができる。メモリ２４２２は、プロセッサ２４２１と接続されて、プロセッサ２４２１を駆動するための多様な情報を格納する。ＲＦ部２４２３は、プロセッサ２４２１と接続されて、無線信号を送信及び／または受信する。
【０４７８】
メモリ２４１２、２４２２は、プロセッサ２４１１，２４２１の内部または外部にあることができ、よく知られた多様な手段でプロセッサ２４１１，２４２１と接続されることができる。また、基地局２４１０及び／または端末２４２０は、一個のアンテナ（ｓｉｎｇｌｅ  ａｎｔｅｎｎａ）または多重アンテナ（ｍｕｌｔｉｐｌｅ  ａｎｔｅｎｎａ）を有することができる。
【０４７９】
以上で説明された実施形態は本発明の構成要素と特徴が所定の形態に結合されたものである。各構成要素または特徴は別途の明示的な言及がない限り、選択的なものとして考慮されなければならない。各構成要素または特徴は、他の構成要素や特徴と結合されない形態に実施できる。また、一部の構成要素及び／又は特徴を結合して本発明の実施形態を構成することも可能である。本発明の実施形態で説明される動作の順序は変更できる。ある実施形態の一部の構成や特徴は他の実施形態に含まれることができ、または他の実施形態の対応する構成または特徴と取替えできる。特許請求範囲で明示的な引用関係のない請求項を結合して実施形態を構成するか、または出願後の補正により新たな請求項に含めることができることは自明である。
【０４８０】
本明細書において「Ａ及び／またはＢ」は、Ａ及び／またはＢのうち、少なくとも一つを意味すると解析されることができる。
【０４８１】
本発明に従う実施形態は多様な手段、例えば、ハードウェア、ファームウエア（firmware）、ソフトウェア、またはそれらの結合などにより具現できる。ハードウェアによる具現の場合、本発明の一実施形態は一つまたはその以上のＡＳＩＣｓ （application specific integrated circuits）、ＤＳＰｓ（digital signal processors）、ＤＳＰＤｓ （digital signal processing devices）、ＰＬＤｓ（programmable logic devices）、ＦＰＧＡｓ （field programmable gate arrays）、プロセッサ、コントローラ、マイクロコントローラ、マイクロプロセッサなどにより具現できる。
【０４８２】
ファームウエアやソフトウェアによる具現の場合、本発明の一実施形態は以上で説明された機能または動作を遂行するモジュール、手続、関数などの形態に具現できる。ソフトウェアコードはメモリに格納されてプロセッサにより駆動できる。前記メモリは、前記プロセッサの内部または外部に位置して、既に公知された多様な手段により前記プロセッサとデータをやり取りすることができる。
【０４８３】
本発明は、本発明の必須的特徴を逸脱しない範囲で他の特定の形態に具体化できることは当業者に自明である。したがって、前述した詳細な説明は全ての面で制限的に解析されてはならず、例示的なものとして考慮されなければならない。本発明の範囲は添付した請求項の合理的な解析により決定されなければならず、本発明の等価的な範囲内での全ての変更は本発明の範囲に含まれる。
【発明の実施のための形態】
【０４８４】
発明の実施のための多様な形態が発明を実施するための最良の形態で説明された。
【産業上の利用可能性】
【０４８５】
本発明は、３ＧＰＰ  ＬＴＥ／ＬＴＥ-Ａ／５Ｇシステムに適用される例を中心に説明したが、３ＧＰＰ  ＬＴＥ／ＬＴＥ-Ａ／５Ｇシステムの他にも多様な無線通信システムに適用することが可能である。
【図１】
2019526973.tif 000158
【図２】
2019526973.tif 000159
【図３】
2019526973.tif 000160
【図４】
2019526973.tif 000161
【図５】
2019526973.tif 000162
【図６】
2019526973.tif 000163
【図７】
2019526973.tif 000164
【図８】
2019526973.tif 000165
【図９（ａ）】
2019526973.tif 000166
【図９（ｂ）】
2019526973.tif 000167
【図９（ｃ）】
2019526973.tif 000168
【図１０】
2019526973.tif 000169
【図１１】
2019526973.tif 000170
【図１２】
2019526973.tif 000171
【図１３】
2019526973.tif 000172
【図１４】
2019526973.tif 000173
【図１５】
2019526973.tif 000174
【図１６】
2019526973.tif 000175
【図１７】
2019526973.tif 000176
【図１８】
2019526973.tif 000177
【図１９】
2019526973.tif 000178
【図２０】
2019526973.tif 000179
【図２１】
2019526973.tif 000180
【図２２】
2019526973.tif 000181
【図２３】
2019526973.tif 000182
【図２４】
2019526973.tif 000183
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
無線通信システムにおいて端末のチャネル状態情報（ＣＳＩ）を報告する方法であって、
基地局から複数のパネルを介して送信されたチャネル状態情報-参照信号（ＣＳＩ-ＲＳ）を測定するステップと、
前記ＣＳＩ-ＲＳの測定に基づいて生成されたＣＳＩを前記基地局に報告するステップと、を含み、
前記端末が、前記複数のパネルに対する広帯域（ＷＢ）パネル補償子及びサブバンド（ＳＢ）パネル補償子を前記ＣＳＩとして報告する場合、前記ＷＢパネル補償子及び前記ＳＢパネル補償子は、互いに異なるビット幅で報告される、ＣＳＩ報告方法。
【請求項２】
前記ＷＢパネル補償子及び前記ＳＢパネル補償子は、前記複数のパネルの間の位相補正に使用される、請求項１に記載のＣＳＩ報告方法。
【請求項３】
前記ＳＢパネル補償子のビット幅は、前記ＷＢパネル補償子のビット幅より小さい、請求項２に記載のＣＳＩ報告方法。
【請求項４】
前記ＳＢパネル補償子のビット幅は、１ビットであり、前記ＷＢパネル補償子のビット幅は、２ビットである、請求項３に記載のＣＳＩ報告方法。
【請求項５】
前記ＷＢパネル補償子は、ＱＰＳＫに基づいて報告され、前記ＳＢパネル補償子は、ＢＰＳＫに基づいて報告される、請求項４に記載のＣＳＩ報告方法。
【請求項６】
前記ＣＳＩとして前記ＷＢパネル補償子のみを報告する場合、前記ＷＢパネル補償子は、２ビットのビット幅で報告される、請求項４に記載のＣＳＩ報告方法。
【請求項７】
前記複数のパネルの個数は、上位階層シグナリングにより設定される、請求項２に記載のＣＳＩ報告方法。
【請求項８】
前記ＷＢパネル補償子及び／又は前記ＳＢパネル補償子の報告は、前記上位階層シグナリングにより設定される、請求項７に記載のＣＳＩ報告方法。
【請求項９】
前記ＷＢパネル補償子及び前記ＳＢパネル補償子は、前記ＣＳＩ内のＰＭＩで報告される、請求項７に記載のＣＳＩ報告方法。
【請求項１０】
前記ＷＢパネル補償子及び前記ＳＢパネル補償子は、前記複数のパネル及び／又は偏波の各々に対して独立的に報告される、請求項７に記載のＣＳＩ報告方法。
【請求項１１】
無線通信システムにおいてチャネル状態情報-参照信号（ＣＳＩ-ＲＳ）を受信する端末であって、
無線信号を送受信するためのＲＦユニットと、
前記ＲＦユニットを制御するプロセッサと、を含み、
前記プロセッサは、基地局から複数のパネルを介して送信されたＣＳＩ-ＲＳを測定し、前記ＣＳＩ-ＲＳの測定に基づいて生成されたＣＳＩを前記基地局に報告し、
前記端末が前記複数のパネルに対する広帯域（ＷＢ）パネル補償子及びサブバンド（ＳＢ）パネル補償子をＣＳＩとして報告する場合、前記ＷＢパネル補償子及び前記ＳＢパネル補償子は、互いに異なるビット幅で報告される、端末。
【請求項１２】
前記ＷＢパネル補償子及び前記ＳＢパネル補償子は、前記複数のパネルの間の位相補正に使用される、請求項１１に記載の端末。
【請求項１３】
前記ＳＢパネル補償子のビット幅は、前記ＷＢパネル補償子のビット幅より小さい、請求項１２に記載の端末。
【請求項１４】
前記ＳＢパネル補償子のビット幅は、１ビットであり、前記ＷＢパネル補償子のビット幅は、２ビットである、請求項１３に記載の端末。
【請求項１５】
前記ＷＢパネル補償子は、ＱＰＳＫに基づいて報告され、前記ＳＢパネル補償子は、ＢＰＳＫに基づいて報告される、請求項１４に記載の端末。
【国際調査報告】
2019526973.tif 000184
2019526973.tif 000185
2019526973.tif 000186
2019526973.tif 000187
2019526973.tif 000188
2019526973.tif 000189
2019526973.tif 000190
2019526973.tif 000191